(57)【要約】【課題】多数のスモールセルが設置される構成において、通信端末装置の移動に対応可能なモビリティ性能を有する通信システムを提供する。【解決手段】通信端末装置は、待受け状態である場合、自装置が在圏しているセルの属するグループ、および自装置が在圏しているセルの属するグループと異なるグループのいずれかを選択し、選択したグループに属するセルに対して、再選択先のセルを選択するための測定を行う。通信端末装置は、接続状態である場合、自装置が接続しているセルの属するグループ、および自装置が接続しているセルの属するグループと異なるグループのいずれかを選択し、選択したグループに属するセルに対して、ハンドオーバのための測定を行う。通信端末装置は、測定対象のグループを、複数のグループの優先順位に基づいて選択する。【選択図】図１９
2019054556.tif 000002
【特許請求の範囲】
【請求項１】
１つまたは複数の基地局装置を含むネットワーク側装置によって構成されるネットワークを介して、複数の通信端末装置が無線通信を行う通信システムであって、
前記１つまたは複数の基地局装置によって構成され、前記複数の通信端末装置と接続されて前記複数の通信端末装置と無線通信を行う複数のセルを備え、
前記複数のセルは、複数のグループにグループ化されており、
前記複数の通信端末装置のうちの一の通信端末装置は、
（ａ）待受け状態である場合、自装置が在圏しているセルの属するグループ、および自装置が在圏しているセルの属するグループと異なるグループのいずれかを選択し、選択したグループに属するセルに対して、再選択先のセルを選択するための測定を行い、
（ｂ）接続状態である場合、自装置が接続しているセルの属するグループ、および自装置が接続しているセルの属するグループと異なるグループのいずれかを選択し、選択したグループに属するセルに対して、ハンドオーバのための測定を行い、
前記一の通信端末装置は、測定対象の前記グループを、前記複数のグループの優先順位に基づいて選択することを特徴とする通信システム。
【請求項２】
１つまたは複数の基地局装置を含むネットワーク側装置によって構成されるネットワークを介して、複数の通信端末装置が無線通信を行う通信システムであって、
前記１つまたは複数の基地局装置によって構成され、前記複数の通信端末装置と接続されて前記複数の通信端末装置と無線通信を行う複数のセルを備え、
前記複数のセルは、複数のグループにグループ化されており、
前記複数の通信端末装置のうちの一の通信端末装置は、
（ａ）待受け状態である場合、自装置が在圏しているセルの属するグループ、および自装置が在圏しているセルの属するグループと異なるグループのいずれかを選択し、選択したグループに属するセルに対して、再選択先のセルを選択するための測定を行い、
（ｂ）接続状態である場合、自装置が接続しているセルの属するグループ、および自装置が接続しているセルの属するグループと異なるグループのいずれかを選択し、選択したグループに属するセルに対して、ハンドオーバのための測定を行い、
前記一の通信端末装置は、測定対象の前記グループを、前記複数のグループの負荷情報または前記複数のグループの規制情報に基づいて選択することを特徴とする通信システム。
【発明の詳細な説明】
【技術分野】
【０００１】
本発明は、通信端末装置と基地局装置との間で無線通信を行う通信システムに関する。
【背景技術】
【０００２】
移動体通信システムの規格化団体である３ＧＰＰ（3rd Generation Partnership Project）において、無線区間についてはロングタームエボリューション（Long Term Evolution：ＬＴＥ）と称し、コアネットワークおよび無線アクセスネットワーク（以下、まとめて、ネットワークとも称する）を含めたシステム全体構成については、システムアーキテクチャエボリューション（System Architecture Evolution：ＳＡＥ）と称される新たな通信方式が検討されている（例えば、非特許文献１〜１２参照）。この通信方式は３．９Ｇ（3.9 Generation）システムとも呼ばれる。
【０００３】
ＬＴＥのアクセス方式としては、下り方向はＯＦＤＭ（Orthogonal Frequency Division Multiplexing）、上り方向はＳＣ−ＦＤＭＡ（Single Carrier Frequency Division Multiple Access）が用いられる。また、ＬＴＥは、Ｗ−ＣＤＭＡ（Wideband Code division Multiple Access）とは異なり、回線交換を含まず、パケット通信方式のみになる。
【０００４】
非特許文献１（５章）に記載される、３ＧＰＰでの、ＬＴＥシステムにおけるフレーム構成に関する決定事項について、図１を用いて説明する。図１は、ＬＴＥ方式の通信システムで使用される無線フレームの構成を示す説明図である。図１において、１つの無線フレーム（Radio frame）は１０ｍｓである。無線フレームは１０個の等しい大きさのサブフレーム（Subframe）に分割される。サブフレームは、２個の等しい大きさのスロット（slot）に分割される。無線フレーム毎に１番目および６番目のサブフレームに下り同期信号（Downlink Synchronization Signal：ＳＳ）が含まれる。同期信号には、第一同期信号（Primary Synchronization Signal：Ｐ−ＳＳ）と、第二同期信号（Secondary Synchronization Signal：Ｓ−ＳＳ）とがある。
【０００５】
３ＧＰＰでの、ＬＴＥシステムにおけるチャネル構成に関する決定事項が、非特許文献１（５章）に記載されている。ＣＳＧ（Closed Subscriber Group）セルにおいてもｎｏｎ−ＣＳＧセルと同じチャネル構成が用いられると想定されている。
【０００６】
物理報知チャネル（Physical Broadcast channel：ＰＢＣＨ）は、基地局から移動端末への下り送信用のチャネルである。ＢＣＨトランスポートブロック（transport block）は、４０ｍｓ間隔中の４個のサブフレームにマッピングされる。４０ｍｓタイミングの明白なシグナリングはない。
【０００７】
物理制御フォーマットインジケータチャネル（Physical Control Format Indicator Channel：ＰＣＦＩＣＨ）は、基地局から移動端末への下り送信用のチャネルである。ＰＣＦＩＣＨは、ＰＤＣＣＨｓのために用いるＯＦＤＭ（Orthogonal Frequency Division Multiplexing）シンボルの数について基地局から移動端末へ通知する。ＰＣＦＩＣＨは、サブフレーム毎に送信される。
【０００８】
物理下り制御チャネル（Physical Downlink Control Channel：ＰＤＣＣＨ）は、基地局から移動端末への下り送信用のチャネルである。ＰＤＣＣＨは、後述のトランスポートチャネルの１つである下り共有チャネル（Downlink Shared Channel：ＤＬ−ＳＣＨ）のリソース割り当て（allocation）情報、後述のトランスポートチャネルの１つであるページングチャネル（Paging Channel：ＰＣＨ）のリソース割り当て（allocation）情報、ＤＬ−ＳＣＨに関するＨＡＲＱ（Hybrid Automatic Repeat reQuest）情報を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。
【０００９】
物理下り共有チャネル（Physical Downlink Shared Channel：ＰＤＳＣＨ）は、基地局から移動端末への下り送信用のチャネルである。ＰＤＳＣＨには、トランスポートチャネルである下り共有チャネル（ＤＬ−ＳＣＨ）、およびトランスポートチャネルであるＰＣＨがマッピングされている。
【００１０】
物理マルチキャストチャネル（Physical Multicast Channel：ＰＭＣＨ）は、基地局から移動端末への下り送信用のチャネルである。ＰＭＣＨには、トランスポートチャネルであるマルチキャストチャネル（Multicast Channel：ＭＣＨ）がマッピングされている。
【００１１】
物理上り制御チャネル（Physical Uplink Control Channel：ＰＵＣＣＨ）は、移動端末から基地局への上り送信用のチャネルである。ＰＵＣＣＨは、下り送信に対する応答信号（response signal）であるＡｃｋ／Ｎａｃｋを運ぶ。ＰＵＣＣＨは、ＣＱＩ（Channel Quality Indicator）レポートを運ぶ。ＣＱＩとは、受信したデータの品質、もしくは通信路品質を示す品質情報である。またＰＵＣＣＨは、スケジューリングリクエスト（Scheduling Request：ＳＲ）を運ぶ。
【００１２】
物理上り共有チャネル（Physical Uplink Shared Channel：ＰＵＳＣＨ）は、移動端末から基地局への上り送信用のチャネルである。ＰＵＳＣＨには、トランスポートチャネルの１つである上り共有チャネル（Uplink Shared Channel：ＵＬ−ＳＣＨ）がマッピングされている。
【００１３】
物理ＨＡＲＱインジケータチャネル（Physical Hybrid ARQ Indicator Channel：ＰＨＩＣＨ）は、基地局から移動端末への下り送信用のチャネルである。ＰＨＩＣＨは、上り送信に対する応答信号であるＡｃｋ／Ｎａｃｋを運ぶ。物理ランダムアクセスチャネル（Physical Random Access Channel：ＰＲＡＣＨ）は、移動端末から基地局への上り送信用のチャネルである。ＰＲＡＣＨは、ランダムアクセスプリアンブル（random access preamble）を運ぶ。
【００１４】
下り参照信号（リファレンスシグナル（Reference Signal）：ＲＳ）は、ＬＴＥ方式の通信システムとして既知のシンボルである。以下の５種類の下りリファレンスシグナルが定義されている。セル固有参照信号（Cell-specific Reference Signals：ＣＲＳ）、ＭＢＳＦＮ参照信号（MBSFN reference signals）、ＵＥ固有参照信号（UE-specific reference signals）であるデータ復調用参照信号（Demodulation Reference Signal：ＤＭ−ＲＳ）、位置決定参照信号（Positioning Reference Signals：ＰＲＳ）、チャネル情報参照信号（Channel-State Information Reference Signals：ＣＳＩ−ＲＳ）。移動端末の物理レイヤの測定として、リファレンスシグナルの受信電力（Reference Signal Received Power：ＲＳＲＰ）測定がある。
【００１５】
非特許文献１（５章）に記載されるトランスポートチャネル（Transport channel）について、説明する。下りトランスポートチャネルのうち、報知チャネル（Broadcast Channel：ＢＣＨ）は、その基地局（セル）のカバレッジ全体に報知される。ＢＣＨは、物理報知チャネル（ＰＢＣＨ）にマッピングされる。
【００１６】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）のカバレッジ全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）ともいわれる。ＤＬ−ＳＣＨは、移動端末の低消費電力化のために移動端末の間欠受信（Discontinuous reception：ＤＲＸ）をサポートする。ＤＬ−ＳＣＨは、物理下り共有チャネル（ＰＤＳＣＨ）へマッピングされる。
【００１７】
ページングチャネル（Paging Channel：ＰＣＨ）は、移動端末の低消費電力を可能とするために移動端末のＤＲＸをサポートする。ＰＣＨは、基地局（セル）のカバレッジ全体への報知が要求される。ＰＣＨは、動的にトラフィックに利用できる物理下り共有チャネル（ＰＤＳＣＨ）のような物理リソースへマッピングされる。
【００１８】
マルチキャストチャネル（Multicast Channel：ＭＣＨ）は、基地局（セル）のカバレッジ全体への報知に使用される。ＭＣＨは、マルチセル送信におけるＭＢＭＳ（Multimedia Broadcast Multicast Service）サービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。
【００１９】
上りトランスポートチャネルのうち、上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。
【００２０】
ランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。
【００２１】
ＨＡＲＱについて説明する。ＨＡＲＱとは、自動再送要求（Automatic Repeat reQuest：ＡＲＱ）と誤り訂正（Forward Error Correction）との組合せにより、伝送路の通信品質を向上させる技術である。ＨＡＲＱには、通信品質が変化する伝送路に対しても、再送により誤り訂正が有効に機能するという利点がある。特に、再送にあたって初送の受信結果と再送の受信結果との合成をすることで、更なる品質向上を得ることも可能である。
【００２２】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。
【００２３】
非特許文献１（６章）に記載される論理チャネル（ロジカルチャネル：Logical channel）について、説明する。報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。
【００２４】
ページング制御チャネル（Paging Control Channel：ＰＣＣＨ）は、ページング情報（Paging Information）およびシステム情報（System Information）の変更を送信するための下りチャネルである。ＰＣＣＨは、移動端末のセルロケーションをネットワークが知らない場合に用いられる。論理チャネルであるＰＣＣＨは、トランスポートチャネルであるページングチャネル（ＰＣＨ）へマッピングされる。
【００２５】
共有制御チャネル（Common Control Channel：ＣＣＣＨ）は、移動端末と基地局との間の送信制御情報のためのチャネルである。ＣＣＣＨは、移動端末がネットワークとの間でＲＲＣ接続（connection）を有していない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。
【００２６】
マルチキャスト制御チャネル（Multicast Control Channel：ＭＣＣＨ）は、１対多の送信のための下りチャネルである。ＭＣＣＨは、ネットワークから移動端末への１つあるいはいくつかのＭＴＣＨ用のＭＢＭＳ制御情報の送信のために用いられる。ＭＣＣＨは、ＭＢＭＳ受信中の移動端末のみに用いられる。ＭＣＣＨは、トランスポートチャネルであるマルチキャストチャネル（ＭＣＨ）へマッピングされる。
【００２７】
個別制御チャネル（Dedicated Control Channel：ＤＣＣＨ）は、１対１にて、移動端末とネットワークとの間の個別制御情報を送信するチャネルである。ＤＣＣＨは、移動端末がＲＲＣ接続（connection）である場合に用いられる。ＤＣＣＨは、上りでは上り共有チャネル（ＵＬ−ＳＣＨ）へマッピングされ、下りでは下り共有チャネル（ＤＬ−ＳＣＨ）にマッピングされる。
【００２８】
個別トラフィックチャネル（Dedicated Traffic Channel：ＤＴＣＨ）は、ユーザ情報の送信のための個別移動端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。
【００２９】
マルチキャストトラフィックチャネル（Multicast Traffic channel：ＭＴＣＨ）は、ネットワークから移動端末へのトラフィックデータ送信のための下りチャネルである。ＭＴＣＨは、ＭＢＭＳ受信中の移動端末のみに用いられるチャネルである。ＭＴＣＨは、マルチキャストチャネル（ＭＣＨ）へマッピングされる。
【００３０】
ＣＧＩとは、セルグローバル識別子（Cell Global Identifier）のことである。ＥＣＧＩとは、Ｅ−ＵＴＲＡＮセルグローバル識別子（E-UTRAN Cell Global Identifier）のことである。ＬＴＥ、後述のＬＴＥ−Ａ（Long Term Evolution Advanced）およびＵＭＴＳ（Universal Mobile Telecommunication System）において、ＣＳＧ（Closed Subscriber Group）セルが導入される。
【００３１】
ＣＳＧ（Closed Subscriber Group）セルとは、利用可能な加入者をオペレータが特定しているセル（以下「特定加入者用セル」という場合がある）である。特定された加入者は、ＰＬＭＮ（Public Land Mobile Network）の１つ以上のセルにアクセスすることが許可される。特定された加入者がアクセスを許可されている１つ以上のセルを「ＣＳＧセル（ＣＳＧ  ｃｅｌｌ（ｓ））」と呼ぶ。ただし、ＰＬＭＮにはアクセス制限がある。
【００３２】
ＣＳＧセルは、固有のＣＳＧアイデンティティ（CSG identity：ＣＳＧ  ＩＤ；ＣＳＧ−ＩＤ）を報知し、ＣＳＧインジケーション（CSG Indication）にて「ＴＲＵＥ」を報知するＰＬＭＮの一部である。予め利用登録し、許可された加入者グループのメンバーは、アクセス許可情報であるところのＣＳＧ−ＩＤを用いてＣＳＧセルにアクセスする。
【００３３】
ＣＳＧ−ＩＤは、ＣＳＧセルまたはセルによって報知される。ＬＴＥ方式の通信システムにＣＳＧ−ＩＤは複数存在する。そして、ＣＳＧ−ＩＤは、ＣＳＧ関連のメンバーのアクセスを容易にするために、移動端末（ＵＥ）によって使用される。
【００３４】
移動端末の位置追跡は、１つ以上のセルからなる区域を単位に行われる。位置追跡は、待受け状態であっても移動端末の位置を追跡し、移動端末を呼び出す、換言すれば移動端末が着呼することを可能にするために行われる。この移動端末の位置追跡のための区域をトラッキングエリアと呼ぶ。
【００３５】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、およびＥ−ＵＴＲＡＮにおけるＨｅＮＢは、例えば家庭、法人、商業用のアクセスサービス向けの基地局である。非特許文献３には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）とが開示されている。
【００３６】
各々のモードは、以下のような特徴を有する。オープンアクセスモードでは、ＨｅＮＢおよびＨＮＢは、通常のオペレータのノーマルセルとして操作される。クローズドアクセスモードでは、ＨｅＮＢおよびＨＮＢは、ＣＳＧセルとして操作される。このＣＳＧセルは、ＣＳＧメンバーのみアクセス可能なＣＳＧセルである。ハイブリッドアクセスモードでは、ＨｅＮＢおよびＨＮＢは、非ＣＳＧメンバーも同時にアクセス許可されているＣＳＧセルとして操作される。言い換えれば、ハイブリッドアクセスモードのセル（ハイブリッドセルとも称する）は、オープンアクセスモードとクローズドアクセスモードとの両方をサポートするセルである。
【００３７】
３ＧＰＰでは、全ての物理セル識別子（Physical Cell Identity：ＰＣＩ）のうち、ＣＳＧセルで使用するためにネットワークによって予約されたＰＣＩ範囲がある（非特許文献１  １０．５．１．１章参照）。ＰＣＩ範囲を分割することをＰＣＩスプリットと称することがある。ＰＣＩスプリットに関する情報（ＰＣＩスプリット情報とも称する）は、システム情報によって基地局から傘下の移動端末に対して報知される。基地局の傘下とは、該基地局をサービングセルとすることを意味する。
【００３８】
非特許文献４は、ＰＣＩスプリットを用いた移動端末の基本動作を開示する。ＰＣＩスプリット情報を有していない移動端末は、全ＰＣＩを用いて、例えば５０４コード全てを用いて、セルサーチを行う必要がある。これに対して、ＰＣＩスプリット情報を有する移動端末は、当該ＰＣＩスプリット情報を用いてセルサーチを行うことが可能である。
【００３９】
また３ＧＰＰでは、リリース１０として、ロングタームエボリューションアドヴァンスド（Long Term Evolution Advanced：ＬＴＥ−Ａ）の規格策定が進められている（非特許文献５、非特許文献６参照）。ＬＴＥ−Ａは、ＬＴＥの無線区間通信方式を基本とし、それにいくつかの新技術を加えて構成される。
【００４０】
ＬＴＥ−Ａシステムでは、１００ＭＨｚまでのより広い周波数帯域幅（transmission bandwidths）をサポートするために、二つ以上のコンポーネントキャリア（Component Carrier：ＣＣ）を集約する（「アグリゲーション（aggregation）する」とも称する）、キャリアアグリゲーション（Carrier Aggregation：ＣＡ）が検討されている。
【００４１】
ＣＡが構成される場合、ＵＥはネットワーク（Network：ＮＷ）と唯一つのＲＲＣ接続（RRC connection）を有する。ＲＲＣ接続において、一つのサービングセルがＮＡＳモビリティ情報とセキュリティ入力を与える。このセルをプライマリセル（Primary Cell：ＰＣｅｌｌ）と呼ぶ。下りリンクで、ＰＣｅｌｌに対応するキャリアは、下りプライマリコンポーネントキャリア（Downlink Primary Component Carrier：ＤＬ  ＰＣＣ）である。上りリンクで、ＰＣｅｌｌに対応するキャリアは、上りプライマリコンポーネントキャリア（Uplink Primary Component Carrier：ＵＬ  ＰＣＣ）である。
【００４２】
ＵＥの能力（ケーパビリティ（capability））に応じて、セカンダリセル（Secondary Cell：ＳＣｅｌｌ）が、ＰＣｅｌｌとサービングセルとの組を形成するために構成される。下りリンクで、ＳＣｅｌｌに対応するキャリアは、下りセカンダリコンポーネントキャリア（Downlink Secondary Component Carrier：ＤＬ  ＳＣＣ）である。上りリンクで、ＳＣｅｌｌに対応するキャリアは、上りセカンダリコンポーネントキャリア（Uplink Secondary Component Carrier：ＵＬ  ＳＣＣ）である。
【００４３】
一つのＵＥに対して、一つのＰＣｅｌｌと、一つ以上のＳＣｅｌｌからなるサービングセルとの組が構成される。
【００４４】
また、ＬＴＥ−Ａでの新技術としては、より広い帯域をサポートする技術（Wider bandwidth extension）、および多地点協調送受信（Coordinated Multiple Point transmission and reception：ＣｏＭＰ）技術などがある。３ＧＰＰでＬＴＥ−Ａのために検討されているＣｏＭＰについては、非特許文献７に記載されている。
【００４５】
また、３ＧＰＰにおいて、リリース１２版の規格書の策定が進められている。この中で、将来の膨大なトラフィックに対応するために、スモールセルを構成するスモールｅＮＢを用いることが検討されている。例えば、多数のスモールｅＮＢを設置して、多数のスモールセルを構成することによって、周波数利用効率を高めて、通信容量の増大を図る技術などが検討されている。
【００４６】
モバイルネットワークのトラフィック量は、増加傾向にあり、通信速度も高速化が進んでいる。ＬＴＥおよびＬＴＥ−Ａが本格的に運用を開始されると、更に通信速度が高速化され、トラフィック量が増加することが見込まれる。
【先行技術文献】
【非特許文献】
【００４７】
【非特許文献１】３ＧＰＰ  ＴＳ３６．３００  Ｖ１１．５．０
【非特許文献２】３ＧＰＰ  ＴＳ３６．３０４  Ｖ１１．１．０
【非特許文献３】３ＧＰＰ  Ｓ１−０８３４６１
【非特許文献４】３ＧＰＰ  Ｒ２−０８２８９９
【非特許文献５】３ＧＰＰ  ＴＲ  ３６．８１４  Ｖ９．０．０
【非特許文献６】３ＧＰＰ  ＴＲ  ３６．９１２  Ｖ１０．０．０
【非特許文献７】３ＧＰＰ  ＴＲ  ３６．８１９  Ｖ１１．１．０
【非特許文献８】３ＧＰＰ  ＴＳ  ３６．１４１  Ｖ１１．１．０
【非特許文献９】３ＧＰＰ  Ｒ１−１３１５３０
【非特許文献１０】３ＧＰＰ  ＴＳ３６．３３１  Ｖ１１．３．０
【非特許文献１１】３ＧＰＰ  ＴＲ３６．８４２  Ｖ０．２．０
【非特許文献１２】３ＧＰＰ  ＴＳ３７．３２０  Ｖ１１．３．０
【発明の概要】
【発明が解決しようとする課題】
【００４８】
多数のスモールセルを設置した場合、ＵＥは、セル再選択のためのメジャメント、またはハンドオーバのためのメジャメントにおいて、多くのセルを測定しなければならないので、メジャメントに多大な時間を要する。
【００４９】
その反面、スモールセルは、マクロセルに比べて、セル半径が小さく、カバレッジ範囲が小さいので、ＵＥが移動する場合、ＵＥがマクロセルに滞留する時間に比べて、ＵＥがスモールセルに滞留する時間は短くなる。
【００５０】
したがって、セル再選択先としての最適なセル、またはハンドオーバ先としての最適なセルを検出することができず、セル再選択およびハンドオーバが正常に行われずに失敗するおそれが高くなる。
【００５１】
セル再選択およびハンドオーバを正常に行わせるためには、多数のスモールセルが設置される構成において、ＵＥの移動に対応可能なモビリティ（mobility）性能を有する通信システムが求められる。前述の非特許文献１〜１２には、このような通信システムについては開示されていない。
【００５２】
本発明の目的は、多数のスモールセルが設置される構成において、通信端末装置の移動に対応可能なモビリティ性能を有する通信システムを提供することである。
【課題を解決するための手段】
【００５３】
本発明の通信システムは、１つまたは複数の基地局装置を含むネットワーク側装置によって構成されるネットワークを介して、複数の通信端末装置が無線通信を行う通信システムであって、前記１つまたは複数の基地局装置によって構成され、前記複数の通信端末装置と接続されて前記複数の通信端末装置と無線通信を行う複数のセルを備え、前記複数のセルは、複数のグループにグループ化されており、前記複数の通信端末装置のうちの一の通信端末装置は、（ａ）待受け状態である場合、自装置が在圏しているセルの属するグループ、および自装置が在圏しているセルの属するグループと異なるグループのいずれかを選択し、選択したグループに属するセルに対して、再選択先のセルを選択するための測定を行い、（ｂ）接続状態である場合、自装置が接続しているセルの属するグループ、および自装置が接続しているセルの属するグループと異なるグループのいずれかを選択し、選択したグループに属するセルに対して、ハンドオーバのための測定を行い、前記一の通信端末装置は、測定対象の前記グループを、前記複数のグループの優先順位に基づいて選択することを特徴とする。
【００５４】
また、本発明の通信システムは、１つまたは複数の基地局装置を含むネットワーク側装置によって構成されるネットワークを介して、複数の通信端末装置が無線通信を行う通信システムであって、前記１つまたは複数の基地局装置によって構成され、前記複数の通信端末装置と接続されて前記複数の通信端末装置と無線通信を行う複数のセルを備え、前記複数のセルは、複数のグループにグループ化されており、前記複数の通信端末装置のうちの一の通信端末装置は、（ａ）待受け状態である場合、自装置が在圏しているセルの属するグループ、および自装置が在圏しているセルの属するグループと異なるグループのいずれかを選択し、選択したグループに属するセルに対して、再選択先のセルを選択するための測定を行い、（ｂ）接続状態である場合、自装置が接続しているセルの属するグループ、および自装置が接続しているセルの属するグループと異なるグループのいずれかを選択し、選択したグループに属するセルに対して、ハンドオーバのための測定を行い、前記一の通信端末装置は、測定対象の前記グループを、前記複数のグループの負荷情報または前記複数のグループの規制情報に基づいて選択することを特徴とする。
【発明の効果】
【００５５】
本発明の通信システムによれば、通信端末装置が待受け状態である場合、通信端末装置が在圏しているセルの属するグループ、およびそのグループとは異なるグループのいずれかが選択され、選択されたグループに属するセルに対して、再選択先のセルを選択するための測定が行われる。通信端末装置が接続状態である場合、通信端末装置が接続しているセルの属するグループ、およびそのグループとは異なるグループのいずれかが選択され、選択されたグループに属するセルに対して、ハンドオーバのための測定が行われる。
【００５６】
このように、通信端末装置が測定を行うセルは、通信端末装置が選択したグループに属するセルに限定される。これによって、複数のセルとして、比較的小さいカバレッジを有するスモールセルが多数設置される構成において、通信端末装置が比較的高速で移動する場合でも、再選択またはハンドオーバに適したセルを検出することが可能となる。したがって、多数のスモールセルが設置される構成において、通信端末装置の移動に対応可能なモビリティ性能を有する通信システムを提供することができる。
【００５７】
本発明の目的、特徴、態様、および利点は、以下の詳細な説明と添付図面とによって、より明白となる。
【図面の簡単な説明】
【００５８】
【図１】ＬＴＥ方式の通信システムで使用される無線フレームの構成を示す説明図である。
【図２】３ＧＰＰにおいて議論されているＬＴＥ方式の通信システム７００の全体的な構成を示すブロック図である。
【図３】本発明に係る移動端末である図２に示す移動端末７１の構成を示すブロック図である。
【図４】本発明に係る基地局である図２に示す基地局７２の構成を示すブロック図である。
【図５】本発明に係るＭＭＥの構成を示すブロック図である。
【図６】ＬＴＥ方式の通信システムにおいて移動端末（ＵＥ）が行うセルサーチから待ち受け動作までの概略を示すフローチャートである。
【図７】マクロｅＮＢとスモールｅＮＢとが混在する場合のセルの構成の概念を示す図である。
【図８】セルをグループ化した場合における在圏すべきセルグループ間の移行の概念を示す図である。
【図９】システムとして固定してセルのグループ化を行う場合の概念を示す図である。
【図１０】システムとして準静的に決定してセルのグループ化を行う場合の概念を示す図である。
【図１１】実施の形態１における通信システムのシーケンスの一例を示す図である。
【図１２】移行判定閾値の具体例の概念を示すグラフである。
【図１３】実施の形態１の変形例１におけるＩｄｌｅモードのＵＥの処理手順を示すフローチャートである。
【図１４】実施の形態１の変形例１におけるＩｄｌｅモードのＵＥの処理手順を示すフローチャートである。
【図１５】実施の形態１の変形例１におけるＩｄｌｅモードのＵＥの処理手順を示すフローチャートである。
【図１６】移行判定閾値の具体例の概念を示すグラフである。
【図１７】実施の形態１の変形例２におけるＩｄｌｅモードのＵＥの処理手順を示すフローチャートである。
【図１８】実施の形態１の変形例２におけるＩｄｌｅモードのＵＥの処理手順を示すフローチャートである。
【図１９】実施の形態１の変形例３におけるＩｄｌｅモードのＵＥの処理手順を示すフローチャートである。
【図２０】仮想マクロセルを構成するＳＣＧの概念を説明するための図である。
【図２１】スモールセルで使用される物理リソースの一例を示す図である。
【図２２】仮想マクロセルモードおよび個別セルモードの両運用を行う場合の通信システムのアーキテクチャの一例を示す図である。
【図２３】個別セルモードの運用を行う場合の通信システムのアーキテクチャの一例を示す図である。
【図２４】仮想マクロセルモードおよび個別セルモードの両運用を行う場合の通信システムのアーキテクチャの他の例を示す図である。
【図２５】実施の形態１の通信システムにおけるＨＯ処理のシーケンスの一例を示す図である。
【図２６】実施の形態１の通信システムにおけるＨＯ処理のシーケンスの一例を示す図である。
【図２７】実施の形態１の通信システムにおけるＨＯ処理のシーケンスの一例を示す図である。
【図２８】ＳＣＧ端のスモールセル配置をオーバラップさせない場合のＳＣＧ端におけるオーバラップエリアの概念を説明するための図である。
【図２９】ＳＣＧ端のスモールセル配置をオーバラップさせた場合のＳＣＧ端におけるオーバラップエリアの概念を説明するための図である。
【図３０】実施の形態２の変形例２における通信システムのシーケンスの一例を示す図である。
【図３１】実施の形態２の変形例２における通信システムのシーケンスの一例を示す図である。
【図３２】実施の形態２の変形例２における通信システムのシーケンスの他の例を示す図である。
【図３３】ＳＣＧ内の各セルが４つのアンテナを有する場合の構成を説明するための図である。
【図３４】従来の緊急情報通知システムを、デュアルコネクティビティを行っているＵＥに適用した場合のシーケンスを示す図である。
【図３５】実施の形態３における緊急情報通知システムのシーケンスの一例を示す図である。
【図３６】実施の形態３における緊急情報通知システムのシーケンスの他の例を示す図である。
【図３７】実施の形態３の変形例１における通信システムのシーケンスの一例を示す図である。
【図３８】実施の形態３の変形例１における通信システムのシーケンスの他の例を示す図である。
【図３９】実施の形態４における通信システムのシーケンスの一例を示す図である。
【図４０】実施の形態４の変形例１における通信システムのシーケンスの一例を示す図である。
【図４１】実施の形態４の変形例２における通信システムのシーケンスの一例を示す図である。
【図４２】ＭＢＭＳについて説明するための図である。
【図４３】実施の形態５における通信システムのシーケンスの一例を示す図である。
【図４４】実施の形態５における通信システムのシーケンスの他の例を示す図である。
【図４５】従来のＵＥが行うセルサーチから待ち受け動作までの概略を示すフローチャートである。
【図４６】実施の形態５におけるＵＥの動作の処理手順の一例を示すフローチャートである。
【図４７】実施の形態５におけるＵＥの動作の処理手順の一例を示すフローチャートである。
【図４８】実施の形態５におけるＵＥの動作の処理手順の一例を示すフローチャートである。
【図４９】実施の形態５におけるＵＥの動作の処理手順の他の例を示すフローチャートである。
【図５０】実施の形態５におけるＵＥの動作の処理手順の他の例を示すフローチャートである。
【図５１】実施の形態５におけるＵＥの動作の処理手順の他の例を示すフローチャートである。
【図５２】実施の形態５におけるＵＥの動作の処理手順の他の例を示すフローチャートである。
【図５３】実施の形態５におけるＵＥの動作の処理手順の他の例を示すフローチャートである。
【発明を実施するための形態】
【００５９】
実施の形態１．
図２は、３ＧＰＰにおいて議論されているＬＴＥ方式の通信システム７００の全体的な構成を示すブロック図である。図２について説明する。無線アクセスネットワークは、Ｅ−ＵＴＲＡＮ（Evolved Universal Terrestrial Radio Access Network）７０と称される。通信端末装置である移動端末装置（以下「移動端末（User Equipment：ＵＥ）」という）７１は、基地局装置（以下「基地局（E-UTRAN NodeB：ｅＮＢ）」という）７２と無線通信可能であり、無線通信で信号の送受信を行う。
【００６０】
移動端末７１に対する制御プロトコル、例えばＲＲＣ（Radio Resource Control）と、ユーザプレイン、例えばＰＤＣＰ（Packet Data Convergence Protocol）、ＲＬＣ（Radio Link Control）、ＭＡＣ（Medium Access Control）、ＰＨＹ（Physical layer）とが基地局７２で終端するならば、Ｅ−ＵＴＲＡＮは１つあるいは複数の基地局７２によって構成される。
【００６１】
移動端末７１と基地局７２との間の制御プロトコルＲＲＣ（Radio Resource Control）は、報知（Broadcast）、ページング（paging）、ＲＲＣ接続マネージメント（RRC connection management）などを行う。ＲＲＣにおける基地局７２と移動端末７１との状態として、ＲＲＣ＿ＩＤＬＥと、ＲＲＣ＿ＣＯＮＮＥＣＴＥＤとがある。
【００６２】
ＲＲＣ＿ＩＤＬＥでは、ＰＬＭＮ（Public Land Mobile Network）選択、システム情報（System Information：ＳＩ）の報知、ページング（paging）、セル再選択（cell re-selection）、モビリティなどが行われる。ＲＲＣ＿ＣＯＮＮＥＣＴＥＤでは、移動端末はＲＲＣ接続（connection）を有し、ネットワークとのデータの送受信を行うことができる。またＲＲＣ＿ＣＯＮＮＥＣＴＥＤでは、ハンドオーバ（Handover：ＨＯ）、隣接セル（Neighbour cell）の測定（メジャメント（measurement））などが行われる。
【００６３】
基地局７２は、ｅＮＢ７６と、Ｈｏｍｅ−ｅＮＢ７５とに分類される。通信システム７００は、複数のｅＮＢ７６を含むｅＮＢ群７２−１と、複数のＨｏｍｅ−ｅＮＢ７５を含むＨｏｍｅ−ｅＮＢ群７２−２とを備える。またコアネットワークであるＥＰＣ（Evolved Packet Core）と、無線アクセスネットワークであるＥ−ＵＴＲＡＮ７０とで構成されるシステムは、ＥＰＳ（Evolved Packet System）と称される。コアネットワークであるＥＰＣと、無線アクセスネットワークであるＥ−ＵＴＲＡＮ７０とを合わせて、「ネットワーク」という場合がある。
【００６４】
ｅＮＢ７６は、移動管理エンティティ（Mobility Management Entity：ＭＭＥ）、あるいはＳ−ＧＷ（Serving Gateway）、あるいはＭＭＥおよびＳ−ＧＷを含むＭＭＥ／Ｓ−ＧＷ部（以下「ＭＭＥ部」という場合がある）７３とＳ１インタフェースにより接続され、ｅＮＢ７６とＭＭＥ部７３との間で制御情報が通信される。一つのｅＮＢ７６に対して、複数のＭＭＥ部７３が接続されてもよい。ｅＮＢ７６間は、Ｘ２インタフェースにより接続され、ｅＮＢ７６間で制御情報が通信される。
【００６５】
Ｈｏｍｅ−ｅＮＢ７５は、ＭＭＥ部７３とＳ１インタフェースにより接続され、Ｈｏｍｅ−ｅＮＢ７５とＭＭＥ部７３との間で制御情報が通信される。一つのＭＭＥ部７３に対して、複数のＨｏｍｅ−ｅＮＢ７５が接続される。あるいは、Ｈｏｍｅ−ｅＮＢ７５は、ＨｅＮＢＧＷ（Home-eNB GateWay）７４を介してＭＭＥ部７３と接続される。Ｈｏｍｅ−ｅＮＢ７５とＨｅＮＢＧＷ７４とは、Ｓ１インタフェースにより接続され、ＨｅＮＢＧＷ７４とＭＭＥ部７３とはＳ１インタフェースを介して接続される。
【００６６】
一つまたは複数のＨｏｍｅ−ｅＮＢ７５が一つのＨｅＮＢＧＷ７４と接続され、Ｓ１インタフェースを通して情報が通信される。ＨｅＮＢＧＷ７４は、一つまたは複数のＭＭＥ部７３と接続され、Ｓ１インタフェースを通して情報が通信される。
【００６７】
ＭＭＥ部７３およびＨｅＮＢＧＷ７４は、上位装置、具体的には上位ノードであり、基地局であるｅＮＢ７６およびＨｏｍｅ−ｅＮＢ７５と、移動端末（ＵＥ）７１との接続を制御する。ＭＭＥ部７３は、コアネットワークであるＥＰＣを構成する。基地局７２およびＨｅＮＢＧＷ７４は、Ｅ−ＵＴＲＡＮ７０を構成する。
【００６８】
さらに３ＧＰＰでは、以下のような構成が検討されている。Ｈｏｍｅ−ｅＮＢ７５間のＸ２インタフェースはサポートされる。すなわち、Ｈｏｍｅ−ｅＮＢ７５間は、Ｘ２インタフェースにより接続され、Ｈｏｍｅ−ｅＮＢ７５間で制御情報が通信される。ＭＭＥ部７３からは、ＨｅＮＢＧＷ７４はＨｏｍｅ−ｅＮＢ７５として見える。Ｈｏｍｅ−ｅＮＢ７５からは、ＨｅＮＢＧＷ７４はＭＭＥ部７３として見える。
【００６９】
Ｈｏｍｅ−ｅＮＢ７５が、ＨｅＮＢＧＷ７４を介してＭＭＥ部７３に接続される場合および直接ＭＭＥ部７３に接続される場合のいずれの場合も、Ｈｏｍｅ−ｅＮＢ７５とＭＭＥ部７３との間のインタフェースは、Ｓ１インタフェースで同じである。
【００７０】
基地局装置７２は、１つのセルを構成してもよいし、複数のセルを構成してもよい。各セルは、通信端末装置と通信可能な範囲であるカバレッジとして予め定める範囲を有し、カバレッジ内で通信端末装置と無線通信を行う。１つの基地局装置が複数のセルを構成する場合、１つ１つのセルが、移動端末と通信可能に構成される。
【００７１】
図３は、本発明に係る移動端末である図２に示す移動端末７１の構成を示すブロック図である。図３に示す移動端末７１の送信処理を説明する。まず、プロトコル処理部８０１からの制御データ、およびアプリケーション部８０２からのユーザデータが、送信データバッファ部８０３へ保存される。送信データバッファ部８０３に保存されたデータは、エンコーダー部８０４へ渡され、誤り訂正などのエンコード処理が施される。エンコード処理を施さずに、送信データバッファ部８０３から変調部８０５へ直接出力されるデータが存在してもよい。エンコーダー部８０４でエンコード処理されたデータは、変調部８０５にて変調処理が行われる。変調されたデータは、ベースバンド信号に変換された後、周波数変換部８０６へ出力され、無線送信周波数に変換される。その後、アンテナ８０７から基地局７２に送信信号が送信される。
【００７２】
また、移動端末７１の受信処理は、以下のように実行される。基地局７２からの無線信号がアンテナ８０７により受信される。受信信号は、周波数変換部８０６にて無線受信周波数からベースバンド信号に変換され、復調部８０８において復調処理が行われる。復調後のデータは、デコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末７１の一連の処理は、制御部８１０によって制御される。よって制御部８１０は、図３では省略しているが、各部８０１〜８０９と接続している。
【００７３】
図４は、本発明に係る基地局である図２に示す基地局７２の構成を示すブロック図である。図４に示す基地局７２の送信処理を説明する。ＥＰＣ通信部９０１は、基地局７２とＥＰＣ（ＭＭＥ部７３など）、ＨｅＮＢＧＷ７４などとの間のデータの送受信を行う。他基地局通信部９０２は、他の基地局との間のデータの送受信を行う。ＥＰＣ通信部９０１および他基地局通信部９０２は、それぞれプロトコル処理部９０３と情報の受け渡しを行う。プロトコル処理部９０３からの制御データ、ならびにＥＰＣ通信部９０１および他基地局通信部９０２からのユーザデータおよび制御データは、送信データバッファ部９０４へ保存される。
【００７４】
送信データバッファ部９０４に保存されたデータは、エンコーダー部９０５へ渡され、誤り訂正などのエンコード処理が施される。エンコード処理を施さずに、送信データバッファ部９０４から変調部９０６へ直接出力されるデータが存在してもよい。エンコードされたデータは、変調部９０６にて変調処理が行われる。変調されたデータは、ベースバンド信号に変換された後、周波数変換部９０７へ出力され、無線送信周波数に変換される。その後、アンテナ９０８より一つもしくは複数の移動端末７１に対して送信信号が送信される。
【００７５】
また、基地局７２の受信処理は以下のように実行される。一つもしくは複数の移動端末７１からの無線信号が、アンテナ９０８により受信される。受信信号は、周波数変換部９０７にて無線受信周波数からベースバンド信号に変換され、復調部９０９で復調処理が行われる。復調されたデータは、デコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１および他基地局通信部９０２へ渡される。基地局７２の一連の処理は、制御部９１１によって制御される。よって制御部９１１は、図４では省略しているが、各部９０１〜９１０と接続している。
【００７６】
図５は、本発明に係るＭＭＥの構成を示すブロック図である。図５では、前述の図２に示すＭＭＥ部７３に含まれるＭＭＥ７３ａの構成を示す。ＰＤＮ  ＧＷ通信部１００１は、ＭＭＥ７３ａとＰＤＮ  ＧＷとの間のデータの送受信を行う。基地局通信部１００２は、ＭＭＥ７３ａと基地局７２との間のＳ１インタフェースによるデータの送受信を行う。ＰＤＮ  ＧＷから受信したデータがユーザデータであった場合、ユーザデータは、ＰＤＮ  ＧＷ通信部１００１から、ユーザプレイン通信部１００３経由で基地局通信部１００２に渡され、１つあるいは複数の基地局７２へ送信される。基地局７２から受信したデータがユーザデータであった場合、ユーザデータは、基地局通信部１００２から、ユーザプレイン通信部１００３経由でＰＤＮ  ＧＷ通信部１００１に渡され、ＰＤＮ  ＧＷへ送信される。
【００７７】
ＰＤＮ  ＧＷから受信したデータが制御データであった場合、制御データは、ＰＤＮ  ＧＷ通信部１００１から制御プレイン制御部１００５へ渡される。基地局７２から受信したデータが制御データであった場合、制御データは、基地局通信部１００２から制御プレイン制御部１００５へ渡される。
【００７８】
ＨｅＮＢＧＷ通信部１００４は、ＨｅＮＢＧＷ７４が存在する場合に設けられ、情報種別によって、ＭＭＥ７３ａとＨｅＮＢＧＷ７４との間のインタフェース（ＩＦ）によるデータの送受信を行う。ＨｅＮＢＧＷ通信部１００４から受信した制御データは、ＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００７９】
制御プレイン制御部１００５には、ＮＡＳセキュリティ部１００５−１、ＳＡＥベアラコントロール部１００５−２、アイドルステート（Idle State）モビリティ管理部１００５−３などが含まれ、制御プレインに対する処理全般を行う。ＮＡＳセキュリティ部１００５−１は、ＮＡＳ（Non-Access Stratum）メッセージのセキュリティなどを行う。ＳＡＥベアラコントロール部１００５−２は、ＳＡＥ（System Architecture Evolution）のベアラの管理などを行う。アイドルステートモビリティ管理部１００５−３は、待受け状態（アイドルステート（Idle State）；ＬＴＥ−ＩＤＬＥ状態、または、単にアイドルとも称される）のモビリティ管理、待受け状態時のページング信号の生成および制御、傘下の１つあるいは複数の移動端末７１のトラッキングエリアの追加、削除、更新、検索、トラッキングエリアリスト管理などを行う。
【００８０】
ＭＭＥ７３ａは、１つまたは複数の基地局７２に対して、ページング信号の分配を行う。また、ＭＭＥ７３ａは、待受け状態（Idle State）のモビリティ制御（Mobility control）を行う。ＭＭＥ７３ａは、移動端末が待ち受け状態のとき、および、アクティブ状態（Active State）のときに、トラッキングエリア（Tracking Area）リストの管理を行う。ＭＭＥ７３ａは、ＵＥが登録されている（registered）追跡領域（トラッキングエリア：Tracking Area）に属するセルへ、ページングメッセージを送信することで、ページングプロトコルに着手する。ＭＭＥ７３ａに接続されるＨｏｍｅ−ｅＮＢ７５のＣＳＧの管理やＣＳＧ−ＩＤの管理、そしてホワイトリスト管理は、アイドルステートモビリティ管理部１００５−３で行ってもよい。
【００８１】
次に通信システムにおけるセルサーチ方法の一例を示す。図６は、ＬＴＥ方式の通信システムにおいて移動端末（ＵＥ）が行うセルサーチから待ち受け動作までの概略を示すフローチャートである。移動端末は、セルサーチを開始すると、ステップＳＴ１２０１で、周辺の基地局から送信される第一同期信号（Ｐ−ＳＳ）、および第二同期信号（Ｓ−ＳＳ）を用いて、スロットタイミング、フレームタイミングの同期をとる。
【００８２】
Ｐ−ＳＳとＳ−ＳＳとを合わせて、同期信号（ＳＳ）という。同期信号（ＳＳ）には、セル毎に割り当てられたＰＣＩに１対１に対応するシンクロナイゼーションコードが割り当てられている。ＰＣＩの数は５０４通りが検討されている。この５０４通りのＰＣＩを用いて同期をとるとともに、同期がとれたセルのＰＣＩを検出（特定）する。
【００８３】
次に同期がとれたセルに対して、ステップＳＴ１２０２で、基地局からセル毎に送信される参照信号（リファレンスシグナル：ＲＳ）であるセル固有参照信号（Cell-specific Reference Signal：ＣＲＳ）を検出し、ＲＳの受信電力（Reference Signal Received Power：ＲＳＲＰ）の測定を行う。参照信号（ＲＳ）には、ＰＣＩと１対１に対応したコードが用いられている。そのコードで相関をとることによって他セルと分離できる。ステップＳＴ１２０１で特定したＰＣＩから、該セルのＲＳ用のコードを導出することによって、ＲＳを検出し、ＲＳの受信電力を測定することが可能となる。
【００８４】
次にステップＳＴ１２０３で、ステップＳＴ１２０２までで検出された一つ以上のセルの中から、ＲＳの受信品質が最もよいセル、例えば、ＲＳの受信電力が最も高いセル、つまりベストセルを選択する。
【００８５】
次にステップＳＴ１２０４で、ベストセルのＰＢＣＨを受信して、報知情報であるＢＣＣＨを得る。ＰＢＣＨ上のＢＣＣＨには、セル構成情報が含まれるＭＩＢ（Master Information Block）がマッピングされる。したがってＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【００８６】
次にステップＳＴ１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報や、セルセレクションに関する情報、他のＳＩＢ（ＳＩＢｋ；ｋ≧２の整数）のスケジューリング情報が含まれる。また、ＳＩＢ１には、トラッキングエリアコード（Tracking Area Code：ＴＡＣ）が含まれる。
【００８７】
次にステップＳＴ１２０６で、移動端末は、ステップＳＴ１２０５で受信したＳＩＢ１のＴＡＣと、移動端末が既に保有しているトラッキングエリアリスト内のトラッキングエリア識別子（Tracking Area Identity：ＴＡＩ）のＴＡＣ部分とを比較する。トラッキングエリアリストは、ＴＡＩリスト（TAI list）とも称される。ＴＡＩはトラッキングエリアを識別するための識別情報であり、ＭＣＣ（Mobile Country Code）と、ＭＮＣ（Mobile Network Code）と、ＴＡＣ（Tracking Area Code）とによって構成される。ＭＣＣは国コードである。ＭＮＣはネットワークコードである。ＴＡＣはトラッキングエリアのコード番号である。
【００８８】
移動端末は、ステップＳＴ１２０６で比較した結果、ステップＳＴ１２０５で受信したＴＡＣがトラッキングエリアリスト内に含まれるＴＡＣと同じならば、該セルで待ち受け動作に入る。比較して、ステップＳＴ１２０５で受信したＴＡＣがトラッキングエリアリスト内に含まれなければ、移動端末は、該セルを通して、ＭＭＥなどが含まれるコアネットワーク（Core Network，ＥＰＣ）へ、ＴＡＵ（Tracking Area Update）を行うためにトラッキングエリアの変更を要求する。
【００８９】
コアネットワークを構成する装置（以下「コアネットワーク側装置」という場合がある）は、ＴＡＵ要求信号とともに移動端末から送られてくる該移動端末の識別番号（ＵＥ−ＩＤなど）をもとに、トラッキングエリアリストの更新を行う。コアネットワーク側装置は、移動端末に更新後のトラッキングエリアリストを送信する。移動端末は、受信したトラッキングエリアリストに基づいて、移動端末が保有するＴＡＣリストを書き換える（更新する）。その後、移動端末は、該セルで待ち受け動作に入る。
【００９０】
スマートフォンおよびタブレット端末の普及によって、セルラー系無線通信によるトラフィックが爆発的に増大しており、世界中で無線リソースの不足が懸念されている。これに対応して周波数利用効率を高めるために、小セル化し、空間分離を進めることが検討されている。
【００９１】
従来のセルの構成では、ｅＮＢによって構成されるセルは、比較的広い範囲のカバレッジを有する。従来は、複数のｅＮＢによって構成される複数のセルの比較的広い範囲のカバレッジによって、あるエリアを覆うように、セルが構成されている。
【００９２】
小セル化された場合、ｅＮＢによって構成されるセルは、従来のｅＮＢによって構成されるセルのカバレッジに比べて範囲が狭いカバレッジを有する。したがって、従来と同様に、あるエリアを覆うためには、従来のｅＮＢに比べて、多数の小セル化されたｅＮＢが必要となる。
【００９３】
以下の説明では、従来のｅＮＢによって構成されるセルのように、比較的広い範囲のカバレッジを構成するセル、すなわちカバレッジエリアが比較的広いセルを「マクロセル」といい、マクロセルを構成するｅＮＢを「マクロｅＮＢ」という。また、小セル化されたセルのように、比較的狭い範囲のカバレッジを構成するセル、すなわちカバレッジエリアが比較的狭いセルを「スモールセル」といい、スモールセルを構成するｅＮＢを「スモールｅＮＢ」という。
【００９４】
マクロｅＮＢは、例えば、非特許文献８に記載される「ワイドエリア基地局（Wide Area Base Station）」であってもよい。
【００９５】
スモールｅＮＢは、例えば、ローパワーノード、ローカルエリアノード、ホットスポットなどであってもよい。また、スモールｅＮＢは、ピコセルを構成するピコｅＮＢ、フェムトセルを構成するフェムトｅＮＢ、ＨｅＮＢ、ＲＲＨ（Remote Radio Head）、ＲＲＵ（Remote Radio Unit）、ＲＲＥ（Remote Radio Equipment）またはＲＮ（Relay Node）であってもよい。また、スモールｅＮＢは、非特許文献８に記載される「ローカルエリア基地局（Local Area Base Station）」または「ホーム基地局（Home Base Station）」であってもよい。
【００９６】
図７は、マクロｅＮＢとスモールｅＮＢとが混在する場合のセルの構成の概念を示す図である。マクロｅＮＢによって構成されるマクロセルは、比較的広い範囲のカバレッジ１３０１を有する。スモールｅＮＢによって構成されるスモールセルは、マクロｅＮＢ（マクロセル）のカバレッジ１３０１に比べて範囲が狭いカバレッジ１３０２を有する。
【００９７】
複数のｅＮＢが混在する場合、あるｅＮＢによって構成されるセルのカバレッジが、他のｅＮＢによって構成されるセルのカバレッジ内に含まれる場合がある。図７に示すセルの構成では、参照符号「１３０４」または「１３０５」で示されるように、スモールｅＮＢによって構成されるスモールセルのカバレッジ１３０２が、マクロｅＮＢによって構成されるマクロセルのカバレッジ１３０１内に含まれる場合がある。
【００９８】
また、参照符号「１３０５」で示されるように、複数、例えば２つのスモールセルのカバレッジ１３０２が、１つのマクロセルのカバレッジ１３０１内に含まれる場合もある。移動端末（ＵＥ）１３０３は、例えばスモールセルのカバレッジ１３０２内に含まれ、スモールセルを介して通信を行う。
【００９９】
また図７に示すセルの構成では、参照符号「１３０６」で示されるように、マクロｅＮＢによって構成されるマクロセルのカバレッジ１３０１と、スモールｅＮＢによって構成されるスモールセルのカバレッジ１３０２とが複雑に重複する場合が生じる。
【０１００】
また、参照符号「１３０７」で示されるように、マクロｅＮＢによって構成されるマクロセルのカバレッジ１３０１と、スモールｅＮＢによって構成されるスモールセルのカバレッジ１３０２とが重複しない場合も生じる。
【０１０１】
さらには、参照符号「１３０８」で示されるように、多数のスモールｅＮＢによって構成される多数のスモールセルのカバレッジ１３０２が、一つのマクロｅＮＢによって構成される１つのマクロセルのカバレッジ１３０１内に構成される場合も生じる。
【０１０２】
実施の形態１で解決する課題、およびその解決策について、以下に示す。本実施の形態では、マクロｅＮＢによって構成されるマクロセルのカバレッジ内に、スモールｅＮＢによって構成されるスモールセルのカバレッジが含まれる構成を考える。
【０１０３】
前述のように、将来の膨大なトラフィックに対応するために、例えば、多数のスモールｅＮＢを設置して、多数のスモールセルを設置することによって、周波数利用効率を高めて、通信容量の増大を図る技術などが検討されている。
【０１０４】
多数のスモールセルを設置した場合、ＵＥが、セル再選択のためのメジャメント、またはハンドオーバのためのメジャメントにおいて、多くのセルを測定しなければならないので、メジャメントに多大な時間を要する。したがって、メジャメント時間が限定された場合は、セル再選択先としての最適なセル、あるいはハンドオーバ先としての最適なセルを検出できないおそれがある。最適なセルを検出できない場合は、セル再選択を繰り返すことがあり、またハンドオーバが正常に完了せずに、ハンドオーバが失敗することがある。このように、多数のスモールセルを設置する場合、ＵＥのメジャメント性能の改善が課題となる。
【０１０５】
実施の形態１における解決策を以下に示す。セルをグループ化し、在圏すべきセルグループへの移行判定を、ＵＥが行う。
【０１０６】
在圏セルとは、待受け状態のＵＥの場合、キャンプオンしているセルのことであり、アクティブ状態（接続状態）のＵＥの場合、接続しているセルのことである。
【０１０７】
セルグループへの移行判定において、待受け状態（以下「Ｉｄｌｅモード」という場合がある）のＵＥは、現在キャンプオンしているセルが属するグループ（以下「セルグループ」という場合がある）と異なるグループに属するセルへ在圏を移行すべきか、または現在キャンプオンしているセルが属するグループと同じグループに属するセルへの在圏を維持すべきかの判定を行う。
【０１０８】
接続状態（以下「Ｃｏｎｎｅｃｔｅｄモード」という場合がある）のＵＥは、現在接続しているセルが属するグループと異なるグループに属するセルへのハンドオーバを行うか、または現在接続しているセルが属するグループと同じグループに属するセルへのハンドオーバを行うかの判定を行う。すなわち、接続状態（Ｃｏｎｎｅｃｔｅｄモード）のＵＥは、現在接続しているセルが属するグループと異なるグループに属するセルへ在圏を移行すべきか、または現在接続しているセルが属するグループと同じグループに属するセルへの在圏を維持すべきかの判定を行う。
【０１０９】
図８は、セルをグループ化した場合における在圏すべきセルグループ間の移行の概念を示す図である。セルグループＡに、セル２１０１〜セル２１０９が属するとする。セルグループＢに、セル２１１０〜セル２１１２が属するとする。
【０１１０】
ＵＥ２１１３がＩｄｌｅモード（待受け状態）であるとする。
ＵＥ２１１３は、セルグループＡに属するセル２１０９にキャンプオンしているとする。ＵＥ２１１３は、現在キャンプオンしているセル２１０９が属するグループと異なるグループに属するセルへ在圏を移行すべきか、または現在キャンプオンしているセル２１０９が属するグループと同じグループに属するセルへの在圏を維持すべきかの判定を行う。
【０１１１】
例えば、現在キャンプオンしているセル２１０９が属するグループであるセルグループＡと異なるグループに属するセルへ在圏を移行すべきと判断した場合、ＵＥ２１１３は、セルグループＢに属するセルに対して、再選択先のセルを選択するための測定（メジャメント）を行い、セルグループＢに属するセル、例えばセル２１１１をセル再選択先として選択する。
【０１１２】
また、例えば、現在キャンプオンしているセル２１０９が属するグループであるセルグループＡと同じグループに属するセルへの在圏を維持すべきと判断した場合、ＵＥ２１１３は、セルグループＡに属するセルに対して、再選択先のセルを選択するための測定（メジャメント）を行い、セルグループＡに属する他のセル、例えばセル２１０８をセル再選択先として選択する。
【０１１３】
このようにＵＥ２１１３は、Ｉｄｌｅモード（待受け状態）である場合、自ＵＥ２１１３が在圏しているセルの属するグループ、および自ＵＥ２１１３が在圏しているセルの属するグループと異なるグループのいずれかを選択し、選択したグループに属するセルに対して、再選択先のセルを選択するための測定（メジャメント）、すなわちセル再選択のためのメジャメントを行う。そして、ＵＥ２１１３は、測定結果に基づいて、セル再選択先を選択する。セル再選択のためのメジャメントとしては、セルからの受信電力の測定、具体的には参照信号（リファレンスシグナル：ＲＳ）の受信電力（Reference Signal Received Power：ＲＳＲＰ）の測定がある。
【０１１４】
ＵＥ２１１４がＣｏｎｎｅｃｔｅｄモード（接続状態）であるとする。
ＵＥ２１１４は、セルグループＢに属するセル２１１１に接続しているとする。ＵＥ２１１４は、現在接続しているセル２１１１が属するグループと異なるグループに属するセルへ在圏を移行すべきか、現在接続しているセル２１１１が属するグループと同じグループに属するセルへの在圏を維持すべきかの判定を行う。
【０１１５】
例えば、現在接続しているセル２１１１が属するグループであるセルグループＢと異なるグループに属するセルへ在圏を移行すべきと判断した場合、ＵＥ２１１４は、セルグループＡに属するセル２１０１〜２１０９について、ハンドオーバのための測定（メジャメント）を行い、メジャメント報告を行う。
【０１１６】
また、例えば、現在接続しているセル２１１１が属するグループであるセルグループＢと同じグループに属するセルへの在圏を維持すべきと判断した場合、ＵＥ２１１４は、セルグループＢに属する他のセル２１１０，２１１２について、ハンドオーバのための測定（メジャメント）を行い、メジャメント報告を行う。
【０１１７】
このようにＵＥ２１１４は、Ｃｏｎｎｅｃｔｅｄモード（接続状態）である場合、自ＵＥ２１１４が接続しているセルの属するグループ、および自ＵＥ２１１４が接続しているセルの属するグループと異なるグループのいずれかを選択し、選択したグループに属するセルに対して、ハンドオーバのための測定（メジャメント）を行う。そして、ＵＥ２１１４は、測定結果を報告するメジャメント報告を行う。ハンドオーバのためのメジャメントとしては、セルからの受信電力の測定、具体的には参照信号（リファレンスシグナル：ＲＳ）の受信電力（ＲＳＲＰ）の測定がある。
【０１１８】
セルのグループ化の具体例としては、所定の特徴に基づいて、セルをグループ化する。所定の特徴の具体例として、以下の（１）〜（１２）の１２個を開示する。
【０１１９】
（１）セルサイズによってグループ化する。セルサイズの判断基準の具体例として、以下の（１−１）〜（１−５）の５つを開示する。
【０１２０】
（１−１）セルの送信電力に応じて、セルサイズを判断する。送信電力が大きい程、該セルからの下り信号が到達する範囲が広くなる。したがって、送信電力が大きい程、セルサイズが大きくなる。
（１−２）セルのセル範囲に応じて、セルサイズを判断する。
（１−３）セルのカバレッジ半径に応じて、セルサイズを判断する。
【０１２１】
（１−４）セルの種別に応じて、セルサイズを判断する。複数の種別を１つのグループとしてもよい。例えば、スモールセル、ピコセル、フェムトセル、ホットスポットは、セルサイズが小さいグループとし、マクロセルは、セルサイズが大きいグループとする。
（１−５）前記（１−１）〜（１−４）の組合せ。
【０１２２】
（２）周波数レイヤによってグループ化する。例えば、セルが用いるキャリア周波数の属する周波数レイヤによってグループ化する。または、例えば、セルが用いるキャリア周波数の属する周波数バンドによってグループ化する。
【０１２３】
（３）セルのサポートする無線アクセス技術（Radio Access Technology：ＲＡＴ）によってグループ化する。無線アクセス技術の具体例として、以下の（３−１）〜（３−４）の４つを開示する。
（３−１）ＵＴＲＡ（Universal Terrestrial Radio Access）。
（３−２）ＧＥＲＡＮ（GSM（登録商標）/EDGE Radio Access Network）。
（３−３）ＣＤＭＡ２０００（Code Division Multiple Access 2000）。
（３−４）Ｅ−ＵＴＲＡＮ（Evolved Universal Terrestrial Radio Access Network）。
【０１２４】
（４）セルのロケーションによってグループ化する。ロケーションによってグループ化する具体例として、以下の（４−１），（４−２）の２つを開示する。
【０１２５】
（４−１）サービングセルとは無関係にセルの設置ロケーションによってグループ化する。例えば、１丁目に設置されるセルをグループＡとし、２丁目に設置されるセルをグループＢとする。
【０１２６】
（４−２）サービングセルを基準としたセルの設置ロケーションによってグループ化する。例えば、サービングセルから該セルまでの距離によってグループ化する。または、例えば、サービングセルから見た、該セルの設置方位によってグループ化する。具体的には、「West area cell group」、「East area cell group」などのようにグループ化する。
【０１２７】
（５）セルの負荷によってグループ化する。例えば、セル内のスケジューラの処理負荷によってグループ化する。例えば、セルが有する無線リソースの使用量、あるいは空量によってグループ化する。
【０１２８】
（６）セルの無線リソース量によってグループ化する。例えば、セルの帯域幅によってグループ化する。
【０１２９】
（７）セルの対応サービスの種別によってグループ化する。対応サービスの具体例として、以下の（７−１）〜（７−３）の３つを開示する。
（７−１）音声対応、非対応。
（７−２）データ通信対応、非対応。
（７−３）ＭＢＭＳサービス対応、非対応。
【０１３０】
（８）セルの遅延レベルによってグループ化する。例えば、セルのバックホールリンクが遅延多（non-ideal）、あるいは遅延少（Ideal）である。バックホールの種別によってグループ化してもよい。
【０１３１】
（９）セルの対応サービス品質（Quality of Service（ＱｏＳ））によってグループ化する。
【０１３２】
（１０）セルが接続されるＧＷによってグループ化する。同じＧＷに接続されるセルを同じグループに属するセルとする。
【０１３３】
（１１）セルが接続されるコンセントレータによってグループ化する。同じコンセントレータに接続されるセルを同じグループに属するセルとする。
（１２）前記（１）〜（１１）の組合せ。
【０１３４】
セルのグループ化の決定方法の具体例として、以下の（１）〜（３）の３つを開示する。
【０１３５】
（１）システムとして固定して決定する。または静的に決定する。図９は、システムとして固定してセルのグループ化を行う場合の概念を示す図である。セル２２０１〜セル２２１５が存在したとする。例えば、セルグループＡ（２２１８）に属するセルとしては、セル２２０１、セル２２０２、セル２２０３、セル２２０４、セル２２０５、セル２２０６、セル２２０７がある。セルグループＢ（２２１９）に属するセルとしては、セル２２０９、セル２２１０、セル２２１１、セル２２１２、セル２２１３、セル２２１４、セル２２１５がある。本具体例（１）は、システムとして固定的にグループに属するセルを決定可能な、前述のグループ化の所定の特徴の具体例（１），（２），（３），（４−１），（６），（７），（８）と親和性が高い。
【０１３６】
（２）準静的に決定する。サービングセル毎にグループ化し、サービングセル毎に、該グループに属するセルを異ならせる。図１０は、システムとして準静的に決定してセルのグループ化を行う場合の概念を示す図である。セル２２０１〜セル２２１５が存在したとする。サービングセルがセル２２０４である場合のセルグループＡ（２２１６）に属するセルとしては、セル２２０１、セル２２０２、セル２２０３、セル２２０４、セル２２０５、セル２２０６、セル２２０７がある。サービングセルがセル２２０７である場合のセルグループＡ（２２１７）に属するセルとしては、セル２２０４、セル２２０５、セル２２０６、セル２２０７、セル２２０８、セル２２０９、セル２２１０がある。本具体例（２）は、システムとしてサービングセル毎のグループ化に適する、前述のグループ化の所定の特徴の具体例（４−２）と親和性が高い。
【０１３７】
（３）動的に決定する。時間経過毎にグループ化し、時間毎に、該グループに属するセルを異ならせる。本具体例（３）は、時間経過毎に変化する特徴である、前述のグループ化の所定の特徴の具体例（５）と親和性が高い。
【０１３８】
セルのグループを決定する主体の具体例として、以下の（１），（２）の２つを開示する。
【０１３９】
（１）Ｏ＆Ｍ（Operation and Maintenance）が決定する。Ｏ＆Ｍは、該セルに、決定したグループを通知する。
【０１４０】
（２）セルが決定する。セルがスモールセルなどである場合、カバレッジマクロセルが決定してもよい。スモールセルが他のセルのカバレッジ内に設置された場合、該他のセルを「カバレッジマクロセル」という。決定する主体のセルと、該セルとが異なる場合は、決定する主体のセルは、該セルに、決定したグループを通知する。このとき、Ｘ２インタフェース、またはＳ１インタフェースを用いて通知すればよい。
【０１４１】
ＵＥへのセルグループの通知方法としては、以下の方法がある。サービングセルは、傘下のＵＥに対して、複数のセルグループを通知する。また、サービングセルは、グループの識別情報を通知する。サービングセルは、グループの識別情報とともに、グループを構成するセルのリスト、あるいはセルの識別情報を通知してもよい。ＵＥへのセルグループの通知方法の具体例として、以下の（１）〜（３）の３つを開示する。
【０１４２】
（１）報知情報を用いてセルグループを通知する。ＳＩＢを用いてセルグループを通知するようにしてもよい。
【０１４３】
（２）個別信号を用いてセルグループを通知する。個別信号の具体例として、以下の（２−１），（２−２）の２つを開示する。
（２−１）ＲＲＣシグナリングで通知する。例えば、ハンドオーバコマンド（Handover Command）を用いて通知する。
（２−２）メジャメント設定（measurement configuration）を用いて通知する。
【０１４４】
（３）セルグループ、およびグループ化の際の所定の特徴が予め決められており、各セルから自セルの所定の特徴を別の方法で通知していれば、特別にセルグループの通知を不要とすることができる。例えば、グループ化の所定の特徴が前述の具体例（１）のセルサイズとした場合に、別の方法でＵＥが該セルのセルサイズを認識することが可能であれば、セルグループおよびグループを構成するセルの通知を不要とすることが可能である。別の方法の具体例として、以下の（３−１），（３−２）の２つを開示する。
【０１４５】
（３−１）下り同期信号（Downlink Synchronization Signal：ＳＳ）を用いる。第一同期信号と第二同期信号との両方を用いてもよいし、いずれか一方を用いてもよい。自セルが例えば、スモールセルであるか否かのインジケータ、あるいは自セルが属する集合を示すインジケータをマッピングしてもよい。下り同期信号が持つシーケンスを用いて、例えば、自セルがスモールセルであるか否か、あるいは自セルが属する集合を示すインジケータを示してもよい。
【０１４６】
（３−２）ディスカバリーシグナル（discovery reference signal）。ディスカバリーシグナルは、非特許文献９に開示されている。ディスカバリーシグナルは、インフラ（infrastructure）の消費電力低減（Energy Saving）のためにスイッチオフされたスモールセル、および通常動作（スイッチオン）されたスモールセルの発見（discovery）に用いることが開示されている。また、非特許文献９には、他セルへの干渉低減と、スモールセルの送信電力削減のために、ディスカバリーシグナルの送信周期を長くすることが開示されている。自セルが例えば、スモールセルであるか否かのインジケータ、あるいは自セルが属する集合を示すインジケータをマッピングしてもよい。ディスカバリーシグナルが持つシーケンスを用いて、例えば、自セルがスモールセルであるか否か、あるいは自セルが属する集合を示すインジケータを示してもよい。
【０１４７】
ＵＥのセルグループへの移行判定の具体例について、以下に説明する。ＵＥは、サービングセルから通知された複数のセルグループから、在圏すべきセルグループを選択する。以下の説明では、サービングセルから通知された複数のセルグループから、在圏すべきセルグループを選択することを、「セルグループへの移行判定」という場合がある。
【０１４８】
また、メジャメントするか否かの判定を行ってもよい。測定の実行の有無判定を設けてもよい。測定実行条件を満足するか否かを判断してもよい。これらを、以下の説明では、「メジャメント判定」という場合がある。セルグループへの移行判定の前に、「メジャメント判定」を行ってもよい。これによって、移行することを決定した後に、改めてメジャメントを開始する必要がないので、制御遅延を防止することができる。
【０１４９】
例えば、ＩｄｌｅモードのＵＥは、セル再選択のためのメジャメント判定を行う。メジャメントすると判定された場合、セル再選択のためのメジャメントを実行する。ＵＥは、セル再選択するセルグループを選択する。すなわち、セルグループへの移行判定を行う。
【０１５０】
また、ＣｏｎｎｅｃｔｅｄモードのＵＥは、ハンドオーバのためのメジャメント判定を行う。メジャメントすると判定された場合、ハンドオーバのためのメジャメントを実行する。ＵＥは、ハンドオーバするセルグループを選択する。すなわち、セルグループへの移行判定を行う。
【０１５１】
セルグループへの移行判定の後に、ＩｄｌｅモードのＵＥは、在圏すべきセルグループに属するセルから、在圏すべきセルを選択する。ＣｏｎｎｅｃｔｅｄモードのＵＥは、在圏すべきセルグループに属するセルにおいて、メジャメントイベントが発生した場合に、メジャメント報告を行う（ハンドオーバ先セル候補を選択し、メジャメント報告を行う）。以下の説明では、在圏すべきセルグループに属するセルから、在圏すべきセルを選択すること、およびメジャメントイベントが発生した場合にメジャメント報告を行うことを、「セルへの移行判定」という場合がある。
【０１５２】
例えば、ＩｄｌｅモードのＵＥは、在圏すべきセルグループに属するセルをメジャメントする。例えば、在圏すべきセルグループに属するセルのうち、最も受信電力の高いセル、あるいは最も受信品質のよいセル、あるいはベストセル、あるいは通常のセルセレクションのクライテリアに従って、セル再選択先のセルを選択する。
【０１５３】
また、ＣｏｎｎｅｃｔｅｄモードのＵＥは、在圏すべきセルグループに属するセルをメジャメントする。例えば、在圏すべきセルグループに属するセルにおいて、メジャメントイベントが発生する場合に、該セルのメジャメント報告をサービングセルに通知する。メジャメントイベントが発生する場合とは、ＵＥにおけるメジャメント結果が、メジャメント報告の条件を満たした場合である。サービングセルは、ＵＥから通知されたメジャメント報告を用いて、該ＵＥを在圏させるセルを選択し、ＵＥに通知する。ハンドオーバ先（ターゲットセル）を選択し、ＵＥに通知する。その後、ＵＥ、サービングセル、ターゲットセルなどの間で、ハンドオーバ処理が行われる。
【０１５４】
ＵＥが行う、セルグループへの移行判定の閾値（指標）の具体例として、以下の（１）〜（８）の８つを開示する。移行判定の閾値は、ＩｄｌｅモードのＵＥ用と、ＣｏｎｎｅｃｔｅｄモードのＵＥ用とに別個に設けてもよい。
【０１５５】
（１）ＵＥの移動速度。ＵＥは、自ＵＥの移動速度を用いて、在圏すべきセルグループへの移行判定を行い、在圏すべきセルグループを選択する。移動速度は、測定対象セルの半径に依存して異ならせてもよい。例えば、移動速度は、測定対象セルの半径の関数としてもよい。
【０１５６】
（２）ＵＥの位置、ＵＥの移動方向。ＵＥは、自ＵＥの位置および自ＵＥの移動方向の少なくとも一方を用いて、在圏すべきセルグループへの移行判定を行い、在圏すべきセルグループを選択する。
【０１５７】
（３）ＵＥのアクセスクラス。アクセスクラスの具体例としては、非特許文献１０に記載のＡＣ（Access Class）、ＥＡＣ（Extended Access Class）がある。ＵＥは、ＡＣにおける自ＵＥのカテゴリを用いて、在圏すべきセルグループへの移行判定を行い、在圏すべきセルグループを選択する。また、ＵＥは、ＥＡＣにおける自ＵＥのカテゴリを用いて、在圏すべきセルグループへの移行判定を行い、在圏すべきセルグループを選択する。
【０１５８】
（４）ＵＥの能力（capability）。ＵＥは、ＵＥの能力を用いて、在圏すべきセルグループへの移行判定を行い、在圏すべきセルグループを選択する。ＵＥの能力の具体例として、以下の（４−１）〜（４−３）の３つを開示する。
【０１５９】
（４−１）高速、大容量通信端末であるか、低速、小容量通信端末であるか。
（４−２）遅延許容端末であるか、遅延許容端末でないか。遅延にレベルがあってもよい。
（４−３）ノーマルＵＥであるか、ＭＴＣ（Machine Type Communication）であるか。
【０１６０】
（５）サービスの種別。ＣｏｎｎｅｃｔｅｄモードのＵＥであれば、現在接続中のサービスの種別を用いて、在圏すべきセルグループへの移行判定を行う。すなわち、在圏すべきセルグループを選択する。サービスの種別の具体例として、以下の（５−１），（５−２）の２つを開示する。
（５−１）リアルタイム性の要求度。
（５−２）音声サービスであるか、音声サービス以外であるか。
【０１６１】
（６）サービス品質（Quality of Service（ＱｏＳ））。ＣｏｎｎｅｃｔｅｄモードのＵＥであれば、現在接続中のサービスの品質を用いて、在圏すべきセルグループへの移行判定を行う。すなわち、在圏すべきセルグループを選択する。
【０１６２】
（７）ＵＥでメジャメントした各セルの受信品質。サービングセルの受信品質。周辺セルの受信品質。
（８）前記（１）〜（７）の組合せ。
【０１６３】
セルグループへの移行判定の閾値（以下「移行判定閾値」という場合がある）のＵＥへの通知方法としては、以下の方法がある。サービングセルは、傘下のＵＥに対して、セルグループへの移行判定の閾値を通知する。サービングセルは、セルグループへの移行判定の閾値を、セルグループとともに通知してもよい。サービングセルは、セルグループへの移行判定の閾値とセルグループとを対応付けて通知してもよい。セルグループへの移行判定の閾値のＵＥへの通知方法の具体例として、以下の（１）〜（３）の３つを開示する。
【０１６４】
（１）報知情報を用いて移行判定閾値を通知する。ＳＩＢを用いて移行判定閾値を通知するようにしてもよい。
（２）個別信号を用いて移行判定閾値を通知する。個別信号の具体例として、以下の（２−１），（２−２）の２つを開示する。
（２−１）ＲＲＣシグナリングで通知する。例えば、ハンドオーバコマンド（Handover Command）を用いて通知する。
（２−２）メジャメント設定（measurement configuration）を用いて通知する。
（３）予め静的に決定する。
【０１６５】
次に、図１１を用いて、実施の形態１の解決策を用いた場合の通信システムのシーケンスの具体例を説明する。図１１は、実施の形態１における通信システムのシーケンスの一例を示す図である。
【０１６６】
ステップＳＴ２３０１において、Ｏ＆Ｍは、セルグループを決定する。
ステップＳＴ２３０２において、Ｏ＆Ｍは、サービングセルに、セルグループを通知する。Ｏ＆Ｍは、サービングセルに、グループを構成するセルのリストを併せて通知してもよい。
【０１６７】
ステップＳＴ２３０３において、サービングセルは、傘下のＵＥに、セルグループを通知する。サービングセルは、傘下のＵＥに、グループを構成するセルのリストを併せて通知してもよい。
【０１６８】
ステップＳＴ２３０４において、サービングセルは、傘下のＵＥに、移行判定閾値を通知する。移行判定閾値の通知は、ステップＳＴ２３０３におけるセルグループの通知と併せて行ってもよい。
【０１６９】
ステップＳＴ２３０５において、ＵＥは、ステップＳＴ２３０３で受信したセルグループ、グループを構成するセルのリスト、およびステップＳＴ２３０４で受信した移行判定閾値に基づいて、在圏すべきセルグループを選択する。
【０１７０】
ステップＳＴ２３０６において、ＵＥは、ステップＳＴ２３０５で選択したセルグループに移行することを決定する（以下、単に「移行する」という場合がある）。
【０１７１】
実施の形態１によって、以下の効果を得ることができる。セル再選択先のセルを選択するためのメジャメント、あるいはハンドオーバ先を選択するためのメジャメントを、ＵＥが選択したセルグループ内のセルに限定することができる。したがって、多数のスモールセルを設置した場合でも、対象のセルを、ＵＥのセルグループへの移行判定に沿ったセルグループに属するセルに限定することが可能となる。これによって、最適なセルを検出し易くなり、ＵＥのメジャメント性能を向上することができる。
【０１７２】
実施の形態１  変形例１．
実施の形態１の変形例１で解決する課題について、以下に説明する。多数のスモールセルを設置した場合、セルサイズが異なるセルが重なる場合がある。ＵＥが移動する場合、移動速度に応じて、またセルサイズに応じて、該ＵＥがセルに滞留する時間が異なる。滞留時間の短いセルへのセル再選択およびハンドオーバは、再度のセル再選択およびハンドオーバを引き起こし、通信システムの処理負荷が高くなるという課題が発生する。
【０１７３】
また、例えば、高速移動するＵＥが測定によって、ハンドオーバ先としてのスモールセル（以下「ハンドオーバ先スモールセル」という場合がある）を検出したとしても、ハンドオーバ関連処理を行っている間に、ハンドオーバ先スモールセルを通過してしまうことがある。このとき、ハンドオーバ先スモールセルとの通信品質が劣化するので、ハンドオーバが正常に行われずに失敗する場合が生じる。したがって、多数のスモールセルを設置した場合、モビリティ性能の向上が課題となる。
【０１７４】
実施の形態１の変形例１における解決策を以下に示す。本変形例では、実施の形態１の解決策を用いる。具体的には、セルを、セルサイズに基づいてグループ化し、ＵＥが在圏すべきセルグループへの移行判定を自ＵＥの移動速度を用いて行う。
【０１７５】
本変形例では、前述の実施の形態１の解決策のうち、本変形例の特徴部分のみを説明する。
【０１７６】
セルグループの具体例について、以下に開示する。例えば、セルサイズに応じたグループとして、セルサイズグループ１（CellSizeGroup1）およびセルサイズグループ２（CellSizeGroup2）を設ける。
【０１７７】
セルサイズグループ１には、大きいセルサイズのセル、例えばマクロセルなどが属するとする。セルサイズグループ１は、大きいサイズのセルグループ（Big size cell group）としてもよい。
【０１７８】
セルサイズグループ２には、小さいセルサイズのセル、例えばスモールセルなどが属するとする。セルサイズグループ２は、小さいサイズのセルグループ（Small size cell group）としてもよい。
【０１７９】
セルサイズの判断基準の具体例は、実施の形態１と同様であるので、説明を省略する。ＵＥへのセルグループの通知方法の具体例は、実施の形態１と同様であるので、説明を省略する。
【０１８０】
ＵＥへのセルグループの通知内容の具体例について、以下に開示する。グループの識別情報、およびグループを構成するセルのリストをともに通知する場合について開示する。
【０１８１】
グループの識別情報は、セルサイズグループ１とし、セルサイズグループを構成するセルとしては、ＰＣＩ＃１、ＰＣＩ＃２、ＰＣＩ＃３、ＰＣＩ＃４がある場合、「CellSizeGroup1(PCI#1,PCI#2,PCI#3,PCI#4)」として通知する。
【０１８２】
グループの識別情報は、セルサイズグループ２とし、セルサイズグループを構成するセルとしては、ＰＣＩ＃２１、ＰＣＩ＃２２、ＰＣＩ＃２３、ＰＣＩ＃２４、ＰＣＩ＃２５、ＰＣＩ＃２６、ＰＣＩ＃２７、ＰＣＩ＃２８がある場合、「CellSizeGroup2(PCI#21,PCI#22,PCI#23,PCI#24,PCI#25,PCI#26,PCI#27,PCI#28)」として通知する。
【０１８３】
グループを構成するセルのリストは、自セルを含んでもよく、例えば自セルの識別情報を含んでもよい。これによって、ＵＥが、サービングセルの属するセルグループを認識することができる。
【０１８４】
サービングセルの属するセルグループを、別途、傘下のＵＥに通知してもよい。通知方法の具体例としては、セルが、自セルの属するセルグループを示す情報を、ＲＲＣシグナリングあるいは報知情報によって、傘下のＵＥに通知する方法がある。これによって、グループを構成するセルのリストがサービングセルを含まない場合に、別途通知されたサービングセルの属するセルグループを用いることができる。
【０１８５】
ＵＥのセルグループへの移行判定の具体例について、以下に開示する。ＵＥは、自ＵＥの移動速度を用いて、現在在圏するセルのセルサイズグループと異なるセルサイズ（inter-size）グループに在圏を移行すべきか、または同じセルサイズ（intra-size）グループの在圏を維持すべきかの移行判定を行う。このような移行判定は、現在在圏するセルのセルサイズグループ（セルサイズ）を認識することから、「相対的移行判定」という場合がある。
【０１８６】
ＵＥが行う、セルグループへの移行判定の閾値（指標）の設け方の具体例として、以下の（１），（２）の２つを開示する。
【０１８７】
（１）同セルグループ（intra cell group）への移行判定の閾値と、異セルグループ（inter cell group）への移行判定の閾値とを別個に設ける。移行判定の閾値に代えて、判定条件であってもよい。また、測定の実行の有無判定を別途設けてもよい。移行判定の閾値、測定の実行の有無判定は、セル再選択用と、ハンドオーバ用とに別個設けてもよい。
【０１８８】
（２）同セルグループ（intra cell group）への移行判定の閾値を設けず、異セルグループ（inter cell group）への移行判定の閾値を設ける。移行判定の閾値に代えて、判定条件であってもよい。また、測定の実行の有無判定を別途設けてもよい。移行判定の閾値、測定の実行の有無判定は、セル再選択用と、ハンドオーバ用とに別個設けてもよい。
【０１８９】
同セルグループ（intra cell group）への移行判定の閾値を設けない代わりに、以下のようにしてもよい。異セルグループ（inter cell group）への移行判定を満足しない場合は、セルグループ間の移行を行わない。つまり、同セルグループに属するセルへの在圏を維持し、同セルグループに属するセルの測定、セル選択、メジャメントイベントが発生した場合にメジャメント報告を行う（ハンドオーバ先セル候補を選択し、メジャメント報告を行う）。
【０１９０】
異セルグループ（inter cell group）への移行判定のための測定の実行の有無判定のみ満足している場合は、セルグループ間の移行を行わない。異セルグループに移行しないことを決定する。つまり、同セルグループに属するセルへの在圏を維持し、同セルグループに属するセルの測定、セル選択、メジャメントイベントが発生した場合にメジャメント報告を行う。
【０１９１】
異セルグループ（inter cell group）への移行判定のための測定の実行の有無判定を満足していない場合は、セルグループ間の移行を行わない。異セルグループに移行しないことを決定する。つまり、同セルグループに属するセルへの在圏を維持し、同セルグループに属するセルの測定、セル選択、メジャメントイベントが発生した場合にメジャメント報告を行う。
【０１９２】
異セルグループ（inter cell group）への移行判定を満足、あるいは異セルグループ（inter cell group）への移行判定のための測定の実行の有無判定を満足している場合は、同セルグループに属するセルの測定、セル選択、メジャメントイベントが発生した場合のメジャメント報告を行ってもよいし、行わなくてもよい。
【０１９３】
ＵＥが行う、セルグループへの移行判定の閾値（指標）の設け方の具体例（２）の場合であって、移行判定のための測定の実行の有無判定を別途設け、セル選択用とハンドオーバ用とを別個に設ける場合における移行判定閾値の具体例について、以下に開示する。セルサイズグループ１は、大きいサイズのセルグループとし、セルサイズグループ２は、小さいサイズのセルグループとする。
【０１９４】
セル再選択用（ＩｄｌｅモードのＵＥ用）として、以下の（１）〜（４）の４つの閾値を設ける。
【０１９５】
（１）セルサイズグループ１に在圏しているＵＥのための、リセレクション用異セルグループ（セルサイズグループ２）の測定の実行の有無判定閾値。例えば、移動速度が時速３０ｋｍ以下とする。「S1_inter_cell_size_group1：移動速度≦３０ｋｍ／ｈ」。
【０１９６】
（２）セルサイズグループ１に在圏しているＵＥのための、リセレクション用異セルグループ（セルサイズグループ２）への移行判定閾値。例えば、移動速度が時速２０ｋｍ未満とする。「S2_inter_cell_size_group1：移動速度＜２０ｋｍ／ｈ」。
【０１９７】
（３）セルサイズグループ２に在圏しているＵＥのための、リセレクション用異セルグループ（セルサイズグループ１）の測定の実行の有無判定閾値。例えば、移動速度が時速３０ｋｍよりも高いとする。「S1_inter_cell_size_group2：移動速度＞３０ｋｍ／ｈ」。
【０１９８】
（４）セルサイズグループ２に在圏しているＵＥのための、リセレクション用異セルグループ（セルサイズグループ１）への移行判定閾値。例えば、移動速度が時速５０ｋｍよりも高いとする。「S2_inter_cell_size_group2：移動速度＞５０ｋｍ／ｈ」。
【０１９９】
ハンドオーバ用（ＣｏｎｎｅｃｔｅｄモードのＵＥ用）として、以下の（１）〜（４）の４つの閾値を設ける。
【０２００】
（１）セルサイズグループ１に在圏しているＵＥのための、ハンドオーバ用異セルグループ（セルサイズグループ２）の測定の実行の有無判定閾値。例えば、移動速度が時速３０ｋｍ以下とする。「T1_inter_cell_size_group1：移動速度≦３０ｋｍ／ｈ」。
【０２０１】
（２）セルサイズグループ１に在圏しているＵＥのための、ハンドオーバ用異セルグループ（セルサイズグループ２）への移行判定閾値。例えば、移動速度が時速２０ｋｍ未満とする。「T2_inter_cell_size_group1：移動速度＜２０ｋｍ／ｈ」。
【０２０２】
（３）セルサイズグループ２に在圏しているＵＥのための、ハンドオーバ用異セルグループ（セルサイズグループ１）の測定の実行の有無判定閾値。例えば、移動速度が時速３０ｋｍよりも高いとする。「T1_inter_cell_size_group2：移動速度＞３０ｋｍ／ｈ」。
【０２０３】
（４）セルサイズグループ２に在圏しているＵＥのための、ハンドオーバ用異セルグループ（セルサイズグループ１）への移行判定閾値。例えば、移動速度が時速５０ｋｍよりも高いとする。「T2_inter_cell_size_group2：移動速度＞５０ｋｍ／ｈ」。
【０２０４】
図１２は、移行判定閾値の具体例の概念を示すグラフである。図１２の縦軸は移動速度ｖ（ｋｍ／ｈ）を表し、横軸は時間ｔを表す。セルサイズグループ１（ＣＧ１）は、大きいサイズのセルグループであり、セルサイズグループ２（ＣＧ２）は、小さいサイズのセルグループである。
【０２０５】
セルサイズグループ１に在圏しているＵＥについて、参照符号「５０」で示されるように、移動速度ｖを範囲Ｒ１、範囲Ｒ２および範囲Ｒ３に分類して説明する。
【０２０６】
範囲Ｒ１は、移動速度ｖが時速３０ｋｍ以下とする。範囲Ｒ１では、「S1_inter_cell_size_group1：移動速度≦３０ｋｍ／ｈ」、「T1_inter_cell_size_group1：移動速度≦３０ｋｍ／ｈ」を満たす。
【０２０７】
したがって、範囲Ｒ１において、ＵＥは、リセレクション用異セルグループ（セルサイズグループ２：小さいサイズのセルグループ（Small size cell group））の測定を実行する。また、範囲Ｒ１において、ＵＥは、ハンドオーバ用異セルグループ（セルサイズグループ２：小さいサイズのセルグループ（Small size cell group））の測定を実行する。
【０２０８】
つまり、範囲Ｒ１において、ＵＥは、異セルサイズグループ（Inter cell size group（Small size cell group））の測定を実行する。
【０２０９】
範囲Ｒ２は、移動速度ｖが時速２０ｋｍ未満とする。範囲Ｒ２では、「S2_inter_cell_size_group1：移動速度＜２０ｋｍ／ｈ」、「T2_inter_cell_size_group1:移動速度＜２０ｋｍ／ｈ」を満たす。
【０２１０】
したがって、範囲Ｒ２において、ＵＥは、リセレクション用異セルグループ（セルサイズグループ２：小さいサイズのセルグループ（Small size cell group））への移行を行う。別途セルサイズグループ２に属するセルが、再選択基準を満たしている場合は、再選択処理を実行する。
【０２１１】
また、範囲Ｒ２において、ＵＥは、ハンドオーバ用異セルグループ（セルサイズグループ２：小さいサイズのセルグループ（Small size cell group））への移行を行う。別途セルサイズグループ２に属するセルが、メジャメント報告の条件を満たしている場合は、測定報告を行う。
【０２１２】
つまり、範囲Ｒ２において、ＵＥは、異セルサイズグループ（Inter cell size group（Small size cell group））の移行を実行する。
【０２１３】
範囲Ｒ３は、移動速度ｖが時速２０ｋｍ以上とする。範囲Ｒ３では、「S2_inter_cell_size_group1：移動速度＜２０ｋｍ／ｈ」、「T2_inter_cell_size_group1：移動速度＜２０ｋｍ／ｈ」を満たさない。
【０２１４】
異セルグループ（inter cell group）への移行判定を満足しないので、セルグループ間の移行は行わない。つまり、リセレクション用同セルグループ（セルサイズグループ１：大きいサイズのセルグループ（Big size cell group））の測定を実行する。別途セルサイズグループ１に属するセルが、再選択基準を満たしている場合は、再選択処理を実行する。
【０２１５】
また、範囲Ｒ３において、ＵＥは、ハンドオーバ用同セルグループ（セルサイズグループ１：大きいサイズのセルグループ（Big size cell group））の測定を実行する。別途セルサイズグループ１に属するセルが、メジャメント報告の条件を満たしている場合は、測定報告を行う。
【０２１６】
つまり、範囲Ｒ３において、ＵＥは、同セルサイズグループ（Intra cell size group（Big size cell group））の測定、移行を実行する。
【０２１７】
セルサイズグループ２に在圏しているＵＥについて、参照符号「５１」で示されるように、移動速度ｖを範囲Ｒ４、範囲Ｒ５、範囲Ｒ６に分類して説明する。
【０２１８】
範囲Ｒ４は、移動速度ｖが時速３０ｋｍよりも高いとする。範囲Ｒ４では、「S1_inter_cell_size_group2：移動速度＞３０ｋｍ／ｈ」、「T1_inter_cell_size_group2：移動速度＞３０ｋｍ／ｈ」を満たす。
【０２１９】
したがって、範囲Ｒ４において、ＵＥは、リセレクション用異セルグループ（セルサイズグループ１：大きいサイズのセルグループ（Big size cell group））の測定を実行する。また、範囲Ｒ４において、ＵＥは、ハンドオーバ用異セルグループ（セルサイズグループ１：大きいサイズのセルグループ（Big size cell group））の測定を実行する。
【０２２０】
つまり、範囲Ｒ４において、ＵＥは、異セルサイズグループ（Inter cell size group（Big size cell group））の測定を実行する。
【０２２１】
範囲Ｒ５は、移動速度ｖが時速５０ｋｍよりも高いとする。範囲Ｒ５では、「S2_inter_cell_size_group2：移動速度＞５０ｋｍ／ｈ」、「T2_inter_cell_size_group2：移動速度＞５０ｋｍ／ｈ」を満たす。
【０２２２】
したがって、範囲Ｒ５において、ＵＥは、リセレクション用異セルグループ（セルサイズグループ１：大きいサイズのセルグループ（Big size cell group））への移行を行う。別途セルサイズグループ１に属するセルが、再選択基準を満たしている場合は、再選択処理を実行する。
【０２２３】
また、範囲Ｒ５において、ＵＥは、ハンドオーバ用異セルグループ（セルサイズグループ１：大きいサイズのセルグループ（Big size cell group））への移行を行う。別途セルサイズグループ１に属するセルが、メジャメント報告の条件を満たしている場合は、測定報告を行う。
【０２２４】
つまり、範囲Ｒ５において、ＵＥは、異セルサイズグループ（Inter cell size group（Big size cell group））の移行を実行する。
【０２２５】
範囲Ｒ６は、移動速度ｖが時速５０ｋｍ以下とする。範囲Ｒ６では、「S2_inter_cell_size_group2：移動速度＞５０ｋｍ／ｈ」、「T2_inter_cell_size_group2：移動速度＞５０ｋｍ／ｈ」を満たさない。
【０２２６】
異セルグループ（inter cell group）への移行判定を満足しないので、セルグループ間の移行は行わない。つまり、リセレクション用同セルグループ（セルサイズグループ２：小さいサイズのセルグループ（Small size cell group））の測定を実行する。別途セルサイズグループ２に属するセルが、再選択基準を満たしている場合は、再選択処理を実行する。
【０２２７】
また、範囲Ｒ６において、ＵＥは、ハンドオーバ用同セルグループ（セルサイズグループ２：小さいサイズのセルグループ（Small size cell group））の測定を実行する。別途セルサイズグループ２に属するセルが、メジャメント報告の条件を満たしている場合は、測定報告を行う。
【０２２８】
つまり、範囲Ｒ６において、ＵＥは、同セルサイズグループ（Intra cell size group（Small size cell group））の測定、移行を実行する。
【０２２９】
ＵＥによる、自ＵＥの移動速度の測定（推定）は、セルとの通信状態によらず、実行する。具体例としては、ＲＲＣ＿Ｉｄｌｅ状態か、ＲＲＣ＿Ｃｏｎｎｅｃｔｅｄ状態かにかかわらず、移動速度を測定する。また、ＥＣＭ＿Ｉｄｌｅ状態か、ＥＣＭ＿Ｃｏｎｎｅｃｔｅｄ状態かにかかわらず、移動速度を測定する。
【０２３０】
ＵＥによる、自ＵＥの移動速度の測定タイミングの具体例として、以下の（１），（２）の２つを開示する。
【０２３１】
（１）ＵＥは定期的に移動速度を測定する。サービングセルからＵＥに、移動速度の測定時間を通知する。
【０２３２】
（２）ＵＥは周期的に移動速度を測定する。周期は、直近の移動速度の測定結果に依存して異ならせてもよい。直近の移動速度の関数としてもよい。サービングセルからＵＥに、移動速度の測定周期を通知する。
【０２３３】
ＵＥによる、自ＵＥの移動速度の測定タイミングは、セルグループの情報とともに通知してもよい。移行判定閾値、移行判定条件とともに通知してもよい。
【０２３４】
ＵＥへの移動速度の測定タイミングの通知方法の具体例として、以下の（１）〜（３）の３つを開示する。
【０２３５】
（１）報知情報を用いて測定タイミングを通知する。ＳＩＢを用いて通知するようにしてもよい。
【０２３６】
（２）個別信号を用いて測定タイミングを通知する。個別信号の具体例として、以下の（２−１），（２−２）の２つを開示する。
（２−１）ＲＲＣシグナリングで通知する。例えば、ハンドオーバコマンド（Handover Command）を用いて通知する。
（２−２）メジャメント設定（measurement configuration）を用いて通知する。
【０２３７】
（３）予め決められていてもよい。これによって、サービングセルからの通知が不要となり、通信システムの処理負荷を軽減することができ、無線リソースを有効に活用することができる。
【０２３８】
ＵＥの移行判定に用いる移動速度の測定結果の具体例として、以下の（１），（２）の２つを開示する。
【０２３９】
（１）ＵＥによる直近の移動速度の測定結果を用いる。
（２）ＵＥによる移動速度の測定値の移動平均を用いる。Ｎ（Ｎは自然数）回の測定値の移動平均とする。測定回数Ｎは、サービングセルからＵＥに通知する。測定回数Ｎの通知方法は、前述のＵＥへの移動速度の測定タイミングの通知方法の具体例と同様であるので、説明を省略する。
【０２４０】
図１３〜図１５は、実施の形態１の変形例１におけるＩｄｌｅモードのＵＥの処理手順を示すフローチャートである。図１３〜図１５では、セルグループへの移行判定の閾値の設け方の具体例（２）を用いた場合のＵＥの処理手順を示している。
【０２４１】
ステップＳＴ２４０１において、ＵＥは、在圏セルの属するグループを確認する。ステップＳＴ２４０２において、ＵＥは、自ＵＥの移動速度を測定する。
【０２４２】
ステップＳＴ２４０３において、ＵＥは、ステップＳＴ２４０１で確認した在圏セルの属するグループが、セルサイズグループ２（Small size cell group）であるか否かを判断する。ステップＳＴ２４０３において、在圏セルの属するグループが、セルサイズグループ２であると判断された場合は、図１４のステップＳＴ２４０４に移行し、在圏セルの属するグループが、セルサイズグループ２でないと判断された場合は、図１５のステップＳＴ２４１４に移行する。
【０２４３】
図１４のステップＳＴ２４０４において、ＵＥは、セルサイズグループ２（Small size cell group）に在圏しているＵＥのための閾値（以下「第２グループ用閾値」という場合がある）を用いることを決定する。
【０２４４】
ステップＳＴ２４０５において、ＵＥは、セルサイズグループ２に在圏しているＵＥのための、リセレクション用異セルグループ（セルサイズグループ１）の測定の実行の有無判定閾値「S1_inter_cell_size_group2」（第２グループ用のセル選択用の測定実行有無判定閾値）を超えるか否か（異セルグループの測定実行条件を満足するか否か）を判断する。すなわち、第１グループの測定実行条件を満足するか否かを判断する。具体的には、移動速度が時速３０ｋｍよりも高いか否かを判断する。
【０２４５】
ステップＳＴ２４０５において、第１グループの測定実行条件を満足すると判断された場合、すなわち移動速度が時速３０ｋｍよりも高いと判断された場合は、ステップＳＴ２４１０に移行し、第１グループの測定実行条件を満足しないと判断された場合、すなわち移動速度が時速３０ｋｍ以下と判断された場合は、ステップＳＴ２４０６に移行する。
【０２４６】
ステップＳＴ２４０６において、ＵＥは、異セルグループ（Inter Cell size group（Big size cell group））、すなわち第１グループに属する周辺セルの測定を実行しないで、ステップＳＴ２４０７に移行する。
【０２４７】
ステップＳＴ２４０５において異セルグループ（inter cell group）の測定の実行の有無判定閾値（異セルグループの測定実行条件）を満足していないと判断されているので、ステップＳＴ２４０７において、ＵＥは、セルグループ間の移行を行わない。つまり、異セルグループ（Inter Cell size group（Big size cell group））に移行せず、同セルグループ（Intra Cell size group（Small size cell group））への在圏を維持する。換言すれば、第１グループに移行せず、第２グループへの在圏を維持する。
【０２４８】
ステップＳＴ２４０５において異セルグループ（inter cell group）の測定の実行の有無判定閾値（異セルグループの測定実行条件）を満足していないと判断されているので、ステップＳＴ２４０８において、ＵＥは、同セルグループに属するセルの測定を実行する。つまり、同セルグループ（Intra Cell size group（Small size cell group））である第２グループに属する周辺セルの測定を実行する。
【０２４９】
ステップＳＴ２４０５において異セルグループ（inter cell group）の測定の実行の有無判定閾値（異セルグループの測定実行条件）を満足していないと判断されているので、ステップＳＴ２４０９において、ＵＥは、ステップＳＴ２４０８における測定の結果が再選択条件を満足している場合は、同セルグループ（Intra Cell size group（Small size cell group））に属するセルへの再選択処理を実行する。同セルグループ内、すなわち第２グループ内のセルを再選択する。ステップＳＴ２４０９の処理を終了した後は、全ての処理手順を終了する。
【０２５０】
ステップＳＴ２４１０において、ＵＥは、異セルグループ（Inter Cell size group（Big size cell group））である第１グループに属する周辺セルの測定を実行する。
【０２５１】
ステップＳＴ２４１１において、ＵＥは、セルサイズグループ２に在圏しているＵＥのための、リセレクション用異セルグループ（セルサイズグループ１）への移行判定閾値「S2_inter_cell_size_group2」（異セルグループへの移行条件）を満足するか否かを判断する。すなわち、第１グループへの移行条件を満足するか否かを判断する。具体的には、移動速度が時速５０ｋｍよりも高いか否かを判断する。
【０２５２】
ステップＳＴ２４１１において、第１グループへの移行条件を満足すると判断された場合、すなわち移動速度が時速５０ｋｍよりも高いと判断された場合は、ステップＳＴ２４１２に移行し、第１グループへの移行条件を満足しないと判断された場合、すなわち移動速度が時速５０ｋｍ以下と判断された場合は、ステップＳＴ２４０７に移行する。
【０２５３】
ステップＳＴ２４１２において、ＵＥは、セルグループ間の移行を行う。つまり、異セルグループ（Inter Cell size group（Big size cell group））である第１グループに移行する。
【０２５４】
ステップＳＴ２４１３において、ＵＥは、ステップＳＴ２４１０における測定の結果が再選択条件を満足している場合は、異セルグループ（Inter Cell size group（Big size cell group））に属するセルへの再選択処理を実行する。異セルグループ内、すなわち第１グループ内のセルを再選択する。再選択完了の際、自ＵＥの在圏するセルグループを、セルサイズグループ１（Big size cell group）に変更してもよい。ステップＳＴ２４１３の処理を終了した後は、全ての処理手順を終了する。
【０２５５】
図１５のステップＳＴ２４１４において、ＵＥは、セルサイズグループ１（Big size cell group）に在圏しているＵＥのための閾値（以下「第１グループ用閾値」という場合がある）を用いることを決定する。
【０２５６】
ステップＳＴ２４１５において、ＵＥは、セルサイズグループ１に在圏しているＵＥのための、リセレクション用異セルグループ（セルサイズグループ２）の測定の実行の有無判定閾値「S1_inter_cell_size_group1」（第１グループ用のセル選択用の測定実行有無判定閾値）を超えるか否か（異セルグループの測定実行条件を満足するか否か）を判断する。すなわち、第２グループの測定実行条件を満足するか否かを判断する。具体的には、移動速度が時速３０ｋｍ以下か否かを判断する。
【０２５７】
ステップＳＴ２４１５において、第２グループの測定実行条件を満足すると判断された場合、すなわち移動速度が３０ｋｍ以下と判断された場合は、ステップＳＴ２４２０に移行し、第２グループの測定実行条件を満足しないと判断された場合、すなわち移動速度が３０ｋｍよりも高いと判断された場合は、ステップＳＴ２４１６に移行する。
【０２５８】
ステップＳＴ２４１６において、ＵＥは、異セルグループ（Inter Cell size group（Small size cell group））、すなわち第２グループに属する周辺セルの測定を実行しないで、ステップＳＴ２４１７に移行する。
【０２５９】
ステップＳＴ２４１５において異セルグループ（inter cell group）の測定の実行の有無判定閾値（異セルグループの測定実行条件）を満足していないと判断されているので、ステップＳＴ２４１７において、ＵＥは、セルグループ間の移行を行わない。つまり、異セルグループ（Inter Cell size group（Small size cell group））に移行せず、同セルグループ（Intra Cell size group（Big size cell group））への在圏を維持する。換言すれば、第２グループに移行せず、第１グループへの在圏を維持する。
【０２６０】
ステップＳＴ２４１５において異セルグループ（inter cell group）の測定の実行の有無判定閾値（異セルグループの測定実行条件）を満足していないと判断されているので、ステップＳＴ２４１８において、ＵＥは、同セルグループに属するセルの測定を実行する。つまり、同セルグループ（Intra Cell size group（Big size cell group））である第１グループに属する周辺セルの測定を実行する。
【０２６１】
ステップＳＴ２４１５において異セルグループ（inter cell group）の測定の実行の有無判定閾値（異セルグループの測定実行条件）を満足していないと判断されているので、ステップＳＴ２４１９において、ＵＥは、ステップＳＴ２４１８における測定の結果が再選択条件を満足している場合は、同セルグループ（Intra Cell size group（Big size cell group））に属するセルへの再選択処理を実行する。同セルグループ内、すなわち第１グループ内のセルを再選択する。ステップＳＴ２４１９の処理を終了した後は、全ての処理手順を終了する。
【０２６２】
ステップＳＴ２４２０において、ＵＥは、異セルグループ（Inter Cell size group（Small size cell group））である第２グループに属する周辺セルの測定を実行する。
【０２６３】
ステップＳＴ２４２１において、ＵＥは、セルサイズグループ１に在圏しているＵＥのための、リセレクション用異セルグループ（セルサイズグループ２）への移行判定閾値「S2_inter_cell_size_group1」（異セルグループへの移行条件）を漢族するか否かを判断する。すなわち、第２グループへの移行条件を満足するか否かを判断する。具体的には、移動速度が時速２０ｋｍ未満か否かを判断する。
【０２６４】
ステップＳＴ２４２１において、第２グループへの移行条件を満足すると判断された場合、すなわち移動速度が時速２０ｋｍ未満と判断された場合は、ステップＳＴ２４２２に移行し、第２グループへの移行条件を満足しないと判断された場合、すなわち移動速度が時速２０ｋｍよりも高いと判断された場合は、ステップＳＴ２４１７に移行する。
【０２６５】
ステップＳＴ２４２２において、ＵＥは、セルグループ間の移行を行う。つまり、異セルグループ（Inter Cell size group（Small size cell group））である第２グループに移行する。
【０２６６】
ステップＳＴ２４２３において、ＵＥは、ステップＳＴ２４２０における測定の結果が再選択条件を満足している場合は、異セルグループ（Inter Cell size group（Small size cell group））に属するセルへの再選択処理を実行する。異セルグループ内、すなわち第２グループ内のセルを再選択する。再選択完了の際、自ＵＥの在圏するセルグループを、セルサイズグループ２（Small size cell group）に変更してもよい。ステップＳＴ２４２３の処理を終了した後は、全ての処理手順を終了する。
【０２６７】
実施の形態１の変形例１によって、実施の形態１の効果に加えて、以下の効果を得ることができる。セルサイズに基づくセルグループを設けて、ＵＥの移動速度に応じたセルグループへの移行判定を行うことによって、ＵＥの移動速度に適したセルサイズのセルに移行することが可能となる。
【０２６８】
これによって、滞留時間の短いセルへのセル再選択およびハンドオーバを抑制し、再度のセル再選択およびハンドオーバを抑制することができるので、通信システムの処理負荷を軽減することができる。またハンドオーバ関連処理を行っている間に、ハンドオーバ先スモールセルを通過して、ハンドオーバ先スモールセルとの通信品質の劣化が生じることを抑制することができるので、ハンドオーバが失敗することを抑制し、モビリティ性能の向上を図ることができる。
【０２６９】
実施の形態１  変形例２．
実施の形態１の変形例２では、実施の形態１の変形例１と同様の課題を解決する。実施の形態１の変形例２における解決策を以下に示す。本変形例では、前述の実施の形態１および実施の形態１の変形例１の解決策のうち、本変形例の特徴部分のみを説明する。
【０２７０】
本変形例では、実施の形態１の変形例１と同様に、実施の形態１の解決策を用いる。具体的には、セルを、セルサイズに基づいてグループ化し、ＵＥが在圏すべきセルグループへの移行判定を自ＵＥの移動速度を用いて行う。
【０２７１】
セルグループの具体例は、実施の形態１の変形例１と同様である。例えば、セルサイズグループ１には、大きいセルサイズのセル、例えばマクロセルなどが属するとする。セルサイズグループ１は、大きいサイズのセルグループ（Big size cell group）としてもよい。セルサイズグループ２には、小さいセルサイズのセル、例えばスモールセルなどが属するとする。セルサイズグループ２は、小さいサイズのセルグループ（Small size cell group）としてもよい。
【０２７２】
ＵＥへのセルグループの通知内容の具体例は、実施の形態１の変形例１と同様であり、グループの識別情報、およびグループを構成するセルのリストをともに通知する場合について開示する。
【０２７３】
グループの識別情報は、セルサイズグループ１とし、セルサイズグループを構成するセルとしては、ＰＣＩ＃１、ＰＣＩ＃２、ＰＣＩ＃３、ＰＣＩ＃４がある場合、「CellSizeGroup1(PCI#1,PCI#2,PCI#3,PCI#4)」として通知する。
【０２７４】
グループの識別情報は、セルサイズグループ２とし、セルサイズグループを構成するセルとしては、ＰＣＩ＃２１、ＰＣＩ＃２２、ＰＣＩ＃２３、ＰＣＩ＃２４、ＰＣＩ＃２５、ＰＣＩ＃２６、ＰＣＩ＃２７、ＰＣＩ＃２８がある場合、「CellSizeGroup2(PCI#21,PCI#22,PCI#23,PCI#24,PCI#25,PCI#26,PCI#27,PCI#28)」として通知する。
【０２７５】
グループを構成するセルのリストには、自セルを含んでもよいし、自セルの識別情報を含んでもよい。グループを構成するセルのリストにサービングセルを含まない場合は、サービングセルが属するセルグループを、別途、傘下のＵＥに通知すればよい。
【０２７６】
ＵＥのセルグループへの移行判定の具体例について、以下に開示する。ＵＥは、自ＵＥの移動速度を用いて、いずれのセルサイズグループに在圏すべきかの移行判定を行う。このような移行判定は、現在在圏するセルのセルサイズグループ（セルサイズ）によらず、対象セルの属するグループのみで判定することから、「絶対的移行判定」という場合がある。
【０２７７】
ＵＥが行う、セルグループへの移行判定の閾値（指標）の設け方の具体例を以下に開示する。移行判定の閾値に代えて、判定条件であってもよい。また、移行判定のための測定の実行の有無判定を別途設けてもよい。移行判定のための測定の実行の有無判定は、セル再選択用と、ハンドオーバ用とに別個設けてもよい。この場合、セルサイズグループ１は、大きいサイズのセルグループとし、セルサイズグループ２は、小さいサイズのセルグループとする。
【０２７８】
セル選択用（ＩｄｌｅモードのＵＥ用）として、以下の（１）〜（４）の４つの閾値を設ける。
【０２７９】
（１）リセレクション用セルサイズグループ１の測定の実行の有無判定閾値。例えば、移動速度に無関係とする。「S1_inter_cell_size_group1：移動速度＜∞」。
【０２８０】
（２）リセレクション用セルサイズグループ１への移行判定閾値。例えば、移動速度に無関係とする。「S2_inter_cell_size_group1：移動速度＜∞」。
【０２８１】
（３）リセレクション用セルサイズグループ２の測定の実行の有無判定閾値。例えば、移動速度が時速５０ｋｍ未満とする。「S1_inter_cell_size_group2：移動速度＜５０ｋｍ／ｈ」。
【０２８２】
（４）リセレクション用セルサイズグループ２への移行判定閾値。例えば、移動速度が時速５０ｋｍ未満とする。「S2_inter_cell_size_group2：移動速度＜５０ｋｍ／ｈ」。
【０２８３】
ハンドオーバ用（ＣｏｎｎｅｃｔｅｄモードのＵＥ用）として、以下の（１）〜（４）の４つの閾値を設ける。
【０２８４】
（１）ハンドオーバ用セルサイズグループ１の測定の実行の有無判定閾値。例えば、移動速度に無関係とする。「T1_inter_cell_size_group1：移動速度＜∞」。
【０２８５】
（２）ハンドオーバ用セルサイズグループ１への移行判定閾値。例えば、移動速度に無関係とする。「T2_inter_cell_size_group1：移動速度＜∞」。
【０２８６】
（３）ハンドオーバ用セルサイズグループ２の測定の実行の有無判定閾値。例えば、移動速度が時速５０ｋｍ未満とする。「T1_inter_cell_size_group2：移動速度＜５０ｋｍ／ｈ」。
【０２８７】
（４）ハンドオーバ用セルサイズグループ２への移行判定閾値。例えば、移動速度が時速５０ｋｍ未満とする。「T2_inter_cell_size_group2：移動速度＜５０ｋｍ／ｈ」。
【０２８８】
図１６は、移行判定閾値の具体例の概念を示すグラフである。図１６の縦軸は移動速度ｖを表し、横軸は時間ｔを表す。セルサイズグループ１は、大きいサイズのセルグループであり、セルサイズグループ２は、小さいサイズのセルグループである。図１６に示す周期Ｐは、例えばＵＥが移動速度ｖを測定（推定）する周期とする。周期の設定がなくてもよい。移動速度ｖを範囲Ｒ１１および範囲Ｒ１２に分類して説明する。
【０２８９】
範囲Ｒ１１は、移動速度ｖが時速５０ｋｍ未満とする。範囲Ｒ１１では、「S1_cell_size_group2：移動速度＜５０ｋｍ／ｈ」、「S2_cell_size_group2：移動速度＜５０ｋｍ／ｈ」、「T1_cell_size_group2：移動速度＜５０ｋｍ／ｈ」、「T2_cell_size_group2：移動速度＜５０ｋｍ／ｈ」を満たす。
【０２９０】
したがって、範囲Ｒ１１において、ＵＥは、リセレクション用セルサイズグループ２（小さいサイズのセルグループ（Small size cell group））の測定を実行する。ＵＥは、リセレクション用セルサイズグループ２（小さいサイズのセルグループ（Small size cell group））への移行を可能とする。別途セルサイズグループ２に属するセルが、再選択基準を満たしている場合は、再選択処理を実行する。
【０２９１】
また、範囲Ｒ１１において、ＵＥは、ハンドオーバ用セルサイズグループ２（小さいサイズのセルグループ（Small size cell group））の測定を実行する。ＵＥは、ハンドオーバ用セルサイズグループ２（小さいサイズのセルグループ（Small size cell group））への移行を可能とする。別途セルサイズグループ２に属するセルが、メジャメント報告の条件を満たしている場合は、測定報告を行う。
【０２９２】
つまり、範囲Ｒ１１において、ＵＥは、セルサイズグループ２（小さいサイズのセルグループ（Small size cell group））の測定を実行する。また、ＵＥは、セルサイズグループ２（小さいサイズのセルグループ（Small size cell group））への移行を可能とする。
【０２９３】
範囲Ｒ１２は、移動速度ｖによらない範囲とする。すなわち、移動速度ｖが∞未満とする。範囲Ｒ１２では、「S1_cell_size_group1：移動速度＜∞」、「S2_cell_size_group1：移動速度＜∞」、「T1_cell_size_group1：移動速度＜∞」、「T2_cell_size_group1：移動速度＜∞」を満たす。
【０２９４】
したがって、範囲Ｒ１２において、ＵＥは、リセレクション用セルサイズグループ１（大きいサイズのセルグループ（Big size cell group））の測定を実行する。ＵＥは、リセレクション用セルサイズグループ１（大きいサイズのセルグループ（Big size cell group））への移行を可能とする。別途セルサイズグループ１に属するセルが、再選択基準を満たしている場合は、再選択処理を実行する。
【０２９５】
また、範囲Ｒ１２において、ＵＥは、ハンドオーバ用セルサイズグループ１（大きいサイズのセルグループ（Big size cell group））の測定を実行する。ＵＥは、ハンドオーバ用セルサイズグループ１（大きいサイズのセルグループ（Big size cell group））への移行を可能とする。別途セルサイズグループ１に属するセルが、メジャメント報告の条件を満たしている場合は、測定報告を行う。
【０２９６】
つまり、範囲Ｒ１２において、ＵＥは、セルサイズグループ１（大きいサイズのセルグループ（Big size cell group））の測定を実行する。また、ＵＥは、セルサイズグループ１（大きいサイズのセルグループ（Big size cell group））への移行を可能とする。
【０２９７】
図１６において、白丸「○」で示されるポイント２５０１、ポイント２５０２、ポイント２５０４、ポイント２５０５およびポイント２５０６は、範囲Ｒ１１および範囲Ｒ１２の両方に含まれる。
【０２９８】
したがって、ＵＥは、セルサイズグループ２（小さいサイズのセルグループ（Small size cell group））とセルサイズグループ１（大きいサイズのセルグループ（Big size cell group））との測定を実行する。また、ＵＥは、セルサイズグループ２（小さいサイズのセルグループ（Small size cell group））およびセルサイズグループ１（大きいサイズのセルグループ（Big size cell group））への移行を可能とする。
【０２９９】
図１６において、黒丸「●」で示されるポイント２５０３、ポイント２５０７、ポイント２５０８、ポイント２５０９およびポイント２５１０は、範囲Ｒ１２に含まれる。したがって、ＵＥは、セルサイズグループ１（大きいサイズのセルグループ（Big size cell group））の測定を実行する。また、ＵＥは、セルサイズグループ１グループ（大きいサイズのセルグループ（Big size cell group））への移行を可能する。
【０３００】
図１７および図１８は、実施の形態１の変形例２におけるＩｄｌｅモードのＵＥの処理手順を示すフローチャートである。また、図１６を用いて概念を説明した閾値では、測定の実行の有無判定閾値と移行判定閾値とは、同じ値である。したがって、図１７および図１８では、測定の実行の有無判定閾値を用いた判断を省略して説明する。
【０３０１】
ステップＳＴ２６０１において、ＵＥは、自ＵＥの移動速度を測定する。ステップＳＴ２６０２において、ＵＥは、リセレクション用セルサイズグループ１への移行判定閾値「S2_inter_cell_size_group1」を満たすか否か（第１グループへの移行条件を満足するか否か）を判断する。具体的には、移動速度が、無限大（∞）未満か否かを判断する。
【０３０２】
ステップＳＴ２６０２において、第１グループへの移行条件を満足すると判断された場合は、ステップＳＴ２６０３に移行し、第１グループへの移行条件を満足しないと判断された場合は、図１８のステップＳＴ２６０８に移行する。本フローチャートにおいて、移行判定閾値「S2_inter_cell_size_group1」は、「移動速度＜∞」であるので、この条件を満たさないと判断されることはないが、満たさないと判断された場合、ステップＳＴ２６０８へ移行する。
【０３０３】
ステップＳＴ２６０３において、ＵＥは、リセレクション用セルサイズグループ２への移行判定閾値「S2_inter_cell_size_group2」を満たすか否か（第２グループへの移行条件を満足するか否か）を判断する。具体的には、移動速度が、時速５０ｋｍ／ｈ未満か否かを判断する。ステップＳＴ２６０３において、第２グループへの移行条件を満足しないと判断された場合は、ステップＳＴ２６０４に移行し、第２グループへの移行条件を満足すると判断された場合は、ステップＳＴ２６０６に移行する。
【０３０４】
ステップＳＴ２６０４において、ＵＥは、セルサイズグループ１に属するセルの測定を行う。つまり、大きいサイズのセルグループ（Big size cell group）に属する周辺セルの測定を実行する。換言すれば、第１グループに属する周辺セルの測定を実行する。
【０３０５】
ステップＳＴ２６０５において、ＵＥは、ステップＳＴ２６０４における測定の結果が再選択条件を満足している場合は、大きいサイズのセルグループ（Big size cell group）に属するセルへの再選択処理を実行する。すなわち、第１グループ内のセルを再選択する。ステップＳＴ２６０５の処理を終了した後は、全ての処理手順を終了する。
【０３０６】
ステップＳＴ２６０６において、ＵＥは、セルサイズグループ１に属するセル、およびセルサイズグループ２に属するセルの測定を行う。つまり、大きいサイズのセルグループ（Big size cell group）に属する周辺セル、および小さいサイズのセルグループ（Small size cell group）に属する周辺セルの測定を実行する。換言すれば、第１グループに属する周辺セル、および第２グループに属する周辺セルの測定を実行する。
【０３０７】
ステップＳＴ２６０７において、ＵＥは、ステップＳＴ２６０６における測定の結果が再選択基準を満たしている場合は、大きいサイズのセルグループ（Big size cell group）に属するセル、あるいは小さいサイズのセルグループ（Small size cell group）に属するセルへの再選択処理を実行する。換言すれば、第１グループ内のセル、または第２グループ内のセルを再選択する。セルサイズグループ１に属するセル、およびセルサイズグループ２に属するセルの測定におけるベストセルを選択し、再選択処理を実行してもよい。ステップＳＴ２６０７の処理を終了した後は、全ての処理手順を終了する。
【０３０８】
図１８に示すステップＳＴ２６０８において、ＵＥは、リセレクション用セルサイズグループ２への移行判定閾値「S2_inter_cell_size_group2」を満たすか否か（第２グループへの移行条件を満足するか否か）を判断する。具体的には、移動速度が、時速５０ｋｍ／ｈ未満か否かを判断する。
【０３０９】
ステップＳＴ２６０８において、第２グループへの移行条件を満足しないと判断された場合は、他の処理に移行するが、本発明の特徴的な部分ではないので、説明を省略する。ステップＳＴ２６０８において、第２グループへの移行条件を満足すると判断された場合は、ステップＳＴ２６０９に移行する。
【０３１０】
ステップＳＴ２６０９において、ＵＥは、セルサイズグループ２に属するセルの測定を行う。つまり、小さいサイズのセルグループ（Small size cell group）に属する周辺セルの測定を実行する。換言すれば、第２グループに属する周辺セルの測定を実行する。
【０３１１】
ステップＳＴ２６１０において、ＵＥは、ステップＳＴ２６０９における測定の結果が再選択条件を満足している場合は、小さいサイズのセルグループ（Small size cell group）に属するセルへの再選択処理を実行する。すなわち、第２グループ内のセルを再選択する。ステップＳＴ２６１０の処理を終了した後は、全ての処理手順を終了する。
【０３１２】
実施の形態１の変形例２によって、実施の形態１および実施の形態１の変形例１の効果に加えて、以下の効果を得ることができる。
【０３１３】
実施の形態１の変形例１は、ＵＥの移行判定が、相対的移行判定である。したがって、ＵＥが現在在圏するセルのセルサイズグループ（セルサイズ）を認識する必要がある。
【０３１４】
これに対し、実施の形態１の変形例２は、ＵＥの移行判定が、絶対的移行判定である。したがって、ＵＥが現在在圏するセルのセルサイズグループ（セルサイズ）を認識する必要がないので、セルは、自セルが属するセルサイズグループを傘下のＵＥに通知する必要がなくなる。これによって、無線リソースを有効に活用することができる。また、ＵＥは、サービングセルが属するセルグループを認識する必要がないので、ＵＥの処理負荷を軽減することができる。
【０３１５】
実施の形態１  変形例３．
実施の形態１の変形例２の解決策では、複数のセルグループの測定の実行の有無判定閾値を満足する場合、ＵＥは、閾値を満足したセルグループに属する周辺セルの測定を実行する。したがって、測定の実行の有無判定閾値によっては、ＵＥは多くのセルを測定しなければならないので、メジャメントのために多大な時間を要するという課題が再度発生する。
【０３１６】
実施の形態１の変形例３では、実施の形態１の変形例２と同様の課題を解決する。実施の形態１の変形例３における解決策を以下に示す。本変形例では、前述の実施の形態１、実施の形態１の変形例１および実施の形態１の変形例２の解決策のうち、本変形例の特徴部分のみ説明する。
【０３１７】
本変形例では、実施の形態１の変形例１および実施の形態１の変形例２と同様に、実施の形態１の解決策を用いる。具体的には、セルを、セルサイズに基づいてグループ化し、ＵＥが在圏すべきセルグループへの移行判定を自ＵＥの移動速度を用いて行う。セルグループへの移行判定において、セルグループの優先順位を考慮する。
【０３１８】
複数のセルグループにおいて、移行判定のための測定の実行の有無判定を満たす場合、優先順位の高いセルグループに属するセルの測定を実行する。優先順位の低いセルグループに属するセルの測定は実行しない、あるいは優先順位を落として実行する。
【０３１９】
複数のセルグループにおいて、移行判定の閾値を満たす場合、優先順位の高いセルグループに属するセルへの移行を実行する。優先順位の低いセルグループに属するセルへの移行は実行しない、あるいは優先順位を落として実行する。
【０３２０】
優先順位を決定する主体の具体例として、以下の（１）〜（３）の３つを開示する。
（１）Ｏ＆Ｍ（Operation and Maintenance）が決定する。Ｏ＆Ｍは、各セルグループに属するセルに、決定した優先順位を通知する。
【０３２１】
（２）セルが決定する。セルがスモールセルなどである場合、カバレッジマクロセルが決定してもよい。スモールセルが他のセルのカバレッジ内に設置された場合、該他のセルを「カバレッジマクロセル」という。決定する主体のセルと、該セルとが異なる場合は、決定する主体のセルは、該セルに、決定した優先順位を通知する。このとき、Ｘ２インタフェース、またはＳ１インタフェースを用いて通知すればよい。
【０３２２】
（３）ＵＥが決定する。具体的には、ＵＥが、優先順位を決定する所定の閾値に基づいて、優先順位を決定する。所定の閾値は、ネットワーク側からＵＥに通知する。
【０３２３】
ＵＥへの優先順位の通知方法としては、サービングセルは、傘下のＵＥに対して、優先順位を通知する。サービングセルは、優先順位を、セルグループとともに通知する。セルサイズに応じたグループを設け、優先順位を付加する。優先順位の通知方法の具体例は、実施の形態１のセルグループの通知方法の具体例と同様であるので、説明を省略する。
【０３２４】
優先順位について、実施の形態１の変形例２で開示したセルグループへの移行判定の閾値（指標）の設け方の具体例を用いて説明する。セルサイズグループ１は、大きいサイズのセルグループとし、セルサイズグループ２は、小さいサイズのセルグループとする。セルサイズグループ１の優先順位を「２」、セルサイズグループ２の優先順位を「１」とする。優先順位の番号が小さいほど、優先順位が高いとする。
【０３２５】
前述の図１６を用いて、移行判定閾値の具体例の概念を説明する。範囲Ｒ１１および範囲Ｒ１２の説明は、実施の形態１の変形例２と同様であるので、説明を省略する。
【０３２６】
図１６において、白丸「○」で示されるポイント２５０１、ポイント２５０２、ポイント２５０４、ポイント２５０５およびポイント２５０６は、範囲Ｒ１１および範囲Ｒ１２の両方に含まれる。つまり、複数のセルグループにおいて、移行判定のための測定の実行の有無判定を満たし、複数のセルグループにおいて、移行判定の閾値を満たす。
【０３２７】
セルサイズグループ２の優先順位が「１」であり、セルサイズグループ１の優先順位が「２」である。つまり、優先順位は、セルサイズグループ１と比較してセルサイズグループ２が高くなる。
【０３２８】
したがって、ＵＥは、優先して、セルサイズグループ２（小さいサイズのセルグループ（Small size cell group））の測定を実行する。また、ＵＥは、セルサイズグループ２（小さいサイズのセルグループ（Small size cell group））への移行を可能する。ＵＥは、優先順位を落として、セルサイズグループ１（大きいサイズのセルグループ（Big size cell group））の測定を実行する。また、ＵＥは、セルサイズグループ１（大きいサイズのセルグループ（Big size cell group））への移行を可能する。
【０３２９】
図１６において、黒丸「●」で示されるポイント２５０３、ポイント２５０７、ポイント２５０８、ポイント２５０９およびポイント２５１０は、範囲Ｒ１２に含まれる。つまり、複数のセルグループにおいて、移行判定のための測定の実行の有無判定を満たさず、複数のセルグループにおいて、移行判定の閾値を満たさない。
【０３３０】
したがって、ＵＥは、セルサイズグループ１（大きいサイズのセルグループ（Big size cell group））の測定を実行する。また、ＵＥは、セルサイズグループ１（大きいサイズのセルグループ（Big size cell group））への移行を可能する。
【０３３１】
図１９は、実施の形態１の変形例３におけるＩｄｌｅモードのＵＥの処理手順を示すフローチャートである。前述の図１６を用いて概念を説明した閾値では、測定の実行の有無判定閾値と移行判定閾値とは、同じ値である。したがって、図１９では、測定の実行の有無判定閾値を用いた判断を省略して説明する。
【０３３２】
ステップＳＴ２７０１において、ＵＥは、自ＵＥの移動速度を測定する。ステップＳＴ２７０２において、ＵＥは、各セルグループの優先順位を確認する。
【０３３３】
ステップＳＴ２７０３において、ＵＥは、ステップＳＴ２７０２で確認した優先順位において最も高い優先順位のセルグループから、移行判定を行う。本具体例では、セルグループ２の優先順位が最も高い。
【０３３４】
したがって、ステップＳＴ２７０３において、ＵＥは、リセレクション用セルサイズグループ２への移行判定閾値「S2_inter_cell_size_group2」を満たすか否か（最も高い優先順位のセルグループ（以下「最高優先順位グループ」という場合がある。）への移行条件を満足するか否か）を判断する。具体的には、移動速度が時速５０ｋｍ／ｈ未満か否かを判断する。
【０３３５】
ステップＳＴ２７０３において、最高優先順位グループへの移行条件を満足すると判断された場合は、ステップＳＴ２７０４に移行し、最高優先順位グループへの移行条件を満足しないと判断された場合は、ステップＳＴ２７０７に移行する。
【０３３６】
ステップＳＴ２７０４において、ＵＥは、セルサイズグループ２に属する周辺セルの測定を実行する。つまり、小さいサイズのセルグループ（Small size cell group）に属する周辺セルの測定を実行する。換言すれば、最高優先順位グループに属する周辺セルの測定を実行する。
【０３３７】
ステップＳＴ２７０５において、ＵＥは、ステップＳＴ２７０４における測定の結果で再選択条件を満足するセルが存在するか否かを判断する。換言すれば、最高優先順位グループ内に再選択条件を満足するセルが存在するか否かを判断する。ステップＳＴ２７０５において、最高優先順位グループ内に再選択条件を満足するセルが存在すると判断された場合は、ステップＳＴ２７０６に移行し、最高優先順位グループ内に再選択条件を満足するセルが存在しないと判断された場合は、ステップＳＴ２７０７に移行する。
【０３３８】
ステップＳＴ２７０６において、ＵＥは、小さいサイズのセルグループ（Small size cell group）に属し、再選択条件を満足するセルへの再選択処理を実行する。すなわち、最高優先順位グループ内のセルを再選択する。
【０３３９】
ステップＳＴ２７０７において、ＵＥは、ステップＳＴ２７０２で確認した優先順位において次に高い優先順位のセルグループ（以下「第２優先順位グループ」という場合がある）から、移行判定を行う。本具体例では、セルグループ１の優先順位が次に高い。したがって、ステップＳＴ２７０７において、ＵＥは、リセレクション用セルサイズグループ１への移行判定閾値「S2_inter_cell_size_group1」を満たすか否か（第２優先順位グループへの移行条件を満足するか否か）を判断する。具体的には、移動速度が時速無限大（∞）未満か否かを判断する。
【０３４０】
ステップＳＴ２７０７において、第２優先順位グループへの移行条件を満足すると判断された場合は、ステップＳＴ２７０８に移行する。本変形例では、第２優先順位グループへの移行条件を満足しないと判断されることはないが、満たさないと判断された場合は、全ての処理手順を終了する。
【０３４１】
ステップＳＴ２７０８において、ＵＥは、セルサイズグループ１に属するセルの測定を行う。つまり、大きいサイズのセルグループ（Big size cell group）に属する周辺セルの測定を実行する。換言すれば、第２優先順位グループに属する周辺セルの測定を実行する。
【０３４２】
ステップＳＴ２７０９において、ＵＥは、ステップＳＴ２７０８における測定の結果が再選択条件を満足するセルへの再選択処理を実行する。すなわち、第２優先順位グループ内のセルを再選択する。
【０３４３】
実施の形態１の変形例３によって、実施の形態１、実施の形態１の変形例１および実施の形態１の変形例２の効果に加えて、以下の効果を得ることができる。実施の形態１の変形例２と比較して、測定対象のセルを限定することが可能となるので、メジャメント性能の改善を図ることができる。メジャメント対象のセルを限定することによって、短時間で再選択処理および測定報告が可能になる。したがって、通信システムの制御遅延を防止することができる。また、ネットワーク側が優先順位を設定する場合、ネットワーク側が指定した優先順位で、ＵＥがメジャメントを実行するので、通信システムの負荷調整が可能となる。
【０３４４】
実施の形態１  変形例４．
実施の形態１、実施の形態１の変形例１、実施の形態１の変形例２、実施の形態１の変形例３の解決策では、ＵＥが選択したセルグループあるいはセルグループ内セルの負荷が大きい場合がある。このような場合、たとえそのセルグループに属するセル再選択、あるいはハンドオーバしたとしても、ＵＥのユーザスループットの低く、高速大容量通信を行なうことはできないという課題が発生する。
【０３４５】
実施の形態１の変形例４における解決策を以下に示す。実施の形態１、実施の形態１の変形例１、実施の形態１の変形例２、および実施の形態１の変形例３の解決策のうち、本変形例の特徴部分のみ説明する。
【０３４６】
本変形例では、セルグループへの移行判定において、セルグループの負荷情報を考慮する。セルグループの規制情報であってもよい。セルグループの規制情報は、ＡＣＢ（Access Class Barring）情報であってもよいし、ＥＡＢ（Extended Access Barring）情報であってもよい。
【０３４７】
複数のセルグループにおいて、移行判定のための測定の実行の有無判定を満たす場合、負荷が低いセルグループに属するセルの測定を実行する。負荷が高いセルグループに属するセルの測定は実行しない、あるいは優先順位を落として実行する。
【０３４８】
複数のセルグループにおいて、移行判定の閾値を満たす場合、負荷が低いセルグループに属するセルへの移行を実行する。負荷が高いセルグループに属するセルへの移行は実行しない、あるいは優先順位を落として実行する。
【０３４９】
例えば、負荷レベルは「１」〜「３」とし、負荷レベル「３」は、ＵＥのセル再選択禁止、ハンドオーバ禁止とする。負荷レベルの番号が大きいほど、負荷が高いとする。
【０３５０】
ＵＥへの負荷情報の通知方法としては、サービングセルは、傘下のＵＥに対して、負荷情報を通知する。サービングセルは、負荷情報を、セルグループとともに通知する。セルサイズに応じたグループを設け、負荷情報を付加する。負荷情報の通知方法の具体例は、実施の形態１のセルグループの通知方法の具体例と同様であるので、説明を省略する。セル毎に負荷情報を付加してもよい。
【０３５１】
実施の形態１の変形例４を用いるシチュエーションの具体例として、以下の（１），（２）の２つを開示する。
【０３５２】
（１）セルのサポートする無線アクセス技術（Radio Access Technology：ＲＡＴ）によってグループ化する。例えば、セルグループ１は、ＬＴＥシステムとし、セルグループ２は、無線ＬＡＮシステム（Ｗｉｒｅｌｅｓｓ  ＬＡＮ）とする。例えば、ＬＴＥシステムの負荷が高い場合は、セルグループ１の負荷を高く設定し、セルグループ２の負荷を低く設定する。
【０３５３】
これによって、複数のセルグループにおいて、移行判定のための測定の実行の有無判定を満たす場合、負荷が低い無線ＬＡＮシステムのグループに属するセルの測定を実行し、負荷が高いＬＴＥシステムのグループに属するセルの測定は実行しない、あるいは優先順位を落として実行することが可能となる。また、複数のセルグループにおいて、移行判定の閾値を満たす場合、負荷が低い無線ＬＡＮシステムのグループに属するセルへの移行を実行し、負荷が高いＬＴＥシステムのセルグループに属するセルへの移行は実行しない、あるいは優先順位を落として実行することが可能となる。
【０３５４】
（２）セルのバックホールリンクの種別によってグループ化する。例えば、セルグループ１は、バックホールが光ネットワークとし、セルグループ２は、バックホールが無線とする。例えば、光ネットワークの負荷が高い場合は、セルグループ１の負荷を高く設定し、セルグループ２の負荷を低く設定する。
【０３５５】
これによって、複数のセルグループにおいて、移行判定のための測定の実行の有無判定を満たす場合、負荷が低いバックホールが無線のグループに属するセルの測定を実行し、負荷が高いバックホールが光ネットワークのグループに属するセルの測定は実行しない、あるいは優先順位を落として実行することが可能となる。また、複数のセルグループにおいて、移行判定の閾値を満たす場合、負荷が低いバックホールが無線のグループに属するセルへの移行を実行し、負荷が高いバックホールが光ネットワークのセルグループに属するセルへの移行は実行しない、あるいは優先順位を落として実行することが可能となる。
【０３５６】
実施の形態１の変形例４によって、実施の形態１、実施の形態１の変形例１、実施の形態１の変形例２および実施の形態１の変形例３の効果に加えて、以下の効果を得ることができる。負荷が低いセルグループに属するセルを測定対象とすることが可能となる。これによって、ユーザスループットの改善を図ることができる。
【０３５７】
実施の形態２．
実施の形態２で解決する課題について、以下に説明する。マクロセルに比べて、スモールセルのセル半径、すなわちカバレッジ範囲は小さい。ＵＥが移動する場合、マクロセルに比べて、スモールセルにおけるＵＥの滞留時間は短くなる。したがって、スモールセル間を高速で移動するＵＥは、ＨＯ元のスモールセルにおいてＨＯ関連処理を行っている間に、ＨＯ元スモールセルとの通信品質が劣化して、ＨＯが正常に行われずに失敗する場合がある。
【０３５８】
また、ＵＥが、仮に、測定によって適切なＨＯ先スモールセルを検出したとしても、ＨＯ関連処理を行っている間に、ＨＯ先スモールセルをＵＥが通過してしまうような場合も生じる。この場合も、既に、ＨＯ先スモールセルとの通信品質は劣化しているので、ＨＯが正常に行われずに失敗する場合が生じる。
【０３５９】
したがって、多数のスモールセルが設置される場合、ＵＥが高速に移動するときのモビリティ性能の向上が課題となる。
【０３６０】
前述のような問題の解決策として、３ＧＰＰにおいて、デュアルコネクティビティ（Dual connectivity）という方法が提案されている（非特許文献１１参照）。デュアルコネクティビティでは、ＵＥが、非理想バックホールで接続された少なくとも２つの異なるネットワークポイントによって与えられた無線リソースを用いる。
【０３６１】
デュアルコネクティビティとして、次の２つの方法が提案されている。１つは、ノード間無線リソースアグリゲーションである。もう１つは、ＲＲＣダイバーシチである。
【０３６２】
ノード間無線リソースアグリゲーションでは、ユーザプレインデータ用に２つ以上のｅＮＢの無線リソースがアグリゲートされる。２つ以上のｅＮＢとして、そのカバレッジが位置的にオーバレイしているマクロｅＮＢとスモールｅＮＢとが検討されている。また、この場合に、マクロセルにおいてモビリティアンカーを維持することが検討されている。この方法では、マクロセルにおいてモビリティ制御が行われるので、前述のＵＥのスモールセルにおける滞留時間が短いことに起因するＨＯの失敗を低減することが可能となる。
【０３６３】
しかし、ノード間無線リソースアグリゲーションでは、マクロセルを用いるので、スモールセルにマクロセルがオーバレイしている所で無ければ実現できない。スモールセルのみが密に配置されているような所では、前述の問題が生じる。また、新たにスモールセルとオーバレイするマクロセルを設置することも考えられるが、マクロセルの設置に莫大なコストがかかる。
【０３６４】
ＲＲＣダイバーシチでは、ＨＯ関連のＲＲＣシグナリングが、ＨＯ先となる可能性のあるセルから、あるいはセルに送信される。この方法では、ＵＥは、ＨＯ元セルとＨＯ先となる可能性のあるセルの少なくともいずれか一方のセルから、ＨＯ関連のＲＲＣシグナリングを受信することが可能となる。
【０３６５】
しかし、ＲＲＣダイバーシチでは、ＨＯ先となる可能性のあるセルを用いるので、該セルが実際のＨＯにおけるＨＯ先セルと異なる場合が生じる。したがって、必ずしもＵＥがＨＯ関連のＲＲＣシグナリングをＨＯ先のセルから受信できるとは限らない。
【０３６６】
また、ＨＯ先セルを用いてＲＲＣダイバーシチが行われるには、ＨＯ関連処理と同様に、ＨＯ先が特定された上で、ＵＥがＨＯ先セルとＲＲＣ接続されなければならない。したがって、セルにおける滞留時間が短いことに起因するＨＯの失敗を低減することは難しい。
【０３６７】
本実施の形態では、これらとは異なる方法で、前述の問題を解決することを目的とする。
【０３６８】
複数のスモールセルを用いて、１つのスモールセルのカバレッジよりも大きいカバレッジを構成するセル（以下「仮想マクロセル」という）を構成する。
【０３６９】
仮想マクロセルを構成する複数のスモールセルを、「スモールセルグループ」（以下「ＳＣＧ」という）という。
【０３７０】
ＳＣＧ内のスモールセルは、ＵＥとの間で、同一のデータおよび信号を送受信する。ＳＣＧ内のスモールセルは、同一の通信を行う。
【０３７１】
ＳＣＧ内の各スモールセルが同一の通信を行うための構成および機能を開示する。ＳＣＧ内のスモールセルのセル識別子は同一とし、ＳＣＧとして１つ有する。すなわち、ＳＣＧ内の各スモールセルは、同一のセルとして識別され、同一の通信を行う。上位エンティティとの間において、ＳＣＧを該セル識別子で認識可能としてもよい。また、セル識別子として、従来のセルに与えられるものとするとよい。セル識別子としては、ＣＧＩ、ＥＣＧＩ、ＰＣＩなどがある。
【０３７２】
複数のスモールセルを用いて、よりカバレッジを大きくする方法として、従来のＲＲＨ運用がある（非特許文献７参照）。しかし、従来のＲＲＨは、マクロセルに接続されており、また、各ＲＲＨが異なるＰＣＩを有している。本実施の形態では、スモールセルは同じＰＣＩを有する。したがって、この点で、従来の方法とは異なる。
【０３７３】
また、ＲＲＨを用いた技術としては、他にもＣｏＭＰシナリオ４運用におけるＲＲＨが提案されている（非特許文献７参照）。これは、マクロセルとＲＲＨをオーバレイするように配置し、ＲＲＨがマクロセルと同じＰＣＩを有するように構成する。本実施の形態では、マクロセルとスモールセルとがオーバレイしていない場合の方法であり、この点で従来の方法とは異なる。
【０３７４】
ＳＣＧ内のスモールセルは、同期（synchronization）がとられる。同期の精度としては、ＣＰ（cyclic prefix）の範囲内にするとよい。
【０３７５】
下りに関しては、ＳＣＧの傘下のＵＥで、ＳＣＧ内のスモールセルからの受信信号がＣＰの範囲内にするとよい。これによって、複数のスモールセルからの送信が、１つのマクロセルからの送信とみなされる。したがって、ＵＥは、１つのマクロセルからのマルチパスと同様に扱うことが可能となる。
【０３７６】
上りに関しては、各スモールセルで、ＵＥからの受信信号がＣＰの範囲内にするとよい。これによって、各スモールセルは、ＳＣＧの傘下のＵＥからの送信を、従来のスモールセルの傘下のＵＥからの送信と同様に扱うことが可能となる。
【０３７７】
複数のスモールセル間の同期は、ＧＰＳ（Global Positioning System）などを用いて達成すればよい。
【０３７８】
ＳＣＧ内の各スモールセルの物理リソースの構成を同一にする。周波数領域および時間領域の物理リソースの構成を同一とする。キャリア周波数、周波数帯域、サブキャリア数、サブフレーム構成、サブフレーム内シンボル数およびＣＰ長などの物理リソースの構成を同一とする。
【０３７９】
ＳＣＧ内の各スモールセルのプロトコルを同一にする。レイヤ３、レイヤ２、レイヤ１の処理を同一とし、同一の物理リソースにマッピングする。例えば、レイヤ１におけるＳＳ、ＣＲＳ、ＰＢＣＨ、ＰＤＣＣＨ、ＰＤＳＣＨ、ＰＵＣＣＨ、ＰＵＳＣＨなどの物理チャネルおよび信号を同一の物理リソースにマッピングする。また、レイヤ２のスケジューリングにおいては、各スモールセルで、ＳＣＧの傘下の全てのＵＥに対するスケジューリングを行い、各ＵＥへのリソースの割当ておよびＭＣＳ（Modulation and Coding Scheme）は、各スモールセルで同一とする。
【０３８０】
ＳＣＧ内のスモールセルが、このような構成および機能を有することによって、ＳＣＧ内のスモールセルが同一の通信を行うことが可能となる。ＳＣＧの傘下のＵＥにとって、各スモールセルを判別する必要は無く、１つのセルとみなすことが可能となる。すなわち、ＳＣＧ内のスモールセルによって、１つのスモールセルよりも広いカバレッジを有する１つの仮想的なマクロセルが構成される。
【０３８１】
仮想マクロセルを構成するＳＣＧ内のスモールセルは、ＰＣＩが同一であり、ＵＥは、各スモールセルを識別不可能であるので、「ノード」と称してもよいが、本実施の形態およびその変形例では、「セル」と称することにする。
【０３８２】
ＳＣＧ毎に集中制御エンティティ（以下「コンセントレータ」という）を設けてもよい。コンセントレータが、ＳＣＧ内のスモールセルを制御する。コンセントレータは、ＳＣＧ内の各スモールセルと接続される。
【０３８３】
前述のように、ＳＣＧ内のスモールセルは、上位レイヤから物理リソースへのマッピングまで同一の動作をする。したがって、コンセントレータが、該動作の一部または全部を行うように制御することによって、各スモールセルの構成を簡略化することが可能となる。
【０３８４】
コンセントレータは、ＳＣＧ内のスモールセルのいずれかに設けられてもよいし、スモールセルとは別に設けられてもよい。
【０３８５】
また、例えば、コンセントレータは変復調部までを有するように構成し、各スモールセルは周波数変換部からアンテナまでを有するように構成してもよい。機能分担は、これに限らず、各スモールセルが同一の通信を行なうことができればよい。
【０３８６】
ＵＥが、仮想マクロセルを構成するＳＣＧ内のスモールセルと通信を行うことは、１つのスモールセルよりも広いカバレッジを有する１つの仮想的なマクロセルと通信を行うことに相当する。したがって、ＵＥの、セルにおける滞留時間が短いことに起因するＨＯの失敗を低減することが可能となる。これによって、ＵＥのモビリティ性能を改善することが可能となる。
【０３８７】
また、さらに、仮想マクロセルを構成するＳＣＧ内のスモールセルの一部あるいは全部に、各々個別のセル、つまり個別のｅＮＢによって構成されるセルとしての機能を設けて、各々個別のセルとして動作するように構成してもよい。すなわち、該スモールセルは、通常のｅＮＢによって構成されるセルとして動作する。
【０３８８】
個別のセルとして動作するスモールセルは、仮想マクロセルとして動作する場合のキャリア周波数と異なるキャリア周波数を有してもよい。個別のセルとして動作するスモールセルは、同一のキャリア周波数を有するようにしてもよい。また、仮想マクロセルとして動作する場合のキャリア周波数を、マクロセルのキャリア周波数と同じにしてもよい。個別のセルとして動作するスモールセルの周波数レイヤと、仮想マクロセルとして動作する場合の周波数レイヤとを異ならせてもよい。このようにすることによって、仮想マクロセルとしての動作と個別のセルとしての動作との間で生じる干渉を無くすことができる。
【０３８９】
個別のセルとして動作する場合の周波数バンドと、仮想マクロセルとして動作する場合の周波数バンドとを異ならせてもよい。また、仮想マクロセルとして動作する場合の周波数バンドを、マクロセルの周波数バンドと同じにしてもよい。
【０３９０】
個別のセルとして動作するスモールセルは、個別のセルとして動作する場合のセル識別子と仮想マクロセルとして動作する場合のセル識別子とを各々有する。スモールセルは、個別のセルとしての動作では、個別のセルとして動作する場合のセル識別子を用い、仮想マクロセルとしての動作では、仮想マクロセルとして動作する場合のセル識別子を用いる。これによって、スモールセルは、ＳＣＧ内スモールセルが構成する仮想マクロセルの動作と、スモールセルのみの個別のセルとしての動作との両方を行うことが可能となる。
【０３９１】
スモールセルにおける各々のセル識別子は、Ｏ＆Ｍが設定してもよい。コンセントレータを介して設定されてもよい。
【０３９２】
また、スモールセルにおける各々のＰＣＩの設定に、ＰＣＩ選択機能（非特許文献１参照）が別々に用いられてもよい。仮想マクロセルとして動作する場合のＰＣＩは、仮想マクロセルとして動作する場合の周波数レイヤにおいてＰＣＩ選択機能を用いて決定され、個別のセルとして動作する場合のＰＣＩは、個別のセルとして動作する場合の周波数レイヤにおいてＰＣＩ選択機能を用いて決定されるようにしてもよい。
【０３９３】
図２０は、仮想マクロセルを構成するＳＣＧの概念を説明するための図である。図２０では、スモールセルを参照符号「４１０９」〜「４１３６」で示す。また、スモールセルグループ（ＳＣＧ）を参照符号「４１０５」〜「４１０８」で示す。各ＳＣＧは、７つのスモールセルから構成される。例えば、ＳＣＧ４１０５は、スモールセル４１０９〜４１１５で構成される。コンセントレータ４１０１〜４１０４は、各々ＳＣＧ４１０５〜４１０８に接続される。
【０３９４】
各々のＳＣＧ４１０５〜４１０８が、各々１つの仮想マクロセルを構成する。前述のように、各ＳＣＧ内のスモールセルが同一の通信を行うことによって、ＳＣＧの傘下のＵＥにとって、各スモールセルを判別する必要は無く、１つのセルとみなすことが可能となる。例えば、ＳＣＧ４１０５では、スモールセル４１０９〜４１１５が同一の通信を行う。したがって、１つのスモールセル、例えばスモールセル４１０９よりも広いカバレッジを有する１つの仮想的なマクロセル４１０５が構成される。
【０３９５】
ＵＥ４１３７は、ＳＣＧ４１０８が仮想マクロセルを構成する場合、ＳＣＧ４１０８の傘下のＵＥ、すなわち仮想マクロセルの傘下のＵＥとなる。ＵＥ４１３７が、矢印で示す方向に移動する場合、スモールセル４１３６，４１３１，４１１３，４１１２などにおけるＵＥの滞留時間よりも、ＳＣＧ４１０８，４１０５によって構成される仮想マクロセルにおけるＵＥの滞留時間の方が長くなる。
【０３９６】
仮想マクロセルを構成するＳＣＧ内のスモールセルは、仮想マクロセルとして動作するとともに、個別のセルとしても動作する。
【０３９７】
図２１は、スモールセルで使用される物理リソースの一例を示す図である。図２１では、仮想マクロセルとして動作する場合のキャリア周波数および帯域幅からなる物理リソースを参照符号「４１３８」で示しており、個別のセルとして動作する場合のキャリア周波数および帯域幅からなる物理リソースを参照符号「４１３９」で示している。
【０３９８】
仮想マクロセルとして動作する場合の物理リソース４１３８は、ＳＣＧ内の各スモールセルで同一である。また、ＳＣＧ内の各スモールセルは、物理リソース４１３８を用いて同一の通信を行う。
【０３９９】
個別のセルとして動作する場合の物理リソース４１３９は、ＳＣＧ内の各スモールセルで同じであってもよいし、物理リソースのうち一部あるいは全部が異なってもよい。また、物理リソース４１３９を用いてスモールセル毎に通信が行われる。
【０４００】
ＳＣＧ内のスモールセルのうち、個別のセルとして動作するスモールセルは、仮想マクロセルとしての動作（以下「仮想マクロセルモード」という）と、個別のセルとしての動作（以下「個別セルモード」という）の両運用を行う。
【０４０１】
このようにすることによって、ＳＣＧ内のスモールセルを用いて、仮想マクロセルとスモールセルとのオーバレイ構造ができる。
【０４０２】
したがって、ＳＣＧ内のスモールセルを用いてデュアルコネクティビティを行うことが可能となる。従来、スモールセルのみでできなかったノード間無線リソースアグリゲーションが、本実施の形態で開示した方法を用いることによって、スモールセルのみで行うことが可能となる。
【０４０３】
仮想マクロセルを用いてモビリティアンカーを維持するとよい。例えば、ＨＯ関連のＲＲＣシグナリングは、仮想マクロセルモードで運用しているＳＣＧ内のスモールセルとＵＥとの間で行われるようにするとよい。その他のシグナリングおよびデータに関しては、個別セルモードで運用しているスモールセルを用いて行うようにすればよい。このようにすることによって、スモールセルよりも広いカバレッジを有する仮想マクロセルにおいてモビリティ制御が行われるので、ＵＥのスモールセルにおける滞留時間が短いことに起因するＨＯの失敗を低減することが可能となる。
【０４０４】
また、仮想マクロセルモードで運用しているＳＣＧ内のスモールセルを用いて制御プレイン（C-plane）接続を行い、個別セルモードで運用しているスモールセルを用いてユーザプレイン（U-plane）接続を行うようにしてもよい。これによって、ＨＯの失敗を低減することが可能となり、モビリティ性能の改善を図ることができる。
【０４０５】
仮想マクロセルとＵＥとの間の通信を、所定のシグナリングおよび制御プレイン（C-plane）接続、あるいは所定のシグナリングと一部のデータ通信などに限定することによって、仮想マクロセルに必要となる物理リソースを低減することが可能となる。例えば、仮想マクロセルモードを運用するための周波数帯域幅を、狭帯域にすることが可能となる。
【０４０６】
仮想マクロセルモードを運用するための周波数帯域幅を、個別セルモードを運用するための周波数帯域幅よりも狭帯域にしてもよい。これによって、仮想マクロセルモードの運用における周波数利用効率の低下を抑えることが可能となる。
【０４０７】
前記一部のデータ通信としては、例えば、音声などの低遅延が要求されるものとする。これによって、ＨＯによる失敗を低減できるので、音声データの欠落を低減することが可能となる。
【０４０８】
図２２は、仮想マクロセルモードおよび個別セルモードの両運用を行う場合の通信システムのアーキテクチャの一例を示す図である。図２２に示す通信システムは、Ｐ−ＧＷ４２０１、Ｓ−ＧＷ４２０２、ＭＭＥ４２０３、コンセントレータ４２０４、第１のスモールセル（ＳＣ１）４２０５、第２のスモールセル（ＳＣ２）４２０６、第３のスモールセル（ＳＣ３）４２０７、およびＵＥ４２０８を備えて構成される。
【０４０９】
Ｐ−ＧＷ４２０１とＳ−ＧＷ４２０２とは、例えばＳ５インタフェースなどのインタフェース４２０９によって接続される。Ｓ−ＧＷ４２０２とＭＭＥ４２０３とは、例えばＳ１１インタフェースなどのインタフェース４２１０によって接続される。
【０４１０】
ＭＭＥ４２０３とコンセントレータ４２０４とは、インタフェース４２１１によって接続される。ＭＭＥ４２０３と第１のスモールセル（ＳＣ１）４２０５とは、インタフェース４２１２によって接続される。ＭＭＥ４２０３と第２のスモールセル（ＳＣ２）４２０６とは、インタフェース４２１３によって接続される。ＭＭＥ４２０３と第３のスモールセル（ＳＣ３）４２０７とは、インタフェース４２１４によって接続される。
【０４１１】
ＭＭＥ４２０３とコンセントレータ４２０４またはスモールセル４２０５〜４２０７とを接続するインタフェース４２１１〜４２１４は、例えばＳ１インタフェース、具体的にはＳ１−ＭＭＥインタフェースである。
【０４１２】
Ｓ−ＧＷ４２０２とコンセントレータ４２０４とは、インタフェース４２１５によって接続される。Ｓ−ＧＷ４２０２と第１のスモールセル（ＳＣ１）４２０５とは、インタフェース４２１６によって接続される。Ｓ−ＧＷ４２０２と第２のスモールセル（ＳＣ２）４２０６とは、インタフェース４２１７によって接続される。Ｓ−ＧＷ４２０２と第３のスモールセル（ＳＣ３）４２０７とは、インタフェース４２１８によって接続される。
【０４１３】
Ｓ−ＧＷ４２０２とコンセントレータ４２０４またはスモールセル４２０５〜４２０７とを接続するインタフェース４２１５〜４２１８は、例えばＳ１インタフェース、具体的にはＳ１−Ｕインタフェースである。
【０４１４】
コンセントレータ４２０４と第１のスモールセル（ＳＣ１）４２０５とは、インタフェース４２１９、例えばＸ２インタフェースによって接続される。コンセントレータ４２０４と第２のスモールセル（ＳＣ２）４２０６とは、インタフェース４２２０、例えばＸ２インタフェースによって接続される。コンセントレータ４２０４と第３のスモールセル（ＳＣ３）４２０７とは、インタフェース４２２１、例えばＸ２インタフェースによって接続される。
【０４１５】
コンセントレータ４２０４と第１のスモールセル（ＳＣ１）４２０５とは、インタフェース４２２２によって接続されてもよい。コンセントレータ４２０４と第２のスモールセル（ＳＣ２）４２０６とは、インタフェース４２２３によって接続されてもよい。コンセントレータ４２０４と第３のスモールセル（ＳＣ３）４２０７とは、インタフェース４２２４によって接続されてもよい。
【０４１６】
第１のスモールセル（ＳＣ１）４２０５と第２のスモールセル（ＳＣ２）４２０６とは、インタフェース４２２５、例えばＸ２インタフェースによって接続される。第２のスモールセル（ＳＣ２）４２０６と第３のスモールセル（ＳＣ２）４２０７とは、インタフェース４２２６、例えばＸ２インタフェースによって接続される。第１のスモールセル（ＳＣ１）４２０５と第３のスモールセル（ＳＣ３）４２０７とは、インタフェース４２２７、例えばＸ２インタフェースによって接続される。
【０４１７】
ＵＥ４２０８と第１のスモールセル（ＳＣ１）４２０５とは、インタフェース４２２８、例えばエアインタフェースであるＵｕインタフェースによって接続される。ＵＥ４２０８と第２のスモールセル（ＳＣ２）４２０６とは、インタフェース４２２９、例えばエアインタフェースであるＵｕインタフェースによって接続される。ＵＥ４２０８と第３のスモールセル（ＳＣ３）４２０７とは、インタフェース４２３０、例えばエアインタフェースであるＵｕインタフェースによって接続される。
【０４１８】
インタフェース４２１９〜４２２１と、インタフェース４２２２〜４２２４とを同じインタフェースとしてもよい。例えば、Ｘ２インタフェースに新たな機能を追加してもよいし、新たなインタフェースとしてもよい。同じインタフェースを用いることによって、コンセントレータ４２０４と各スモールセル４２０５〜４２０７との間の制御を簡単化することができる。
【０４１９】
図２２を用いて、各スモールセル４２０５〜４２０７が仮想マクロセルモードで運用される場合について説明する。
【０４２０】
図２２において、ハッチングで示されている各スモールセル４２０５〜４２０７とコンセントレータ４２０４とによって、仮想マクロセルが構成される。各スモールセル４２０５〜４２０７で１つのＳＣＧを構成する。ＳＣＧには、コンセントレータ４２０４が設けられ、インタフェース４２２２〜４２２４を用いて、ＳＣＧ内の各スモールセル４２０５〜４２０７と接続される。ＳＣＧ内のスモールセルは、同一の動作をするように、コンセントレータ４２０４によって制御される。
【０４２１】
図２２において、太線のインタフェースで接続されることによって仮想マクロセルが構成される。Ｐ−ＧＷ４２０１とＳ−ＧＷ４２０２との間、およびＭＭＥ４２０３とＳ−ＧＷ４２０２との間は、従来のマクロセルの運用と同じ運用がなされる。
【０４２２】
仮想マクロセルモードにおけるＳＣＧ内のスモールセルとＭＭＥ４２０３とは、コンセントレータ４２０４を介して接続される。また、ＳＣＧ内のスモールセルと、Ｓ−ＧＷ４２０２とは、コンセントレータ４２０４を介して接続される。
【０４２３】
コンセントレータ４２０４は、ＳＣＧ内のスモールセルが仮想マクロセルとして動作する場合の機能のうち、特に上位レイヤ部を有するとよい。これによって、各スモールセルがＭＭＥ４２０３およびＳ−ＧＷ４２０２と接続する必要が無く、コンセントレータ４２０４がＭＭＥ４２０３およびＳ−ＧＷ４２０２と接続すればよくなる。
【０４２４】
仮想マクロセルモードでは、ＳＣＧ内の各スモールセル４２０５〜４２０７がＵＥ４２０８と通信を行う。図２２に示すようなアーキテクチャを構成することによって、複数のスモールセルを用いた仮想マクロセルが構成される。これによって、複数のスモールセルの傘下のＵＥに対して、仮想マクロセルを構成することが可能となる。
【０４２５】
図２３を用いて、スモールセル４２０５〜４２０７が個別セルモードで運用される場合について説明する。図２３は、個別セルモードの運用を行う場合の通信システムのアーキテクチャの一例を示す図である。図２３は、図２２と類似しているので、同一の部分に同一の参照符号を付して説明を省略する。図２３では、第２のスモールセル（ＳＣ２）４２０６が個別セルモードで運用される場合について示している。
【０４２６】
以下に、第２のスモールセル（ＳＣ２）４２０６が個別セルモードで運用される場合について説明する。図２３において、ハッチングで示されている第２のスモールセル（ＳＣ２）４２０６は、個別セルとして動作する。図２３において、太線のインタフェースで接続されることによって個別セルが構成される。Ｐ−ＧＷ４２０１とＳ−ＧＷ４２０２との間、およびＭＭＥ４２０３とＳ−ＧＷ４２０２との間は、従来のマクロセルの運用と同じ運用がなされる。
【０４２７】
ＭＭＥ４２０３は、第２のスモールセル（ＳＣ２）４２０６と直接接続され、また、Ｓ−ＧＷ４２０２は、第２のスモールセル（ＳＣ２）４２０６と直接接続される。スモールセルが個別セルモードで動作する場合、スモールセルは、従来のセルとしての機能を有する。したがって、各スモールセル４２０５〜４２０７がＭＭＥ４２０３およびＳ−ＧＷ４２０２と直接接続される。個別セルモードでは、第２のスモールセル（ＳＣ２）４２０６とＵＥ４２０８との間で通信が行われる。
【０４２８】
図２３に示すようなアーキテクチャを構成することによって、スモールセルを個別セルモードで動作させることが可能となる。
【０４２９】
図２２および図２３に示す通信システムのアーキテクチャを用いて、スモールセルで仮想マクロセルモードと個別セルモードとの両運用を行うようにすることによって、仮想マクロセルとスモールセルとのオーバレイ構造を可能とする。
【０４３０】
したがって、ＳＣＧ内のスモールセルを用いてデュアルコネクティビティを行うことが可能となる。従来、スモールセルのみでできなかったノード間無線リソースアグリゲーションが、本実施の形態で開示した方法を用いることによって、スモールセルのみで行うことが可能となる。
【０４３１】
図２４は、仮想マクロセルモードおよび個別セルモードの両運用を行う場合の通信システムのアーキテクチャの他の例を示す図である。図２４は、図２２と類似しているので、同一の部分に同一の参照符号を付して説明を省略する。図２４では、図２２および図２３と比べて、ＭＭＥ４２０３あるいはＳ−ＧＷ４２０２からＳＣＧ内のスモールセル４２０５〜４２０７へのインタフェースが無く、ＳＣＧ内のスモールセル４２０５〜４２０７は、コンセントレータ４２０４を介してＭＭＥ４２０３およびＳ−ＧＷ４２０２と接続される。
【０４３２】
仮想マクロセルモードで運用される場合は、図２２と同一であるので、説明を省略する。個別セルモードで運用される場合として、第２のスモールセル（ＳＣ２）４２０６が個別セルとして動作する場合について説明する。
【０４３３】
図２４において、太線のインタフェース４２０９，４２１０，４２１１，４２１５，４２２０，４４０１で接続されることによって個別セルが構成される。Ｐ−ＧＷ４２０１とＳ−ＧＷ４２０２との間、およびＭＭＥ４２０３とＳ−ＧＷ４２０２との間は、従来のマクロセルの運用と同じ運用がなされる。コンセントレータ４２０４は、個別セルモードのための機能として、ルーティング機能を有するとよい。
【０４３４】
第２のスモールセル（ＳＣ２）４２０６とＭＭＥ４２０３とは、コンセントレータ４２０４を介して接続される。コンセントレータ４２０４は、下りリンクでは、ＭＭＥ４２０３から、通信対象となるＵＥ４２０８と接続しているスモールセルへのルーティングを行う。下りリンクでは、ＵＥ４２０８と接続しているスモールセルの選択と、該スモールセルへのシグナリングの転送とを行う。上りリンクでは、ＵＥ４２０８と接続するスモールセルからＭＭＥ４２０３へのシグナリングの転送を行う。ＭＭＥ４２０３の選択を行ってもよい。
【０４３５】
これらのシグナリングに、宛先となるスモールセル識別子、ＵＥ識別子、およびＭＭＥ識別子の少なくともいずれか１つを付随あるいは含ませて、コンセントレータ４２０４が認識可能としておくとよい。これによって、コンセントレータ４２０４においてルーティングが可能となる。
【０４３６】
同様に、第２のスモールセル（ＳＣ２）４２０６とＳ−ＧＷ４２０２とは、コンセントレータ４２０４を介して接続される。コンセントレータ４２０４は、下りリンクでは、Ｓ−ＧＷ４２０２から、通信対象となるＵＥ４２０８と接続しているスモールセルへのルーティングを行う。下りリンクでは、ＵＥ４２０８と接続しているスモールセルの選択と、該スモールセルへのデータの転送を行う。上りリンクでは、ＵＥ４２０８と接続するスモールセルからＳ−ＧＷ４２０２へのデータの転送を行う。Ｓ−ＧＷ４２０２の選択を行ってもよい。
【０４３７】
これらのデータに、宛先となるスモールセル識別子、ＵＥ識別子、およびＭＭＥ識別子の少なくともいずれか１つを付随させて、コンセントレータ４２０４が認識可能としておくとよい。これによって、コンセントレータ４２０４においてルーティングが可能となる。
【０４３８】
コンセントレータ４２０４と各スモールセル４２０５〜４２０７との間のインタフェースのうち、個別セルモードの運用に用いられるインタフェース４２１９〜４２２１は、高遅延の非理想バックホール（non-ideal backhaul）で構成され、仮想マクロセルモードの運用に用いられるインタフェース４２２２〜４２２４は、低遅延あるいは無視できる遅延を有する理想バックホール（ideal backhaul）で構成されるようにしてもよい。これによって、仮想マクロセルモードの運用におけるコンセントレータ４２０４と各スモールセル４２０５〜４２０７との間の制御遅延が該運用に与える影響を無くすことができる。
【０４３９】
図２４に示す通信システムのアーキテクチャにすることによって、ＳＣＧ内の各スモールセルからＭＭＥ４２０３、Ｓ−ＧＷ４２０２に直接接続されるインタフェースを不要とすることができる。したがって、実際の物理的インタフェースを敷設する必要が無くなるので、通信システムを構築するコストを抑えることが可能となる。
【０４４０】
図２５〜図２７は、実施の形態１の通信システムにおけるＨＯ処理のシーケンスの一例を示す図である。図２５と図２６とは、境界線ＢＬ１の位置で、つながっている。図２６と図２７とは、境界線ＢＬ２の位置で、つながっている。
【０４４１】
ＳＣＧ＃Ａ内のスモールセルによって仮想マクロセルが構成される。ＳＣＧ＃Ａ内のスモールセルによって構成される仮想マクロセルは、コンセントレータ＃Ａによって制御される。ＳＣＧ＃Ｂ内のスモールセルによって仮想マクロセルが構成される。ＳＣＧ＃Ｂ内のスモールセルによって構成される仮想マクロセルは、コンセントレータ＃Ｂによって制御される。
【０４４２】
ＳＣＧ＃Ａ内のスモールセルは、仮想マクロセルモードおよび個別セルモードの両運用を行う。ＳＣＧ＃Ｂ内のスモールセルは、仮想マクロセルモードおよび個別セルモードの両運用を行う。
【０４４３】
ステップＳＴ４５０１においてＳＣＧ＃Ａの傘下のＲＲＣ＿Ｉｄｌｅ状態のＵＥは、ステップＳＴ４５０３において、仮想マクロセルモードで運用しているＳＣＧ＃Ａ内のスモールセルを介して、コンセントレータ＃Ａ、ＭＭＥおよびＳ−ＧＷとの間で、サービスリクエスト処理（Service Request Procedure）を行う。
【０４４４】
このとき、ＵＥは、ステップＳＴ４５０２において、まず仮想マクロセルモードで運用しているＳＣＧ＃Ａ内のスモールセルを介して、コンセントレータ＃ＡとＲＲＣ接続を行うために、ＲＲＣ接続設立処理（RRC connection establishment）を行う。
【０４４５】
ステップＳＴ４５０４において、ＵＥはＲＲＣ接続（ＲＲＣ＿Ｃｏｎｎｅｃｔｅｄ）状態に移行する。
【０４４６】
ステップＳＴ４５０５において、ＵＥ、仮想マクロセルモードで運用しているＳＣＧ＃Ａ内のスモールセル、コンセントレータ＃ＡおよびＳ−ＧＷとの間で、データ送信が行われる。
【０４４７】
これによって、シグナリングに関しては、ＵＥ、仮想マクロセルモードで運用しているＳＣＧ＃Ａ内のスモールセルを介して、コンセントレータ＃Ａと、ＭＭＥとの間で通信が行われる。データに関しては、ＵＥ、仮想マクロセルモードで運用しているＳＣＧ＃Ａ内のスモールセルを介して、コンセントレータ＃Ａと、Ｓ−ＧＷとの間で通信が行われる。いわゆる、仮想マクロセルを用いて通信が行われる。
【０４４８】
次にデュアルコネクティビティを行う方法について説明する。ステップＳＴ４５０６において、コンセントレータ＃Ａは、ＵＥに対してデュアルコネクティビティを行うために、ＵＥと接続する第２のセル、具体的には第２のセルを構成するｅＮＢ（以下「第２のｅＮＢ（Secondary eNB）」という場合がある）を決定する。デュアルコネクティビティを行うセルは、ＵＥが接続している仮想マクロセルを構成するＳＣＧ内のスモールセルから選択するとよい。ここでは、第２のセルは、ＳＣＧ＃Ａ内のスモールセルから選択するとよい。第２のセルは、個別セルモードで運用可能なスモールセルとするとよい。
【０４４９】
ステップＳＴ４５０７において、コンセントレータ＃Ａは、仮想マクロセルモードで運用しているＳＣＧ＃Ａ内のスモールセルを介して、ＵＥに対して、ステップＳＴ４５０６で決定した第２のセル（Secondary eNB）の構成（Secondary eNB configuration）とともに、該第２のセル（Secondary eNB）を無線リソースとして追加することを通知する。
【０４５０】
この通知は、ＲＲＣシグナリングを用いて行ってもよい。例えば、ＲＲＣ接続再設定（RRC connection reconfiguration）を用いて行ってもよい。無線リソースの再構成として通知してもよい。この通知に、第２のセルとする個別セルモードで運用されるスモールセルのセル識別子を含ませる。セル識別子としては、ＰＣＩ、ＥＧＣＩおよびＧＣＩなどとするとよい。
【０４５１】
ステップＳＴ４５０７で該第２のセルの追加の通知を受信したＵＥは、ステップＳＴ４５０８において、受信した第２のセルの構成を用いて、無線リソースとして第２のセル（Secondary eNB）の追加を行う。
【０４５２】
ステップＳＴ４５０９において、ＵＥは、第２のセルとして追加された個別セルモードで運用されるスモールセルの検出（Detection）と、同期（Synchronization）処理とを行う。検出（Detection）、同期（Synchronization）処理には、通知されたセル識別子を用いるとよい。
【０４５３】
他方、コンセントレータ＃Ａは、ステップＳＴ４５１０において、第２のセルに対して、第２のセル（Secondary eNB）の構成（Secondary eNB configuration）を用いた第２のセル（Secondary eNB）の追加（add）を通知するシグナリング（signaling）を行う。これによって、コンセントレータ＃Ａは、第２のセルに対して、その第２のセルをＵＥに無線リソースとして追加したことを通知し、該ＵＥへのスケジューリングを行うように要求する。この通知に、ＵＥの識別子を含ませる。
【０４５４】
このようにすることによって、ステップＳＴ４５１１において、ＵＥと、第２のセルとして追加された個別セルモードで運用しているＳＣＧ＃Ａ内の１つのスモールセルとの間で、データ送信が行われる。
【０４５５】
したがって、ＵＥは、仮想マクロセルモードで運用しているＳＣＧ＃Ａ内のスモールセルと、個別セルモードで運用しているＳＣＧ＃Ａ内の１つのスモールセルとの両方に接続されることになる。
【０４５６】
次にＨＯの方法について説明する。ステップＳＴ４５１２において、コンセントレータ＃Ａは、メジャメント構成（measurement configuration）を通知する。メジャメント構成を通知するとき、測定周波数とともに、隣接するＳＣＧの、仮想マクロセルとして運用している場合のセル識別子を通知してもよい。また、同一周波数レイヤ上のマクロセルのセル識別子を通知してもよい。
【０４５７】
これによって、仮想マクロセルあるいはマクロセルをターゲットセルとしたＨＯを可能にすることができる。すなわち、仮想マクロセルを含むマクロセル間のＨＯを可能にすることができる。また、個別セルモードで運用されているスモールセルのメジャメントを行わないようにできるので、ＵＥの測定時間の短縮、ＵＥの消費電力の低減を図ることができる。
【０４５８】
ここでは、例えば、仮想マクロセルとして運用しているＳＣＧ＃Ｂ内のスモールセルの１つのセル識別子を通知する。ＵＥは、ステップＳＴ４５１２で通知されたメジャメント構成を用いて、メジャメントを行う。
【０４５９】
メジャメント構成で通知された所定のイベント条件を満足した場合、ＵＥは、ステップＳＴ４５１３において、コンセントレータ＃Ａにメジャメント報告（measurement report）を行う。例えば、ＳＣＧ＃Ａによって構成される仮想マクロセルの受信電力、あるいは受信品質が所定の期間に所定の閾値を下回り、ＳＣＧ＃Ｂによって構成される仮想マクロセルの受信電力、あるいは受信品質が所定の期間に所定の閾値を上回った場合などである。
【０４６０】
ＵＥは、ＳＣＧ＃Ａ内のスモールセルを介して、コンセントレータ＃Ａに通知する。この通知に、受信品質あるいは受信電力のメジャメント結果、測定した仮想マクロセルのセル識別子を含ませてもよい。コンセントレータ＃Ａは、メジャメント報告を用いて、ＨＯを行うか否かを決定する。
【０４６１】
ステップＳＴ４５１４において、ＨＯを行うことを決定したコンセントレータ＃Ａは、ＵＥに対してデュアルコネクティビティを行うことを終了する処理を行う。
【０４６２】
ステップＳＴ４５１５において、コンセントレータ＃Ａは、仮想マクロセルモードとして運用しているＳＣＧ＃Ａ内のスモールセルを介して、ＵＥに対して、デュアルコネクティビティを行っているセルの無線リソースを削除することを通知する。
【０４６３】
この通知は、ＲＲＣシグナリングを用いて行ってもよい。例えば、ＲＲＣ接続再設定（RRC connection reconfiguration）を用いて行ってもよい。無線リソースの再構成として通知してもよい。この通知に、削除する個別セルモードで運用されるスモールセルのセル識別子を含ませる。セル識別子としては、ＰＣＩ、ＥＧＣＩおよびＧＣＩなどとするとよい。
【０４６４】
他方、コンセントレータ＃Ａは、ステップＳＴ４５１７において、削除するセルに対して、そのセルをＵＥから無線リソースとして削除したことを通知し、該ＵＥへのスケジューリングを終了するように要求する。この通知に、ＵＥの識別子を含ませる。
【０４６５】
ステップＳＴ４５１５でセルの無線リソースを削除することの通知を受信したＵＥは、ステップＳＴ４５１６において、デュアルコネクティビティを行っているセルを削除する処理を行う。
【０４６６】
これによって、ＵＥと、削除するセルである個別セルモードで運用しているＳＣＧ＃Ａ内の１つのスモールセルとの間のデータ送信が終了する。
【０４６７】
したがって、ＵＥは、仮想マクロセルモードで運用しているＳＣＧ＃Ａ内のスモールセルとのみの接続に戻ることになる。
【０４６８】
ステップＳＴ４５１４において、ＨＯを行うことを決定したコンセントレータ＃Ａは、ステップＳＴ４５１８において、ＨＯ先として決定した仮想マクロセルモードで運用しているＳＣＧ＃Ｂ内のスモールセルを制御するコンセントレータ＃Ｂに対して、ＨＯ要求（HO request）メッセージを通知する。この通知に、自仮想マクロセルのセル識別子、ＨＯ対象のＵＥの識別子を含ませるとよい。
【０４６９】
コンセントレータ＃Ｂは、ＵＥの受入れを許可し、ステップＳＴ４５１９において、コンセントレータ＃Ａに対して、ＨＯ要求メッセージに対する応答（HO request ack）を通知する。この通知に、ＳＣＧ＃Ｂ内のスモールセルが仮想マクロセルモードで運用する場合の無線リソースの構成を含ませる。ハンドオーバコマンド（Handover command）を含ませてもよい。
【０４７０】
ステップＳＴ４５２０において、コンセントレータ＃Ａは、仮想マクロセルモードで運用しているＳＣＧ＃Ａ内のスモールセルを介して、ＨＯ対象のＵＥに対して、モビリティ制御情報（mobility control information）を通知し、ＨＯ指示を行う。該通知に、ＨＯ先の仮想マクロセルモードで運用しているＳＣＧ＃Ｂ内のスモールセルの１つのセル識別子と、その無線リソースの構成を通知する。
【０４７１】
ステップＳＴ４５２０でモビリティ制御情報を受信したＵＥは、ステップＳＴ４５２１において、ＨＯを行う。ステップＳＴ４５２０で受信したＨＯ先の仮想マクロセルモードで運用しているＳＣＧ＃Ｂ内のスモールセルの情報を用いて、ステップＳＴ４５２３において、検出、同期処理を行う。
【０４７２】
同期処理を行ったＵＥは、図２７のステップＳＴ４５２４において、仮想マクロセルモードで運用しているＳＣＧ＃Ｂ内のスモールセルを介して、コンセントレータ＃Ｂに対して、ＲＲＣ接続の再構成完了（RRC connection reconfiguration complete）の通知を行う。
【０４７３】
ステップＳＴ４５２４でＵＥからの通知を受信したコンセントレータ＃Ｂは、ステップＳＴ４５２５において、ＭＭＥと、Ｓ−ＧＷとの間で、パススイッチ処理を行う。データパスを、コンセントレータ＃Ａからコンセントレータ＃Ｂに変更する。これによって、ステップＳＴ４５２７で、ＵＥ、仮想マクロセルモードで運用しているＳＣＧ＃Ｂ内のスモールセルを介して、コンセントレータ＃Ｂと、Ｓ−ＧＷとの間でデータ送信が行われる。
【０４７４】
また、ステップＳＴ４５２６において、コンセントレータ＃Ｂは、コンセントレータ＃Ａに対して、ＨＯ対象のＵＥのＵＥコンテキストリリース（UE context release）メッセージを通知する。これによって、ＨＯ対象ＵＥに対して、コンセントレータ＃Ａが保持していた無線リソース設定をリリースすることができる。他のＵＥにその無線リソースを使用することが可能となる。
【０４７５】
コンセントレータ＃Ａは、該通知をＳＣＧ＃Ａ内のスモールセルに通知してもよい。ＳＣＧ＃Ａ内のスモールセルにおいて、該無線リソース設定を保持しているような場合、該通知を行うことによって、ＳＣＧ＃Ａ内のスモールセルの無線リソースをリリースすることが可能となる。このようにして、ＨＯ処理が完了する。
【０４７６】
次に、仮想マクロセルモードで運用しているＳＣＧ＃Ｂ内のスモールセルを介してコンセントレータ＃Ｂと接続しているＵＥが、再度デュアルコネクティビティを行う方法について説明する。
【０４７７】
ステップＳＴ４５２８において、コンセントレータ＃Ｂは、ＵＥに対してデュアルコネクティビティを行うために、第２のセル（Secondary eNB）を決定する。第２のセルは、ＳＣＧ＃Ｂ内のスモールセルから選択するとよい。個別セルモードで運用されるスモールセルとするとよい。
【０４７８】
ステップＳＴ４５２９において、コンセントレータ＃Ｂは、仮想マクロセルモードで運用しているＳＣＧ＃Ｂ内のスモールセルを介して、ＵＥに対して、ステップＳＴ４５２８で決定した第２のセルの構成（Secondary eNB configuration）とともに、該セルを無線リソースとして追加することを通知する。
【０４７９】
この通知は、ＲＲＣシグナリングを用いて行ってもよい。例えば、ＲＲＣ接続再設定（RRC connection reconfiguration）を用いて行ってもよい。無線リソースの再構成として通知してもよい。この通知に、第２のセルとする個別セルモードで運用されるスモールセルのセル識別子を含ませる。セル識別子としては、ＰＣＩ、ＥＧＣＩおよびＧＣＩなどとするとよい。
【０４８０】
ステップＳＴ４５２９で該第２のセルの追加を受信したＵＥは、ステップＳＴ４５３０において、受信した第２のセルの構成を用いて、無線リソースの追加を行う。
【０４８１】
ステップＳＴ４５３１において、ＵＥは、第２のセルとして追加された個別セルモードで運用されるスモールセルを検出し、同期処理を行う。検出、同期処理には、通知されたセル識別子を用いるとよい。
【０４８２】
他方、コンセントレータ＃Ｂは、ステップＳＴ４５３２において、第２のセルに対して、その第２のセルをＵＥに無線リソースとして追加したことを通知し、該ＵＥへのスケジューリングを行うように要求する。この通知に、ＵＥの識別子を含ませる。
【０４８３】
これによって、ステップＳＴ４５３３において、ＵＥと、第２のセルとして追加された個別セルモードで運用しているＳＣＧ＃Ｂ内の１つのスモールセルとの間で、データ送信が行われる。
【０４８４】
したがって、ＵＥは、仮想マクロセルモードで運用しているＳＣＧ＃Ｂ内のスモールセルと、個別セルモードで運用しているＳＣＧ＃Ｂ内の１つのスモールセルとの両方に接続されることになる。
【０４８５】
図２５〜図２７に示すようなシーケンスにすることによって、仮想マクロセルモードで運用するＳＣＧ内のスモールセルと、個別セルモードで運用するＳＣＧ内のスモールセルとで、デュアルコネクティビティを行うことが可能となる。多数のスモールセルの運用によって、ユーザスループットの向上を実現することが可能となる。
【０４８６】
また、仮想マクロセルモードで運用を行うＳＣＧ間でＨＯを行うことによって、多数のスモールセルの運用においても、各スモールセルにおけるＵＥの滞留時間が短いことに起因するＨＯの失敗を低減することが可能となる。これによって、ＵＥのモビリティ性能を改善することが可能となる。
【０４８７】
これらを合わせて行うことで、多数のスモールセルの運用においても、ユーザスループットの向上と、モビリティ性能の向上とをともに図ることが可能となる。
【０４８８】
また、ＨＯ実行前に、デュアルコネクティビティを行っている第２のセルをリムーブ処理することによって、第２のセルの無線リソースを他のＵＥに割当てることが可能となる。したがって、無線リソースの使用効率を向上させることが可能となる。また、通信システムの容量の増大を図ることができる。
【０４８９】
また、ＨＯ実行後、ＨＯ先のＳＣＧに属するスモールセルを用いてデュアルコネクティビティを行うようにすることによって、ＨＯ実行後のデュアルコネクティビティ用セルとの接続失敗を低減させることが可能となる。したがって、接続失敗後の再接続などを行わなくて済むので、制御遅延の低減を図ることができる。また、シグナリング量の削減、およびスループットの向上を図ることができる。
【０４９０】
本実施の形態で開示した方法によって、複数のスモールセルを用いて仮想マクロセルを構成することが可能となる。また、複数のスモールセルを用いて、仮想マクロモードおよび個別セルモードの両運用を行うことによって、オーバレイ構造を可能とする。これによって、スモールセルのみで、複数のスモールセルの傘下のＵＥに対してデュアルコネクティビティを行うことが可能となる。
【０４９１】
したがって、仮想マクロセルを用いてモビリティアンカーを維持することができ、スモールセル間におけるモビリティ性能の劣化を低減させることが可能となる。
【０４９２】
また、ＵＥとの高容量データ通信は、スモールセル単独モードで行うことができ、ＵＥ毎のスループットの向上を図ることができる。
【０４９３】
また、新たにスモールセルとオーバレイするマクロセルを設置する必要がないので、通信システムの運用のためのコストを大きく削減することが可能となる。
【０４９４】
実施の形態２  変形例１．
実施の形態２の変形例１で解決する課題について、以下に説明する。前述の図２０では、実施の形態２で開示するスモールセルグループ（ＳＣＧ）の概念を示した。仮想マクロセルを構成するＳＣＧ内のスモールセルは、スモールセルよりも広いカバレッジを構成することができる。
【０４９５】
しかし、２つのＳＣＧが隣接するＳＣＧ端においては、１つのＳＣＧ内のスモールセルと他のＳＣＧ内のスモールセル、例えばＳＣＧ４１０５内のスモールセル４１１１と、ＳＣＧ４１０６内のスモールセル４１２２とが隣接している。結局、ＳＣＧ端はスモールセル同士が隣接することになる。
【０４９６】
マクロセルよりもスモールセルの方が、送信電力は低い。したがって、マクロセルが隣接する場合のマクロセル端における信号電力よりも、スモールセルが隣接する場合のスモールセル端における信号電力の方が低くなる場合が生じる。
【０４９７】
この場合、スモールセル端では、隣接するスモールセル内に信号電力が届く距離が短くなってしまう。すなわち、スモールセル端におけるカバレッジのオーバラップエリアが小さくなる。換言すれば、ＳＣＧ端では、通常のマクロセル端に比べて、カバレッジのオーバラップエリアが小さくなる。
【０４９８】
図２８は、ＳＣＧ端のスモールセル配置をオーバラップさせない場合のＳＣＧ端におけるオーバラップエリアの概念を説明するための図である。
【０４９９】
図２８（ａ）では、ＳＣＧ＃Ａのスモールセルを参照符号「５００１」、「５００２」で示す。スモールセル５００１，５００２によって、カバレッジ５００３，５００４が構成される。ＳＣＧ＃Ａのスモールセルは、実線で示している。また、ＳＣＧ＃Ｂのスモールセルを参照符号「５００５」、「５００６」で示す。スモールセル５００５，５００６によって、カバレッジ５００７，５００８が構成される。ＳＣＧ＃Ｂのスモールセルは、破線で示している。
【０５００】
図２８（ｂ）では、スモールセル５００１からの受信電力を参照符号「５００９」で示す。図２８（ｂ）の横軸は位置を示し、縦軸は受信電力（ＲＳＲＰ）を示している。スモールセル５００１の位置から離れるにつれて、受信電力は低下する。ＳＣＧ＃Ａのスモールセルからの受信電力は、実線で示している。
【０５０１】
図２８（ｂ）では、スモールセル５００５からの受信電力を参照符号「５０１０」で示す。スモールセル５００５の位置から離れるにつれて、受信電力は低下する。ＳＣＧ＃Ｂのスモールセルからの受信電力は、破線で示している。
【０５０２】
図２８（ｂ）では、ＵＥが信号を受信可能な所定の受信電力を参照符号「５０１１」で示す。ＵＥが信号を受信可能な所定の受信電力は、ＵＥの受信感度点としてもよい。ＵＥは、前記所定の受信電力５０１１よりも大きい場合に、信号を受信可能となる。
【０５０３】
したがって、図２８（ｂ）では、スモールセル５００１からの受信電力５００９およびスモールセル５００５からの受信電力５０１０の両方とも前記所定の受信電力５０１１よりも大きくなる範囲において、ＵＥがスモールセル５００１およびスモールセル５００５の両方から受信可能となり、その範囲がオーバラップエリア（ＯＡ）となる。
【０５０４】
このように、ＳＣＧ端のオーバラップエリアは、スモールセル端のオーバラップエリアと同様に狭くなる。したがって、ＵＥの移動時のオーバラップエリアにおける滞留時間が短くなり、ＨＯ関連処理を行う時間が十分に得られない場合が生じる。仮想マクロセルモードにおいてモビリティを行っていた場合、ＳＣＧ間、すなわち、仮想マクロセル間でモビリティ性能が劣化してしまう。本変形例では、これらの問題を解決することを目的とする。
【０５０５】
複数のＳＣＧ内のスモールセルの配置をオーバラップさせる。ＳＣＧ端では、隣接するＳＣＧのスモールセルの配置をオーバラップさせる。
【０５０６】
このようにすることによって、ＳＣＧ端における信号電力が、所定の電力よりも大きくなる領域を広げることができ、オーバラップ領域でＵＥが隣接するＳＣＧどちらの通信品質も確保することができるようになる。このようなＳＣＧで仮想マクロセルモードを運用するとよい。
【０５０７】
図２９は、ＳＣＧ端のスモールセル配置をオーバラップさせた場合のＳＣＧ端におけるオーバラップエリアの概念を説明するための図である。
【０５０８】
図２９（ａ）では、ＳＣＧ＃Ａのスモールセルを参照符号「５１０１」で示す。スモールセル５１０１によって、カバレッジ５１０３が構成される。ＳＣＧ＃Ａのスモールセルは、実線で示している。また、ＳＣＧ＃Ｂのスモールセルを参照符号「５１０２」で示す。スモールセル５１０２によって、カバレッジ５１０４が構成される。ＳＣＧ＃Ｂのスモールセルは、破線で示している。
【０５０９】
図２９（ｂ）では、スモールセル５１０１からの受信電力を参照符号「５１０５」で示す。図２９（ｂ）の横軸は、位置を示し、縦軸は受信電力（ＲＳＲＰ）を示している。スモールセル５１０１の位置から離れるにつれて、受信電力は低下する。ＳＣＧ＃Ａのスモールセルからの受信電力は、実線で示している。
【０５１０】
図２９（ｂ）では、スモールセル５１０２からの受信電力を参照符号「５１０６」で示す。スモールセル５１０２の位置から離れるにつれて、受信電力は低下する。ＳＣＧ＃Ｂのスモールセルからの受信電力は、破線で示している。
【０５１１】
図２９（ｂ）では、ＵＥが信号を受信可能な所定の受信電力を参照符号「５１０７」で示す。ＵＥが信号を受信可能な所定の受信電力は、ＵＥの受信感度点としてもよい。ＵＥは、前記所定の受信電力５１０７よりも大きい場合に、信号を受信可能となる。
【０５１２】
したがって、図２９（ｂ）では、スモールセル５１０１からの受信電力５１０５を含むＳＣＧ＃Ａのスモールセルからの受信電力、およびスモール５１０２からの受信電力５１０６を含むＳＣＧ＃Ｂのスモールセルからの受信電力の両方とも前記所定の受信電力５１０７よりも大きくなる範囲において、ＵＥがＳＣＧ＃ＡのスモールセルおよびＳＣＧ＃Ｂのスモールセルの両方から受信可能となり、その範囲がオーバラップエリア（ＯＡ）となる。
【０５１３】
図２９に示すように、ＳＣＧ端で隣接するＳＣＧのスモールセルの配置をオーバラップさせることで、隣接するＳＣＧによって構成される仮想マクロセルのカバレッジ内に信号電力が届く距離を長くすることが可能となる。したがって、隣接するＳＣＧのオーバラップエリアを広くすることが可能となる。これによって、ＵＥの移動時のオーバラップエリアにおける滞留時間を長く保つことが可能となり、ＨＯ関連処理を行う時間を十分に確保することが可能となる。
【０５１４】
また、仮想マクロセルモード運用時におけるＳＣＧ間のＨＯの失敗を低減させることが可能となり、スモールセル間をＵＥが移動するときのモビリティ性能を向上させることが可能となる。
【０５１５】
本変形例で示した課題を解決する他の方法を、以下に開示する。ＳＣＧ内の各スモールセルの送信電力を異なるように構成してもよい。ＳＣＧ端に配置されるスモールセルの送信電力を増大させるとよい。
【０５１６】
例えば、ＳＣＧ端のスモールセルの送信電力を、ＳＣＧ端における信号電力が通常のマクロセル端における信号電力と同程度になるように調整するとよい。
【０５１７】
このようにすることによって、送信電力を増大した隣接する複数のスモールセルにおけるカバレッジのオーバラップエリアを大きくすることができる。すなわち、該スモールセルが配置されたＳＣＧ端では、通常のマクロセル端と同等の信号電力あるいはそれよりも大きい信号電力を得ることが可能となる。したがって、端末の受信感度あるいは所定の受信電力までの領域であるオーバラップエリアを広くすることが可能となる。
【０５１８】
このようなＳＣＧで仮想マクロセルモードを運用することによって、仮想マクロセルモード運用時におけるＳＣＧ間のＨＯの失敗を低減させることが可能となり、スモールセル間をＵＥが移動するときのモビリティ性能を向上させることが可能となる。
【０５１９】
隣接するＳＣＧにおいて、一方のＳＣＧ内の各スモールセルの送信電力を異なるように構成してもよい。一方のＳＣＧ端に配置されるスモールセルの送信電力を増大させるとよい。ＳＣＧ端において配置されるスモールセルの密度は、ＳＣＧ毎に異なることになるが、隣接するＳＣＧのオーバラップエリアは広くなる。したがって、前述の方法と同様の効果が得られる。
【０５２０】
実施の形態２  変形例２．
実施の形態２の変形例１で示した課題を解決する他の方法として、以下の（１）〜（３）の３つを開示する。
【０５２１】
（１）ＨＯ対象ＵＥのシグナリングの送信電力を増大させる。
（２）ＨＯ対象ＵＥのシグナリングのＭＣＳ（Modulation and Coding Scheme）を低く設定する。
（３）前記（１），（２）の組合せ。
【０５２２】
前記の方法（１）において、ＨＯ対象ＵＥのシグナリングとして、所定の期間のシグナリングとしてもよい。また、所定の期間のシグナリングとして、ＨＯ対象ＵＥおよびＨＯ元セルの少なくとも一方とＨＯ先セルとの間で、ＨＯ関連処理の一部あるいは全部が行われている期間としてもよい。
【０５２３】
これによって、ＨＯ対象ＵＥのＨＯ関連処理に関する一部または全部のシグナリングの送信電力を増大させることができる。したがって、ＨＯ対象ＵＥは、ＨＯ関連処理の際、ＨＯ元セルあるいはＨＯ先セルから、より離れた地点でＨＯ関連処理に関するシグナリングを受信することが可能となる。
【０５２４】
また、ＨＯ対象ＵＥにとっては、ＨＯ元セルとＨＯ先セルとのカバレッジが見かけ上増大することになり、オーバラップエリアが広がることになる。したがって、ＵＥの移動時のオーバラップエリアにおける滞留時間を長く保つことが可能となり、ＨＯ関連処理を行う時間を十分に確保することが可能となる。
【０５２５】
ＨＯ関連処理に関するシグナリングとして、メジャメント設定（measurement configuration）、メジャメント報告（measurement report）のためのシグナリング、モビリティ制御情報（mobility control information）を含むＲＲＣ接続再設定（RRC connection reconfiguration）、ＲＲＣ接続再設定完了（RRC connection reconfiguration complete）などがある。該シグナリング用スケジューリング情報送信のためのシグナリングも含めてもよい。また、これらシグナリングに対する応答（Ack/Nack）のためのシグナリングも含めてもよい。
【０５２６】
特に、モビリティ制御情報（mobility control information）を含むＲＲＣ接続再設定（RRC connection reconfiguration）のシグナリングの送信電力を増大させるようにしてもよい。これは、ＨＯ関連処理において該シグナリングが、ＨＯ元セルとＵＥ間で行われる最後の処理となる場合が多いからである。
【０５２７】
該シグナリングの送信電力を増大させることによって、ＨＯ元セルのカバレッジを見かけ上増大させ、モビリティ制御情報（mobility control information）の受信品質を高めることができ、ＨＯ関連処理の失敗を低減させることができる。
【０５２８】
仮想マクロセルモード運用時におけるＳＣＧ間のＨＯにおいて、前述の方法を適用することによって、ＳＣＧ間のＨＯの失敗を低減させることが可能となる。ＨＯ元のＳＣＧのコンセントレータおよびＨＯ先のＳＣＧのコンセントレータの少なくとも一方が、ＨＯ対象ＵＥのＨＯ関連処理に関するシグナリングの送信電力を増大させるように制御する。
【０５２９】
図３０および図３１は、実施の形態２の変形例２における通信システムのシーケンスの一例を示す図である。図３０および図３１では、前記（１）の方法のシーケンス例を示している。図３０と図３１とは、境界線ＢＬ３の位置で、つながっている。
【０５３０】
ステップＳＴ５２０１において、ＵＥは、ＨＯ元ＳＣＧによって構成される仮想マクロセルとＲＲＣ接続（ＲＲＣ＿Ｃｏｎｎｅｃｔｅｄ）状態にある。
【０５３１】
ステップＳＴ５２０２において、ＨＯ元ＳＣＧのコンセントレータは、ＵＥとの間の通信品質をモニタするＲＬＭ（Radio Link Monitor）処理を行う。
【０５３２】
ステップＳＴ５２０３において、該通信品質が所定の期間、所定の値よりも低下して劣化した場合、ＨＯ元ＳＣＧのコンセントレータは、該ＵＥとＨＯ関連処理を開始するか否かを判断する。ステップＳＴ５２０３において、ＨＯ関連処理を開始すると判断された場合は、ステップＳＴ５２０４に移行し、ＨＯ関連処理を開始しないと判断された場合は、ステップＳＴ５２０２のＲＬＭ処理に戻る。
【０５３３】
ステップＳＴ５２０４において、ＨＯ元ＳＣＧのコンセントレータは、ＨＯ対象となったＵＥに対するシグナリングの送信電力を増大させることを決定する。送信電力増加量として、所定の量を増加させることを決定する。所定の量は、予め静的に決められていてもよいし、状況に応じて動的に決定されてもよい。図３０および図３１に示す例では、Ａデシベル［ｄＢ］増加させることを決定する。
【０５３４】
ＨＯ元ＳＣＧのコンセントレータは、以降の、ＨＯ対象ＵＥに対するＨＯ関連処理のシグナリングの送信電力をＡデシベル［ｄＢ］増加させる。また、ＨＯ対象ＵＥからのＨＯ関連処理のシグナリングの送信電力をＡデシベル［ｄＢ］増加させてもよい。
【０５３５】
ＨＯ対象ＵＥからのＨＯ関連処理のシグナリングの送信電力を増加させる方法として、該シグナリングのための上り（ＵＬ）スケジューリング情報に、送信電力の増大を指示する情報を含めるとよい。例えば、ＵＣＩ（Uplink Control Information）に、送信電力増加量を示す情報を設けてもよい。本例では、該送信電力増加量を示す情報に、Ａデシベル［ｄＢ］を設定する。
【０５３６】
送信電力の増大を指示する情報を含むＵＬスケジューリング情報を受信したＵＥは、送信電力をＡデシベル［ｄＢ］増加させて上りシグナリングを送信する。
【０５３７】
図３０および図３１に示す例では、ＨＯ関連処理のシグナリングとして、ステップＳＴ５２０５におけるメジャメントコンフィグレーション（Measurement configuration）メッセージを通知するシグナリング、ステップＳＴ５２０７におけるメジャメント報告用の上り（ＵＬ）スケジューリングのためのシグナリング、ステップＳＴ５２０８におけるメジャメント報告（Measurement report）のためのシグナリング、ステップＳＴ５２１４におけるモビリティ制御情報（Mobility control information）メッセージを通知するシグナリングがある。
【０５３８】
ステップＳＴ５２０８で、ＨＯ対象ＵＥからメジャメント報告（Measurement report）を受信したＨＯ元ＳＣＧのコンセントレータは、ステップＳＴ５２０９において、該ＵＥに対してＨＯを決定する。
【０５３９】
ステップＳＴ５２０９でＨＯを決定した後は、ＨＯ元ＳＣＧのコンセントレータは、ステップＳＴ５２１０において、ＨＯ先ＳＣＧのコンセントレータに対して、ＨＯ要求（HO request）メッセージを通知する。そのとき、送信電力増大要求を通知してもよい。
【０５４０】
ＨＯ要求メッセージを受信したＨＯ先ＳＣＧのコンセントレータは、ステップＳＴ５２１１において、ＨＯ受入を決定する。
【０５４１】
ステップＳＴ５２１１でＨＯ受入を決定したＨＯ先ＳＣＧのコンセントレータは、図３１のステップＳＴ５２１２において、ＨＯ対象となったＵＥに対するシグナリングの送信電力を増大させることを決定する。送信電力増加量として、所定の量を増加させることを決定する。所定の量は、予め静的に決められていてもよいし、状況に応じて動的に決定されてもよい。図３０および図３１に示す例では、Ｂデシベル［ｄＢ］増加させることを決定する。
【０５４２】
ＨＯ先ＳＣＧのコンセントレータは、以降の、ＨＯ対象ＵＥに対するＨＯ関連処理のシグナリングの送信電力をＢデシベル［ｄＢ］増加させる。また、ＨＯ対象ＵＥからのＨＯ関連処理のシグナリングの送信電力をＢデシベル［ｄＢ］増加させてもよい。
【０５４３】
ＨＯ対象ＵＥからのＨＯ関連処理のシグナリングの送信電力をＢデシベル［ｄＢ］増加させる方法は、ＨＯ対象ＵＥからＨＯ元ＳＣＧのコンセントレータへのシグナリングの送信電力を増加させる方法を適用することができる。
【０５４４】
送信電力を増加させるＨＯ関連処理のシグナリングは、ＨＯ先ＳＣＧのコンセントレータが、ＨＯ先ＳＣＧ内のスモールセルを介して、ＲＲＣ接続再設定完了（RRC connection reconfiguration complete）を受信するまで、あるいはＲＲＣ接続再設定完了（RRC connection reconfiguration complete）を正しく受信したとＵＥが認識するまでとする。
【０５４５】
図３０および図３１に示す例では、ＨＯ関連処理のシグナリングとして、ステップＳＴ５２１６におけるＵＬスケジューリング、ステップＳＴ５２１７におけるＲＲＣ接続再設定完了（RRC connection reconfiguration complete）のためのシグナリングがある。
【０５４６】
ＨＯ受入を決定したＨＯ先ＳＣＧのコンセントレータは、ステップＳＴ５２１３において、ＨＯ要求応答（HO request ack）を、ＨＯ元ＳＣＧのコンセントレータに通知する。
【０５４７】
ＨＯ元ＳＣＧのコンセントレータは、ステップＳＴ５２１４において、ＨＯ元ＳＣＧ内のスモールセルを介して、モビリティ制御情報（Mobility control information）を、ＨＯ対象ＵＥに対して通知する。
【０５４８】
ＵＥは、ステップＳＴ５２１５において、ＨＯ先ＳＣＧ内のスモールセルの検出および同期処理を行う。
【０５４９】
ステップＳＴ５２１６において、ＨＯ先ＳＣＧのコンセントレータは、ＨＯ先ＳＣＧ内スモールセルを介して、ＵＬスケジューリングを、ＵＥに対して送信する。
【０５５０】
ＵＬスケジューリングを受信したＵＥは、該スケジューリング情報を用いて、ステップＳＴ５２１７において、ＨＯ先ＳＣＧ内のスモールセルを介して、コンセントレータとＲＲＣ接続が完了したことを表すＲＲＣ接続再設定完了（RRC connection reconfiguration complete）メッセージを、ＨＯ先ＳＣＧのコンセントレータに通知する。
【０５５１】
ステップＳＴ５２１８において、ＨＯ先ＳＣＧのコンセントレータは、パススイッチなど、ＭＭＥ、ＨＯ元ＳＣＧのコンセントレータとＨＯ完了処理を行う。
【０５５２】
ＨＯ先ＳＣＧのコンセントレータ、ＨＯ元ＳＣＧのコンセントレータは、ステップＳＴ５２１８のＨＯ完了処理が終了すると、ステップＳＴ５２１９およびステップＳＴ５２２０において、ＨＯ対象ＵＥに対するシグナリングの送信電力の増大を停止する。
【０５５３】
このように、ＨＯ元のＳＣＧのコンセントレータとＨＯ先のＳＣＧのコンセントレータとが、ＨＯ対象ＵＥに対して、ＨＯ関連処理開始からＨＯ完了処理までの、ＨＯ元ＳＣＧ内のスモールセルあるいはＨＯ先ＳＣＧ内のスモールセルとＵＥとの間のシグナリングの送信電力を増大させるように制御することによって、ＨＯ対象ＵＥのＨＯ関連処理に関するシグナリングの送信電力を増大させることができる。これによって、ＳＣＧ間のＨＯの失敗を低減させることが可能となる。
【０５５４】
ＨＯ元ＳＣＧのコンセントレータにおいてＨＯを決定するプロトコロルは、ＲＲＣである。実際、送信電力を増大させるのは、下位レイヤのプロトコル、例えばＰＨＹあるいはＰＨＹ／ＭＡＣプロトコルである。したがって、ＰＨＹあるいはＰＨＹ／ＭＡＣプロトコルは、どのＵＥに送信電力を増大させるか、また、どれだけ送信電力を増大させるかを認識する必要がある。
【０５５５】
以上のことから、ＲＲＣは、ＰＨＹあるいはＰＨＹ／ＭＡＣに対して、ＨＯ対象ＵＥの送信電力増加量とともに、ＨＯ対象ＵＥを特定するためのＨＯ対象ＵＥの識別子を通知するとよい。これによって、ＰＨＹあるいはＰＨＹ／ＭＡＣプロトコルが、送信電力増大量、および、送信電力を増大させるＨＯ対象ＵＥを認識することが可能となる。
【０５５６】
したがって、ＰＨＹプロトコルにおいて、ＨＯ対象ＵＥのＨＯ関連処理のシグナリングに用いられる物理チャネル、例えば、ＰＤＳＣＨ、ＰＤＣＣＨ、ＰＵＳＣＨ、ＰＵＣＣＨなどの送信電力を増大させることが可能となる。
【０５５７】
ＲＲＣは、ＰＨＹあるいはＰＨＹ／ＭＡＣに対して、ＨＯ対象ＵＥに対するＨＯ関連処理を開始したとき、図３０および図３１では、ステップＳＴ５２０４の処理が行われたとき、あるいはＨＯ対象ＵＥに対してＨＯ受入を決定したとき、図３０および図３１では、ステップＳＴ５２１２の処理が行われたときに、ＨＯ対象ＵＥの送信電力増大要求を通知する。該通知に、ＨＯ対象ＵＥを特定するためのＨＯ対象ＵＥの識別子と、送信電力増加量とを含めるとよい。該通知を受信したＰＨＹ／ＭＡＣは、ＨＯ対象ＵＥのシグナリングの送信電力を増大させる。
【０５５８】
また、ＲＲＣは、ＰＨＹあるいはＰＨＹ／ＭＡＣに対して、ＨＯ対象ＵＥに対するＨＯ完了処理が行われたとき、図３０および図３１では、ステップＳＴ５２１９およびステップＳＴ５２２０の処理が行われたときに、ＨＯ対象ＵＥの送信電力増大停止要求を通知する。該通知に、ＨＯ対象ＵＥを特定するためのＨＯ対象ＵＥの識別子を通知するとよい。該通知を受信したＰＨＹ／ＭＡＣは、ＨＯ対象ＵＥのシグナリングの送信電力の増大を停止する。
【０５５９】
このようにすることによって、仮にＰＨＹ／ＭＡＣが、ＨＯ関連処理のシグナリングであることを認識できなかったとしても、ＰＨＹ／ＭＡＣは、ＨＯ対象となるＵＥのＨＯ関連処理のシグナリングの送信電力を増大させることが可能となる。これらの方法は、ＵＥに対しても適用することができる。
【０５６０】
図３２は、実施の形態２の変形例２における通信システムのシーケンスの他の例を示す図である。図３２では、前記（１）の方法の他のシーケンス例を示している。図３２は、前述の図３０および図３１と類似しているので、図３０および図３１に対応するステップについては、同一のステップ番号を付して、共通する説明を省略する。図３２では、送信電力を増大させるＨＯ関連処理のシグナリングを、ＨＯ元ＳＣＧのコンセントレータがＨＯ元ＳＣＧ内のスモールセルからＨＯ対象のＵＥに対して通知する、モビリティ制御情報メッセージとした場合を示している。
【０５６１】
ステップＳＴ５３０１において、ＨＯ元ＳＣＧのコンセントレータは、メジャメントコンフィグレーション（Measurement configuration）メッセージをＵＥに通知する。
【０５６２】
ステップＳＴ５３０２において、ＨＯ元ＳＣＧのコンセントレータは、ＵＬスケジューリングをＵＥに通知する。ステップＳＴ５３０３において、ＵＥは、メジャメント報告（Measurement report）メッセージをＨＯ元ＳＣＧのコンセントレータに通知する。
【０５６３】
ステップＳＴ５３０３でＵＥからメジャメント報告メッセージを受信したＨＯ元ＳＣＧのコンセントレータは、ステップＳＴ５２０９において、該ＵＥに対してＨＯを決定する。
【０５６４】
ステップＳＴ５２０９でＨＯを決定した後は、ステップＳＴ５３０４において、ＨＯ元ＳＣＧのコンセントレータは、ＨＯ対象となったＵＥに対するシグナリングの送信電力を増大させることを決定する。図３２に示す例では、Ａデシベル［ｄＢ］増加させることを決定する。送信電力を増大させるＨＯ関連処理に関するシグナリングとして、ステップＳＴ５３０７におけるモビリティ制御情報（Mobility control information）を含むＲＲＣ接続再設定（RRC connection reconfiguration）とする。該シグナリング用スケジューリング情報送信のためのシグナリングも含めてもよい。また、これらシグナリングに対する応答（Ack/Nack）のためのシグナリングも含めてもよい。
【０５６５】
ＨＯ元ＳＣＧのコンセントレータは、ＨＯを決定した後、ステップＳＴ５３５０５において、ＨＯ先ＳＣＧのコンセントレータに対して、ＨＯ要求（HO request）メッセージを通知する。そのとき、送信電力増大要求は通知しない。
【０５６６】
ステップＳＴ５３０５でＨＯ要求メッセージを受信したＨＯ先ＳＣＧのコンセントレータは、ステップＳＴ５２１１において、ＨＯ受入を決定する。
【０５６７】
ステップＳＴ５２１１でＨＯ受入を決定したＨＯ先ＳＣＧのコンセントレータは、ステップＳＴ５３０６において、ＨＯ要求応答（HO request ack）メッセージをＨＯ元ＳＣＧのコンセントレータに通知する。
【０５６８】
ＨＯ元ＳＣＧのコンセントレータは、ステップＳＴ５３０７において、ＨＯ元ＳＣＧ内のスモールセルを介して、モビリティ制御情報（Mobility control information）メッセージをＨＯ対象ＵＥに対して通知する。
【０５６９】
ＨＯ元ＳＣＧのコンセントレータは、ステップＳＴ５２０７の処理が正常に終了すると、ステップＳＴ５３０８において、ＨＯ対象ＵＥに対するシグナリングの送信電力の増大を停止する。
【０５７０】
その後、ステップＳＴ５２１５、ステップＳＴ５３０９、ステップＳＴ５３１０およびステップＳＴ５２１８において、ＵＥは、ＨＯ先ＳＣＧ内のスモールセルを介して、ＨＯ先ＳＣＧのコンセントレータとＭＭＥとでＨＯ処理を行う。
【０５７１】
このように、ＨＯ元のＳＣＧのコンセントレータが、ＨＯ対象ＵＥに対するＨＯ元ＳＣＧ内のスモールセルと該ＵＥとの間のモビリティ制御情報メッセージ、すなわちＨＯ指示メッセージのシグナリングの送信電力を増大させるように制御することによって、ＨＯ対象ＵＥのモビリティ制御情報メッセージのシグナリングの送信電力を増大させることができる。これによって、ＳＣＧ間のＨＯの失敗を低減させることが可能となる。
【０５７２】
また、このようにすることによって、送信電力を増大させるシグナリングを限定することが可能となる。したがって、ＵＥあるいはＨＯ元ＳＣＧ内のスモールセルの消費電力を低減することができる。
【０５７３】
また、ＨＯ元あるいはＨＯ先スモールセルの送信電力増大、あるいはＵＥの送信電力増大による、他セルへの干渉を低減することが可能となる。これによって、通信システムとしてのスループットを増大させることができる。
【０５７４】
ＲＲＣは、ＰＨＹあるいはＰＨＹ／ＭＡＣに対して、ＨＯ対象ＵＥに対するＨＯを決定したとき、図３２では、ステップＳＴ５３０４の処理が行われたときに、ＨＯ対象ＵＥの送信電力増大要求を通知する。該通知に、ＨＯ対象ＵＥを特定するためのＨＯ対象ＵＥの識別子と、送信電力増加量とを含めるとよい。該通知を受信したＰＨＹ／ＭＡＣは、ＨＯ対象ＵＥのシグナリングの送信電力を増大させる。
【０５７５】
また、ＲＲＣは、ＰＨＹあるいはＰＨＹ／ＭＡＣに対して、ＨＯ対象ＵＥに対するモビリティ制御情報メッセージの通知が正常に行われたとき、図３２では、ステップＳＴ５３０８の処理が行われたときに、ＨＯ対象ＵＥの送信電力増大停止要求を通知する。該通知に、ＨＯ対象ＵＥを特定するためのＨＯ対象ＵＥの識別子を通知するとよい。該通知を受信したＰＨＹ／ＭＡＣは、ＨＯ対象ＵＥのシグナリングの送信電力の増大を停止する。
【０５７６】
このようにすることによって、仮にＰＨＹ／ＭＡＣが、ＨＯ関連処理のシグナリングであることを認識できなかったとしても、ＰＨＹ／ＭＡＣは、ＨＯ対象となるＵＥのモビリティ制御情報メッセージ、すなわちＨＯ指示メッセージのシグナリングの送信電力を増大させることが可能となる。これらの方法は、ＵＥに対しても適用することができる。
【０５７７】
前記（２）の方法において、ＨＯ対象ＵＥのシグナリングとして、所定の期間のシグナリングとしてもよい。また、所定の期間のシグナリングとして、ＨＯ対象ＵＥおよびＨＯ元セルの少なくとも一方とＨＯ先セルとの間で、ＨＯ関連処理の一部あるいは全部が行われている期間としてもよい。これによって、ＨＯ対象ＵＥのＨＯ関連処理に関する一部または全部のシグナリングのＭＣＳを低く設定することができる。
【０５７８】
前記（２）の方法を用いることによって、ＨＯ対象ＵＥにおけるＨＯ関連処理に関するシグナリングの受信品質が向上する。これによって、ＨＯ対象ＵＥは、ＨＯ関連処理の際、ＨＯ元セルあるいはＨＯ先セルから、より離れた地点でＨＯ関連処理に関するシグナリングを受信することが可能となる。また、ＨＯ対象ＵＥにとっては、ＨＯ元セルとＨＯ先セルとのカバレッジが見かけ上増大することになり、オーバラップエリアが広がることになる。したがって、ＵＥの移動時のオーバラップエリアにおける滞留時間を長く保つことが可能となり、ＨＯ関連処理を行う時間を十分に確保することが可能となる。
【０５７９】
ＨＯ関連処理に関するシグナリングとしては、前記（１）の方法と同様である。特に、モビリティ制御情報（mobility control information）を含むＲＲＣ接続再設定（RRC connection reconfiguration）のシグナリングのＭＣＳを低く設定するようにしてもよい。これによって、ＨＯ元セルのカバレッジを見かけ上増大させ、モビリティ制御情報（mobility control information）の受信品質を高めることができ、ＨＯ関連処理の失敗を低減させることができる。
【０５８０】
仮想マクロセルモード運用時におけるＳＣＧ間のＨＯにおいて、前述の方法を適用することによって、ＳＣＧ間のＨＯの失敗を低減させることが可能となる。ＨＯ元のＳＣＧのコンセントレータおよびＨＯ先のＳＣＧのコンセントレータの少なくとも一方が、ＨＯ対象ＵＥのＨＯ関連処理に関するシグナリングのＭＣＳを低く設定するように制御する。低いＭＣＳとは、低次の変調方式および低レートのコーディングレートの少なくとも一方である。
【０５８１】
前述の図３２に示す前記（２）の方法のシーケンス例は、前述の図３０および図３１に示す前記（１）の方法のシーケンス例において、「送信電力増大」を、「ＭＣＳを低く設定」に置き換えればよい。ＭＣＳを低く設定する方法としては、低いＭＣＳを予め静的に設定しておいてもよい。あるいは、状況に応じてＭＣＳを低く設定するようにしてもよい。
【０５８２】
例えば、下りシグナリングは、ＵＥからのＣＱＩで通知されたＭＣＳ設定よりもｎランク低く設定する、などである。あるいは、従来の方法を用いて設定されたＭＣＳよりもｎランク低く設定するようにしてもよい。ｎランクは、オフセット値として予め静的に決められていてもよいし、シグナリングの種類に応じて、あるいは通信品質状況に応じて、適宜動的に決定されてもよい。ＳＣＧのコンセントレータが決定するとよい。
【０５８３】
ＨＯ対象ＵＥからの上りシグナリングに関しては、前記（１）の方法と同様に、上りシグナリングのための上りスケジューリング情報に、低いＭＣＳの設定を指示する情報を含ませるとよい。例えば、ＵＣＩに、ＭＣＳオフセット量を示す情報を設けてもよい。例えば、該ＭＣＳオフセット量を示す情報に、ｎランクを設定する。低いＭＣＳ設定を指示する情報を含むＵＬスケジューリング情報を受信したＵＥは、低いＭＣＳ設定として上りシグナリングを送信する。
【０５８４】
このように、ＨＯ元のＳＣＧのコンセントレータおよびＨＯ先のＳＣＧのコンセントレータの少なくとも一方が、ＨＯ対象ＵＥに対して、ＨＯ関連処理に関するＨＯ元ＳＣＧ内のスモールセルあるいはＨＯ先ＳＣＧ内のスモールセルとＵＥ間のシグナリングのＭＣＳを低く設定するように制御する。これによって、ＨＯ対象ＵＥのＨＯ関連処理に関するシグナリングのＭＣＳを低く設定することができる。したがって、ＳＣＧ間のＨＯの失敗を低減させることが可能となる。
【０５８５】
前述の（１）または（２）の方法で、ＨＯ対象ＵＥからの上りシグナリングの送信電力の増大または低いＭＣＳの設定については、該上りシグナリングのための、上りスケジューリング情報を用いてＨＯ対象ＵＥに通知する方法を開示した。他の方法について、以下に開示する。
【０５８６】
ＨＯ元ＳＣＧのコンセントレータおよびＨＯ先ＳＣＧのコンセントレータの少なくとも一方から、ＨＯ対象のＵＥに対して、ＲＲＣシグナリングを用いて、上りシグナリングの送信電力の増大または低いＭＣＳの設定の指示メッセージを通知する。ＲＲＣシグナリングを用いることによって、送信電力の増大指示または低ＭＣＳの設定指示を、より確実にＵＥに通知することが可能となる。
【０５８７】
ＲＲＣシグナリングとしては、新たなメッセージを設けてもよいし、メジャメント設定（measurement configuration）を用いてもよい。また、モビリティ制御情報メッセージを用いてもよい。
【０５８８】
例えば、新たなメッセージを設ける場合、ＨＯ元ＳＣＧのコンセントレータおよびＨＯ先ＳＣＧのコンセントレータの少なくとも一方は、ＨＯ対象ＵＥに対して、ＨＯ関連処理を開始したとき、前述の図３０および図３１では、ステップＳＴ５２０４の処理が行われたとき、あるいはＨＯ対象ＵＥに対してＨＯ受入を決定したとき、図３０および図３１では、ステップＳＴ５２１２の処理が行われときに、送信電力増大指示メッセージまたは低ＭＣＳ設定指示メッセージを通知する。該通知に、ＨＯ対象ＵＥを特定するためのＨＯ対象ＵＥの識別子と、送信電力増加量あるいはＭＣＳ低減量（オフセット量）とを含めるとよい。該通知を受信したＨＯ対象ＵＥは、上りシグナリングの送信電力を増大させる。
【０５８９】
また、ＨＯ元ＳＣＧのコンセントレータおよびＨＯ先ＳＣＧのコンセントレータの少なくとも一方は、ＨＯ対象ＵＥに対して、ＨＯ対象ＵＥに対するＨＯ完了処理が行われたとき、図３０および図３１では、ステップＳＴ５２１９およびステップＳＴ５２２０の処理が行われたときに、ＨＯ対象ＵＥの送信電力増大停止指示または低ＭＣＳ設定指示を通知する。該通知に、ＨＯ対象ＵＥを特定するためのＨＯ対象ＵＥの識別子を通知するとよい。該通知を受信したＵＥは、上りシグナリングの送信電力の増大または低ＭＣＳの設定を停止する。
【０５９０】
このほか、メジャメント設定（measurement configuration）またはモビリティ制御情報メッセージを用いて、上りシグナリングの送信電力の増加または低ＭＣＳの設定を指示するようにしてもよい。既存のメッセージに、新たに、送信電力増加量あるいはＭＣＳ低減量（オフセット量）のパラメータ、該設定を要求するパラメータを設けるとよい。既存のメッセージを用いることによって、他の情報と併せて通知することが可能となるので、シグナリング量の低減を図ることが可能となる。
【０５９１】
従来、ＨＯ対象ＵＥのＨＯ関連処理のシグナリングのスケジューリングには、ＰＤＣＣＨが用いられる。ＰＤＣＣＨは、セルの傘下の全てのＵＥのスケジューリング情報が含まれる。したがって、前述の方法を、ＨＯ対象ＵＥのＨＯ関連処理のシグナリングのスケジューリングに適用した場合、ＳＣＧの傘下の全てのＵＥのスケジューリング情報のためのＰＤＣＣＨの送信電力が大きくなる。この場合、ＳＣＧの傘下の他のＵＥに対しては、無駄な設定となる。
【０５９２】
この問題を解決するために、ＨＯ対象ＵＥのＨＯ関連処理のシグナリングのスケジューリングには、ＥＰＤＣＣＨを用いるとよい。
【０５９３】
ＥＰＤＣＣＨは、ＰＤＳＣＨ領域を用いてＵＥに通知される物理制御チャネルである。ＨＯ対象ＵＥに対してのＥＰＤＣＣＨを構成し、ＨＯ関連処理のシグナリングのスケジューリングに用いるとよい。該ＥＰＤＣＣＨの送信電力を増大する、あるいは、ＭＣＳを低く設定するようにすればよい。
【０５９４】
このようにすることによって、ＨＯ対象ＵＥに対するＨＯ関連処理のシグナリングのスケジューリング情報の受信品質を高めることが可能となり、ＳＣＧ間のＨＯの失敗を低減させることが可能となる。
【０５９５】
また、ＨＯ関連処理のシグナリングのスケジューリングの通信品質が劣化した場合に、ＥＰＤＣＣＨに切替えるようにしてもよい。該ＥＰＤＣＣＨの送信電力を増大する、あるいは、ＭＣＳを低く設定することによって、ＨＯ対象ＵＥに対するＨＯ関連処理のシグナリングのスケジューリング情報の受信品質を高めることが可能となり、ＳＣＧ間のＨＯの失敗を低減させることが可能となる。
【０５９６】
他方、ＨＯ関連処理のシグナリングのスケジューリングの通信品質が良好である場合は、ＰＤＣＣＨを用いてスケジューリングする。この場合、通信品質が良好であるので、ＰＤＣＣＨの送信電力の増大、あるいはＭＣＳを低く設定する必要はない。ＰＤＣＣＨを用いてスケジューリングすることによって、ＥＰＤＣＣＨを設ける必要が無く、ＥＰＤＣＣＨ設定に必要となる物理リソースを削減することができる。
【０５９７】
ＥＰＤＣＣＨに切替えられるようにすることによって、ＵＥの移動による時間的および空間的に変動する電波環境に応じて、使用する物理リソースの最適化を図ることができる。これによって、物理リソースの使用効率を向上させることが可能となる。
【０５９８】
本変形例で開示した方法は、仮想マクロセルモード運用時におけるＳＣＧ間のＨＯだけでなく、通常のスモールセル間のＨＯにも適用することが可能である。通常のスモールセル間のＨＯに適用した場合でも、本変形例と同様に、スモールセル間のＨＯ失敗を低減させることが可能となる。
【０５９９】
実施の形態２  変形例３．
ＳＣＧ内のスモールセルが仮想マクロセルを構成する場合、ＳＣＧ内の各スモールセルが同一の通信を行う。したがって、上りリンクにおいて、ＵＥは、各スモールセルを認識せずに、１つのセルとして上り送信を行う。換言すれば、仮想マクロセルに対して、上り送信を行う。この場合、ＵＥの送信電力制御方法が問題となる。
【０６００】
従来の送信電力制御方法では、ＵＥの送信電力は、ＵＥと通信を行う１つのセルの上りリンクの通信品質によって決定される。しかし、仮想マクロセルの場合、仮想マクロセルは複数のセルで構成されるので、単純に従来の方法を適用することができないという問題がある。本変形例では、この問題を解決することを目的とする。
【０６０１】
ＳＣＧ内のスモールセルが仮想マクロセルを構成して、ＳＣＧの傘下のＵＥと通信を行う場合におけるＵＥの送信電力制御方法として、以下の（１）〜（３）の３つを開示する。
【０６０２】
（１）ＳＣＧ内の各スモールセルにおけるＵＥからの受信電力あるいは受信品質を選択合成。
（２）ＳＣＧ内の各スモールセルにおけるＵＥからの受信電力あるいは受信品質を等価合成。
（３）ＳＣＧ内の各スモールセルにおけるＵＥからの受信電力あるいは受信品質を最大比合成。
【０６０３】
前記（１）、（２）または（３）の方法で合成した結果に基づいて、ＵＥの送信電力を設定する。受信品質の具体例としては、ＳＩＮＲ（Signal to Interference and Noise power Ratio）などがある。受信電力あるいは受信品質の合成、およびそれに基づいた送信電力の設定は、ＳＣＧを制御するコンセントレータが行うとよい。すなわち、上り送信電力制御は、ＳＣＧを制御するコンセントレータの機能とするとよい。
【０６０４】
各スモールセルは、ＵＥからの受信電力あるいは受信品質を測定し、測定結果をコンセントレータに通知する。コンセントレータは、対象となるＵＥの、各スモールセルからの受信電力あるいは受信品質測定結果を取得し、該測定結果を前記（１）〜（３）のいずれかの方法で合成する。
【０６０５】
コンセントレータは、合成結果に基づいて、対象となるＵＥの送信電力を設定する。コンセントレータは、ＵＥに対して、仮想マクロセルを構成するＳＣＧ内のスモールセルを介して、設定した送信電力を通知する。設定した送信電力は、上りのスケジューリング情報として通知するとよい。
【０６０６】
このようにすることによって、ＵＥとしては、ＳＣＧ内の各スモールセルを認識する必要がなく、１つのセル（仮想マクロセル）として送信電力を設定することができ、上り送信を行うことが可能となる。
【０６０７】
また、仮想マクロセルを構成するＳＣＧ内のスモールセルを利用することによって、ＵＥからの上り受信電力あるいは受信品質を最適になるように制御することが可能となる。
【０６０８】
実施の形態２  変形例４．
実施の形態２の変形例２において、仮想マクロセルを構成するＳＣＧ間のＨＯ失敗を低減させるために、ＨＯ対象ＵＥのＨＯ関連処理に関するシグナリングのＭＣＳを低く設定する方法を開示した。
【０６０９】
他方、ＵＥは、ＳＣＧ間の移動だけでなく、ＳＣＧ内のスモールセル間の移動においても、受信電力の急激な変化が生じる可能性がある。この場合、ＭＣＳの選択が追従できなくなってしまい、通信品質の劣化あるいは無線リソースの使用効率の低下につながる。このような場合、ＳＣＧは仮想マクロセルを構成しているので、ＵＥは、ＳＣＧ内の各スモールセル間の移動を認識しない。したがって、実施の形態２の変形例２の方法を適用することができないという問題がある。本変形例では、この問題を解決することを目的とする。
【０６１０】
仮想マクロセルモード運用時のシグナリングは、予め所定のＭＣＳに設定する。該シグナリングは、Ｕｕインタフェース上のシグナリングである。所定のＭＣＳは、予め規格などで静的に決められてもよいし、コンセントレータによって準静的に設定されてもよい。
【０６１１】
所定のＭＣＳは、想定される最低の受信電力でも受信可能なＭＣＳとするとよい。例えば、ＭＣＳは、低レートに設定する。ＭＣＳは、最低レートに設定してもよい。あるいは、ＭＣＳは、制御チャネルまたは制御信号に使用されるＭＣＳ設定の中で、最低のＭＣＳ設定と同じに設定にしてもよい。
【０６１２】
このようにすることによって、ＳＣＧ内のスモールセル間の移動においても、受信電力の急激な変化による通信品質の劣化、あるいは無線リソースの使用効率の低下を抑制することができる。
【０６１３】
低いＭＣＳに設定することによって、無線リソースの使用量は増大するが、仮想マクロセルとＵＥとの間の通信を、所定のシグナリングおよび制御プレイン（C-plane）接続、あるいは所定のシグナリングと一部のデータ通信などに限定することによって、無線リソースの使用量の増大を抑えることが可能となる。
【０６１４】
実施の形態２  変形例５．
実施の形態２において、個別のセルとして動作するスモールセルは、仮想マクロセルとして動作する場合のキャリア周波数と異なるキャリア周波数を有してもよいことを開示した。しかし、オペレータに与えられた周波数割当状況として、複数のキャリア周波数を持てない場合も考えられる。
【０６１５】
本変形例では、仮想マクロセルモードおよび個別セルモードの運用を同一のキャリア周波数で行う方法について開示する。
【０６１６】
仮想マクロモードおよび個別スモールセルモードを、同一周波数キャリアを用いて、時分割で行う。仮想マクロセルを構成するＳＣＧ内のスモールセルは、同期がとられているので、この方法が可能である。
【０６１７】
時分割の方法として、以下の（１），（２）の２つを開示する。
（１）無線フレーム単位とする。
（２）サブフレーム単位とする。
【０６１８】
前記（１）の無線フレーム単位とする場合、仮想マクロセルモードで運用する無線フレームと個別セルモードで運用する無線フレームとを異ならせる。仮想マクロセルモードで運用する無線フレームと個別セルモードで運用する無線フレームとでは、ＰＣＩの設定が異なる。仮想マクロセル用のＰＣＩと個別セル用のＰＣＩとが用いられる。
【０６１９】
どの無線フレームを仮想マクロセルモードで運用するか、どの無線フレームを個別セルモードで運用するか、というモード間無線フレーム構成は、仮想マクロセルからＵＥに通知するとよい。仮想マクロセルがマスタセルとなる場合に適している。デュアルコネクティビティに用いる第２セルの構成をＵＥに通知するとともに、モード間無線フレーム構成を通知するとよい。
【０６２０】
モード間無線フレーム構成として、所定の無線フレーム内で、各無線フレームで運用されるモードが示されるようにするとよい。該所定の無線フレームの構成が繰り返し設定される。所定の無線フレーム内の各無線フレームの運用モードは、各無線フレームに対応するビットマップで通知されてもよい。例えば、所定の無線フレームが２０無線フレームで決定され、２０ビットを用いて該２０無線フレーム内の各無線フレームで運用されるモードが示される。例えば、「０」が仮想マクロセルモード運用、「１」が個別セルモード運用、などである。該２０無線フレームが繰り返し設定される。
【０６２１】
無線フレーム毎にモード設定を行うことによって、サブフレームの構成に関係なく、柔軟にモード設定を行うことが可能となる。
【０６２２】
前記（２）のサブフレーム単位とする場合、仮想マクロセルモードで運用するサブフレームと個別セルモードで運用するサブフレームとを異ならせる。仮想マクロセルモードで運用するサブフレームと個別セルモードで運用するサブフレームとでは、ＰＣＩの設定が異なる。仮想マクロセル用のＰＣＩと個別セル用のＰＣＩとが用いられる。
【０６２３】
この場合、ＳＳおよびＰＢＣＨなど、マッピングされるサブフレームナンバが静的に決められているものがある。これに関しては、各モードで、ＳＳおよびＰＢＣＨを、マッピングするサブフレームナンバを異ならせるようにするとよい。あるいは他の方法として、ＳＳおよびＰＢＣＨのマッピングが不要なＮＣＴ（New carrier type）を用いてもよい。
【０６２４】
モード間サブフレーム構成として、所定のサブフレーム内で、各サブフレームで運用されるモードが示されるようにするとよい。該所定のサブフレームの構成が繰り返し設定される。
【０６２５】
所定のサブフレーム内の各サブフレームの運用モードは、各サブフレームに対応するビットマップで通知されてもよい。例えば、所定のサブフレームが１０サブフレームで決定され、１０ビットを用いて該１０サブフレーム内の各サブフレームで運用されるモードが示される。例えば、「０」が仮想マクロセルモード運用、「１」が個別セルモード運用、などである。該１０サブフレームが繰り返し設定される。また、ＳＳおよびＰＢＣＨなどがマッピングされるサブフレームナンバも設定される。
【０６２６】
前記（１）の方法と同様に、モード間サブフレーム構成は、仮想マクロセルからＵＥに通知するとよい。仮想マクロセルがマスタセルとなる場合に適している。デュアルコネクティビティに用いる第２セルの構成をＵＥに通知するとともに、モード間サブフレーム構成を通知するとよい。
【０６２７】
サブフレーム毎にモード設定を行うことによって、時間的に細かい単位でモード設定を行うことが可能となる。したがって、無線リソースの使用効率を向上させることが可能となる。
【０６２８】
実施の形態２  変形例６．
実施の形態２において、仮想マクロセルを構成するＳＣＧ内の各スモールセルは同一の通信を行うので、ＳＣＧ内の各スモールセルの物理リソースの構成を同一にすることを示した。また、レイヤ１における物理チャネルおよび信号を同一の物理リソースにマッピングすることなどを示した。
【０６２９】
しかし、ＳＣＧ内で、あるスモールセルのカバレッジ内にはＵＥが存在するが、他のスモールセルのカバレッジ内にはＵＥが存在しないような場合がある。この場合、ＳＣＧ内のスモールセルが同一の通信を行うことは、消費電力の無駄となる場合がある。本変形例では、この問題を解決することを目的とする。
【０６３０】
仮想マクロセルを構成するＳＣＧ内の各スモールセルは、個別に送信をオン／オフする。
【０６３１】
仮想マクロセルを構成するＳＣＧ内のスモールセルは、物理チャネルおよび信号を同一の物理リソースにマッピングするが、各スモールセル個別に該物理リソースの送信をオン／オフする。
【０６３２】
送信のオン／オフは、コンセントレータから通知されるとよい。例えば、ＵＥの位置情報をコンセントレータが取得し、ＳＣＧ内の傘下のＵＥが存在しないスモールセルの送信をオフする。この場合、該スモールセルに送信をオフする送信オフの指示を通知するとよい。また、送信をオフしているスモールセルにＵＥが近づいた場合、該スモールセルの送信をオンする。この場合、該スモールセルに送信をオンする送信オンの指示を通知するとよい。
【０６３３】
このように、仮想マクロセルを構成するＳＣＧ内の各スモールセルは、個別に送信をオン／オフすることによって、多数のスモールセル運用時におけるスモールセル全体の消費電力を低減することが可能となる。
【０６３４】
また、ＳＣＧ端に配置されるスモールセルは送信をオフしない、としてもよい。これによって、該ＳＣＧに隣接するＳＣＧ内に位置するＵＥが、該ＳＣＧによって構成される仮想マクロセルのメジャメントを行うことを可能にすることができる。したがって、該ＳＣＧによって構成される仮想マクロセルへのＨＯなどのモビリティを可能にすることができる。
【０６３５】
また、各スモールセル個別に全ての物理リソースの送信をオン／オフするのではなく、各スモールセル個別に、特定の物理リソース、例えば、特定のＲＢ（Resource Block）、およびＰＢＣＨがマッピングされる物理リソースなどの送信をオン／オフするようにしてもよい。また、特定のＵＥに割当てられる物理リソースの送信をオン／オフするようにしてもよい。
【０６３６】
これによって、例えば、ＳＣＧ内の傘下のスモールセルに存在しないＵＥにスケジューリングされているＰＤＳＣＨがマッピングされる物理リソースの送信をオフすることなどが可能となる。また、不要なＵＥへの送信をオフすることが可能となる。また、スモールセルの傘下にＵＥが全く存在しない場合だけでなく、消費電力を低減することが可能となる。
【０６３７】
また、送信をオン／オフするのではなく、送受信をオン／オフするようにしてもよい。これによって、送信側だけでなく、受信側の消費電力も低減することができる。
【０６３８】
個別セルモードで運用しているスモールセルのカバレッジ内に、該スモールセルと接続状態にあるＵＥが存在するような場合は、他の個別セルモードで運用しているスモールセルにそれらのＵＥをハンドオーバさせてから送信をオフするようにしてもよい。あるいは、仮想マクロセルにそれらのＵＥをハンドオーバさせてから送信をオフするようにしてもよい。
【０６３９】
送信をオフしない個別セルモードで運用しているスモールセル、あるいは、仮想マクロセルに、それらのＵＥをハンドオーバさせることによって、それらのＵＥは通信を継続することが可能となる。
【０６４０】
ハンドオーバさせてから送信をオフすると説明したが、その詳細なタイミングについて開示する。送信をオフする個別セルモードで運用しているスモールセルの送信オフのタイミングとしては、該スモールセルと接続状態にあるＵＥに対してモビリティ制御情報を送信した後に行うとよい。
【０６４１】
例えば、ターゲットとなる個別セルモードで運用しているスモールセルあるいは仮想マクロセルからのハンドオーバコマンドを、それらのＵＥに対して送信した後に行うとよい。これは、ハンドオーバのシグナリングのうち、モビリティ制御情報の送信が、ハンドオーバ元のセルからＵＥに対して送信する最後のシグナリングだからである。
【０６４２】
このようにすることによって、ハンドーバ元のセルの送信をオフしたとしても、ハンドオーバさせるＵＥに対する影響を最小限に抑えることが可能となる。したがって、送信をオフする該スモールセルと接続状態にあるＵＥが、ＨＯＦあるいはＲＬＦとなって接続状態を維持できなくなることを低減することが可能となる。
【０６４３】
実施の形態２  変形例７．
実施の形態２では、仮想マクロセルを構成するＳＣＧ内の各スモールセルは同一の通信を行うので、ＳＣＧ内の各スモールセルのセルスペシフィックなＲＳを同一の物理リソースにマッピングするようにしている。したがって、各セルの各アンテナに対応するＲＳは、同一のリソースにマッピングされて送信される。また、送信ダイバーシチおよびＭＩＭＯ（Multiple Input Multiple Output）で各セルの各アンテナが用いられる場合、各セルの各アンテナからのデータは、同一のデータが同一の物理リソースにマッピングされて送信される。
【０６４４】
図３３は、ＳＣＧ内の各セルが４つのアンテナを有する場合の構成を説明するための図である。図３３では、仮想マクロセルを構成するＳＣＧ内のスモールセルを参照符号「５４０１」、「５４０３」、「５４０５」、「５４０７」で示す。
【０６４５】
各スモールセル５４０１，５４０３，５４０５，５４０７によって、カバレッジ５４０２，５４０４，５４０６，５４０８が構成される。各セルは、４つのアンテナを有する。スモールセル５４０１は、４つのアンテナ５４０１−１〜５４０１−４を有する。スモールセル５４０３は、４つのアンテナ５４０３−１〜５４０３−４を有する。スモールセル５４０５は、４つのアンテナ５４０５−１〜５４０５−４を有する。スモールセル５４０７は、４つのアンテナ５４０７−１〜５４０７−４を有する。
【０６４６】
このような場合、アンテナ５４０１−１，５４０３−１，５４０５−１，５４０７−１に対応するＲＳは、同一のリソースにマッピングされて送信される。また、これらのアンテナ５４０１−１，５４０３−１，５４０５−１，５４０７−１から同一のデータが同一の物理リソースにマッピングされて送信される。
【０６４７】
同様に、アンテナ５４０１−２，５４０３−２，５４０５−２，５４０７−２からの送信、アンテナ５４０１−３，５４０３−３，５４０５−３，５４０７−３からの送信、アンテナ５４０１−４，５４０３−４，５４０５−４，５４０７−４からの送信も同一となる。
【０６４８】
これによって、スモールセルが複数のアンテナを有する場合も、複数のアンテナを有する１つの仮想的なマクロセルとして構成される。ＵＥは、複数のアンテナを有する仮想マクロセルを構成するＳＣＧ内のスモールセルを各々判別する必要がなく、１つのセルとしてみなすことができる。
【０６４９】
アンテナの組合せ方法は、これに限らず、仮想マクロセルを構成するＳＣＧ内の各スモールセルの各アンテナを任意に組合せてもよい。
【０６５０】
図３３を用いて、仮想マクロセルを構成するＳＣＧ内の各スモールセルの各アンテナの組合せの例を説明する。アンテナ５４０１−１，５４０１−２，５４０１−３，５４０１−４に対応するＲＳは、同一のリソースにマッピングされて送信される。また、これらのアンテナ５４０１−１，５４０１−２，５４０１−３，５４０１−４から同一のデータが同一の物理リソースにマッピングされて送信されるように、アンテナの組合せを構成する。
【０６５１】
同様に、アンテナ５４０３−１，５４０３−２，５４０３−３，５４０３−４からの送信、アンテナ５４０５−１，５４０５−２，５４０５−３，５４０５−４からの送信、アンテナ５４０７−１，５４０７−２，５４０７−３，５４０７−４からの送信も同一となるようにする。このようにすることによって、異なる送信を行うアンテナ間の距離を離すことが可能となる。
【０６５２】
アンテナの組合せ方法を柔軟に行うことによって、仮想マクロセルは、複数のアンテナを構成することができ、送信ダイバーシチおよびＭＩＭＯなどによる利得を最適にすることが可能となる。
【０６５３】
本実施の形態およびその変形例では、仮想マクロセルモードおよび個別セルモードの両方で運用されるスモールセルを「セル」と称しているが、仮想マクロセルモードで運用されるスモールセル（以下「仮想マクロセルモード運用セル」という場合がある）、および個別セルモードで運用されるスモールセル（以下「個別セルモード運用セル」という場合がある）をそれぞれ、「セル」と称してもよい。スモールｅＮＢは、仮想マクロセルモード運用セルと個別セルモード運用セルとの２つのセルを構成するように構成されてもよい。
【０６５４】
本実施の形態およびその変形例で開示した方法は、実施の形態１およびその変形例で開示した方法と適宜組合せて使用してもよい。
【０６５５】
例えば、仮想マクロセルモードおよび個別セルモードの両運用を行うスモールセルと、デュアルコネクティビティを行わないＵＥとが通信を行う場合に、実施の形態１およびその変形例で開示した方法を適用することができる。デュアルコネクティビティを行わないＵＥは、仮想マクロセルを構成するＳＣＧ内のスモールセルとの間で、仮想マクロセルモードあるいは個別セルモードのいずれか一方で通信する。
【０６５６】
換言すると、デュアルコネクティビティを行わないＵＥは、仮想マクロセルあるいは個別スモールセルのいずれかで通信する。このような場合、実施の形態１およびその変形例で開示した方法を組合せて使用してもよい。例えば、仮想マクロセルまたはマクロセルのグループと、個別スモールセルのグループとを設けておき、ＵＥが、在圏すべきグループへの移行判定を行う。在圏すべきセルの判定は、ＲＲＣ＿Ｉｄｌｅの場合、例えばセル選択、セル再選択のときはＵＥが行い、ＲＲＣ＿Ｃｏｎｎｅｃｔｅｄの場合、例えば、ＨＯのときは、セルが行う。
【０６５７】
このようにすることによって、多数のスモールセルのみが運用されている状況でも、仮想マクロセルを含むグループへのモビリティを可能にし、さらに、モビリティのためのメジャメント期間を短縮することが可能となる。したがって、モビリティ性能を向上することが可能となる。
【０６５８】
デュアルコネクティビティを行わないＵＥとしては、デュアルコネクティビティのケーパビリティの無いＵＥ、およびデュアルコネクティビティをサポートする規格より前の規格に対応のレガシーＵＥも含まれる。
【０６５９】
実施の形態３．
実施の形態２で述べたように、多数のスモールセルが設置される場合の運用方法として、デュアルコネクティビティが検討されている。デュアルコネクティビティを行っているＵＥに対するページングは、マスタセルからＵＥに通知されることが検討されている。マスタセルは、マスタｅＮＢによって構成されるセルである。マスタｅＮＢによって構成されるセルは、１つであってもよいし、複数であってもよい。マスタｅＮＢは、デュアルコネクティビティにおいて、Ｓ１−ＭＭＥインタフェースを終端するｅＮＢである。
【０６６０】
他方、３ＧＰＰでは、緊急地震速報（Earthquake and Tsunami Warning System：ＥＴＷＳ）およびＣＭＡＳ（Commercial Mobile Alert System）など、緊急情報をＵＥに報知するシステム（Public Warning System：ＰＷＳ）が規格化されている（非特許文献１および非特許文献１０参照）。ＰＷＳにおいて、緊急情報の存在は、ページングを用いてＵＥに通知される。また、緊急情報自体は、システム情報としてＳＩＢに含められて報知される。ページングによって緊急情報の存在情報を受信したＵＥは、所定の緊急情報がのるＳＩＢを受信する。このようにすることによって、ＵＥは、緊急情報を受信することが可能となる。
【０６６１】
実施の形態３で解決する課題について、以下に説明する。例えば、マクロセルの傘下のＵＥは、該マクロセルからのページングによって緊急情報の存在情報を受信した場合、該マクロセルからの緊急情報がのるＳＩＢを受信する。このとき、マクロセルとＵＥとの間の急激な電波環境の変化によって、マクロセルからの下りリンクの通信品質が急激に劣化する場合が生じる。例えば、ＵＥがページングを受信した後、ＵＥとマクロセルとの間に大型バスが停止する場合などである。この場合、ＵＥは、マクロセルからの緊急情報がのるＳＩＢを受信することが不可能となる。本実施の形態では、この問題を解決することを目的とする。
【０６６２】
デュアルコネクティビティを行っているＵＥは、ページングによって緊急情報の存在情報を受信し、ページングを通知したセルの緊急情報が含まれるＳＩＢを受信できなかった場合、ページングを通知したセルとは異なるセルの緊急情報を受信する。
【０６６３】
具体的には、ＵＥは、ページングを通知したセルとは異なるセルの緊急情報が含まれるＳＩＢを受信するとよい。ページングを通知したセルとは異なるセルの緊急情報が含まれるＳＩＢは、例えば、３ＧＰＰの規格（非特許文献１０参照）では、ＳＩＢ１０、ＳＩＢ１１、ＳＩＢ１２である。ＳＩＢ１０およびＳＩＢ１１には、ＥＴＷＳの緊急情報が含まれる。ＳＩＢ１２には、ＣＭＡＳの緊急情報が含まれる。ＵＥは、ページングに含まれる緊急情報の存在情報に応じて、どのＳＩＢを受信するかを決定する。ページングに含まれる緊急情報の存在情報としては、「etws-indication」、「cmas-indication」がある。
【０６６４】
また、ＵＥは、ページングを通知したセルとは異なるセルの緊急情報が含まれるＳＩＢを受信するため、そのＳＩＢを受信するために必要なＳＩＢを受信する。具体的には、ＵＥは、ＳＩＢ１を受信する。ＳＩＢ１には、各ＳＩＢのスケジューリング情報が存在する。ＵＥは、ＳＩＢ1を受信して、緊急情報が含まれるＳＩＢのスケジューリング情報を取得する。
【０６６５】
これによって、デュアルコネクティビティを行っているＵＥは、ページングを通知したセルとは異なるセルの緊急情報を受信することが可能となる。
【０６６６】
デュアルコネクティビティを行っているＵＥは、ページングによって緊急情報の存在を受信したとき、直ちに、ページングを通知したセルとは異なるセルの緊急情報を受信してもよい。
【０６６７】
また、ページングを通知したセルの緊急情報の受信処理と、ページングを通知したセルとは異なるセルの緊急情報の受信処理とを同時に行ってもよい。
【０６６８】
このようにすることによって、ＵＥは、可及的速やかに緊急情報を受信することが可能となる。
【０６６９】
緊急情報は、ＭＭＥからｅＮＢに通知される。従来、例えば、ＭＭＥは、所定のマクロｅＮＢにのみ緊急情報を通知する。この場合、該マクロｅＮＢが、所定のスモールｅＮＢとデュアルコネクティビティが可能であったとしても、ＭＭＥは、スモールｅＮＢに緊急情報を通知しない。したがって、このままだと、ＵＥは、スモールセルから緊急情報を受信することは不可能である。
【０６７０】
したがって、ＭＭＥは、所定のｅＮＢに緊急情報を通知するとき、該ｅＮＢとデュアルコネクティビティが可能なｅＮＢにも緊急情報を通知するとよい。これによって、デュアルコネクティビティを行う複数のｅＮＢの全てから緊急情報が通知されることが可能になる。したがって、デュアルコネクティビティを行っているＵＥは、ページングを通知したセルとは異なるセルから緊急情報を受信することが可能となる。
【０６７１】
この方法は、ＭＭＥがデュアルコネクティビティを行うｅＮＢの情報を認識している場合に有効である。
【０６７２】
ＭＭＥは、予め、傘下のｅＮＢから、デュアルコネクティビティが可能な他のｅＮＢの情報を取得しておくとよい。例えば、ｅＮＢは、セットアップおよびアップデートのときに、Ｓ１シグナリングでＭＭＥに通知してもよい。Ｓ１シグナリングとしては、例えばｅＮＢ設定アップデート（eNB configuration update）メッセージを用いてもよい。該メッセージに、デュアルコネクティビティが可能なｅＮＢの情報を含めてＭＭＥに通知する。これによって、新たなメッセージを設ける必要が無く、他のｅＮＢの構成のアップデート情報とともに通知できるので、シグナリング量を低減することが可能となる。
【０６７３】
また、ＭＭＥは、予め、ＯＡＭ（operation administration and maintenance）から、デュアルコネクティビティが可能なｅＮＢの情報を取得しておくようにしてもよい。デュアルコネクティビティが可能なｅＮＢの情報としては、任意のｅＮＢと、該ｅＮＢとデュアルコネクティビティが可能なｅＮＢのリストでもよい。ＯＡＭに、デュアルコネクティビティが可能なｅＮＢの情報を管理させるような場合に有効である。
【０６７４】
ＭＭＥは、傘下のｅＮＢに対して、デュアルコネクティビティが可能なｅＮＢの情報を通知してもよい。ｅＮＢの情報は、Ｓ１シグナリングで通知してもよい。ｅＮＢの情報としては、ＭＭＥが認識可能なｅＮＢ識別子などとするとよい。ｅＮＢ識別子としては、例えば、「Global eNB ID」がある。
【０６７５】
図３４は、従来の緊急情報通知システムを、デュアルコネクティビティを行っているＵＥに適用した場合のシーケンスを示す図である。
【０６７６】
ステップＳＴ５６０１〜ステップＳＴ５６０４において、ＵＥは、マクロセルおよびスモールセルとデュアルコネクティビティを行っている。マクロセルを構成するマクロｅＮＢがマスタ（Master）ｅＮＢであり、スモールセルを構成するスモールｅＮＢがセカンダリ（Secondary）ｅＮＢである場合を示している。セカンダリｅＮＢは、デュアルコネクティビティを行うためにＵＥと接続する第２のセルである。図３４において、ＵＥは、マクロセルからページングを受信している。
【０６７７】
緊急情報が発生した場合、ステップＳＴ５６０５において、セルブロードキャストセンター（Cell Broadcast Center：ＣＢＣ）から、ＭＭＥに緊急情報が通知される。緊急情報としては、ＥＴＷＳとする。
【０６７８】
ステップＳＴ５６０５で緊急情報を受信したＭＭＥは、ステップＳＴ５６０６において、傘下の所定のｅＮＢ、ここではマクロセルを構成するマクロｅＮＢであるマスタｅＮＢに緊急情報を通知する。緊急情報の通知には、書き込み−置換え警報処理（Write-Replace Warning procedure）が用いられる。Ｓ１シグナリングとしては、書き込み−置換え警報要求（WRITE-REPLACE WARNING REQUEST）メッセージが用いられる。
【０６７９】
ステップＳＴ５６０６で緊急情報を受信したマスタｅＮＢは、ステップＳＴ５６０７において、該ｅＮＢが構成するマクロセルから傘下のＵＥに対して、ページングにＥＴＷＳの存在を示す情報（以下「ＥＴＷＳ存在情報」という場合がある）を含めて通知する。
【０６８０】
また、マスタｅＮＢは、ステップＳＴ５６１０において、マスタｅＮＢが構成するマクロセルから傘下のＵＥに対して、緊急情報（ＥＴＷＳ）を、ＳＩＢ１０およびＳＩＢ１１の少なくとも一方にのせて通知する。
【０６８１】
また、ステップＳＴ５６０９において、マスタｅＮＢは、該ｅＮＢが構成するマクロセルから傘下のＵＥに対して、ＳＩＢ１０およびＳＩＢ１１の少なくとも一方のスケジューリング情報を、ＳＩＢ１に含めて通知する。
【０６８２】
ステップＳＴ５６０８において、ＵＥは、ステップＳＴ５６０７で受信したページングに含まれるＥＴＷＳ存在情報によって、ＥＴＷＳが存在しているか否かを判断する。ステップＳＴ５６０８において、ＥＴＷＳが存在しないと判断された場合は、通常のデュアルコネクティビティの状態に戻る。ステップＳＴ５６０８において、ＥＴＷＳが存在していると判断された場合は、ステップＳＴ５６０９のＳＩＢ1を受信して、ＳＩＢ１０、ＳＩＢ１１のスケジューリング情報を得る。そして、ステップＳＴ５６１０において、ＳＩＢ１０、ＳＩＢ１１を受信して、緊急情報（ＥＴＷＳ）を取得する。
【０６８３】
緊急情報（ＥＴＷＳ）を所定の周期で所定の期間通知したマスタｅＮＢは、ステップＳＴ５６１１において、緊急情報終了メッセージとして、警報応答（Warning response）メッセージをＭＭＥに通知する。
【０６８４】
このようにすることによって、デュアルコネクティビティを行っているＵＥは、マクロセルから緊急情報を受信することが可能となる。
【０６８５】
しかし、前述のように、例えば、ＵＥがページングを受信した後、ＵＥとマクロセルとの間に大型バスが停止するなどして、マクロセルからの下りリンクの通信品質が急激に劣化した場合、ＵＥは、ステップＳＴ５６０９およびステップＳＴ５６１０におけるマクロセルからの緊急情報がのるＳＩＢ、およびそのスケジューリング情報であるＳＩＢを受信することが不可能となる。したがって、マクロセルのみから緊急情報を受信するＵＥは、緊急情報を受信できなくなってしまう。
【０６８６】
図３５は、実施の形態３における緊急情報通知システムのシーケンスの一例を示す図である。図３５は、前述の図３４と類似しているので、図３４に対応するステップについては、同一のステップ番号を付して、共通する説明を省略する。
【０６８７】
ステップＳＴ５６０５で緊急情報を受信したＭＭＥは、ステップＳＴ５６０６において、傘下の所定のｅＮＢ、ここではマクロセルを構成するマクロｅＮＢであるマスタｅＮＢに緊急情報を通知する。これに加えて、ステップＳＴ５７０１において、ＭＭＥは、所定のｅＮＢとデュアルコネクティビティが可能なｅＮＢ、ここではスモールｅＮＢであるセカンダリｅＮＢに対して、緊急情報を通知する。この緊急情報の通知にも、書き込み−置換え警報処理（Write-Replace Warning procedure）を用いてもよい。Ｓ１シグナリングとしては、書き込み−置換え警報要求（WRITE-REPLACE WARNING REQUEST）メッセージを用いてもよい。
【０６８８】
ステップＳＴ５７０１で緊急情報を受信したセカンダリｅＮＢは、ステップＳＴ５７０３において、該ｅＮＢが構成するスモールセルから傘下のＵＥに対して、ページングにＥＴＷＳ存在情報を含めて通知する。
【０６８９】
また、セカンダリｅＮＢは、ステップＳＴ５７０４において、該ｅＮＢが構成するスモールセルから傘下のＵＥに対して、緊急情報(ＥＴＷＳ)を、ＳＩＢ１０およびＳＩＢ１１の少なくとも一方にのせて通知する。
【０６９０】
また、ステップＳＴ５７０３において、セカンダリｅＮＢは、該ｅＮＢが構成するスモールセルから傘下のＵＥに対して、ＳＩＢ１０およびＳＩＢ１１の少なくとも一方のスケジューリング情報を、ＳＩＢ１に含めて通知する。
【０６９１】
ステップＳＴ５６０８において、緊急情報（ＥＴＷＳ）が存在すると判断された場合、ＵＥは、ステップＳＴ５６０９およびステップＳＴ５６１０において、ステップＳＴ５６０７のページングを送信したマクロセルからの緊急情報の受信を試みる。
【０６９２】
ステップＳＴ５７０２において、ＵＥは、マクロセルから緊急情報（ＥＴＷＳ）を受信できたか否かを判断する。ステップＳＴ５７０２において、緊急情報（ＥＴＷＳ）を受信できたと判断された場合は、従来の緊急情報受信時の処理に移行する。ステップＳＴ５７０２において、マクロセルから緊急情報を受信できなかったと判断された場合は、ステップＳＴ５７０３においてスモールセルからのＳＩＢ1を受信して、ＳＩＢ１０、ＳＩＢ１１のスケジューリング情報を得る。そして、ステップＳＴ５７０４において、スモールセルからのＳＩＢ１０、ＳＩＢ１１を受信して、緊急情報（ＥＴＷＳ）を取得する。
【０６９３】
緊急情報（ＥＴＷＳ）を所定の周期で所定の期間通知したセカンダリｅＮＢは、ステップＳＴ５７０５において、緊急情報終了メッセージとして、警報応答（Warning response）メッセージをＭＭＥに通知する。
【０６９４】
このようにすることによって、デュアルコネクティビティを行っているＵＥが、マクロセルから緊急情報を受信できなかった場合に、スモールセルから緊急情報を受信することが可能となる。
【０６９５】
デュアルコネクティビティを行う複数のｅＮＢの全てが、ＭＭＥから緊急情報を受信する他の方法を開示する。
【０６９６】
ＭＭＥは、所定のｅＮＢに緊急情報を通知する。ＭＭＥから緊急情報を受信したｅＮＢは、自ｅＮＢとデュアルコネクティビティが可能なｅＮＢに緊急情報を通知するとよい。これによって、デュアルコネクティビティを行う複数のｅＮＢの全てから緊急情報が通知されることが可能になり、デュアルコネクティビティを行っているＵＥは、ページングを通知したセルとは異なるセルから緊急情報を受信することが可能となる。
【０６９７】
この方法は、ｅＮＢが自ｅＮＢとデュアルコネクティビティが可能なｅＮＢの情報を認識している場合に有効である。また、ＭＭＥがデュアルコネクティビティを行うｅＮＢの情報を認識していない場合に有効である。
【０６９８】
ｅＮＢは、予め、ＭＭＥからデュアルコネクティビティが可能な他のｅＮＢの情報を取得しておいてもよい。
【０６９９】
例えば、ＭＭＥは、ｅＮＢに通知する緊急情報とともに、該ｅＮＢとデュアルコネクティビティが可能なｅＮＢの情報を通知する。これによって、ｅＮＢは、デュアルコネクティビティが可能な自ｅＮＢに緊急情報を通知することが可能となる。また他の例として、ＭＭＥは、ｅＮＢのセットアップおよびアップデートのときに、Ｓ１シグナリングでｅＮＢに通知してもよい。
【０７００】
ｅＮＢは、予め、ＯＡＭからデュアルコネクティビティが可能なｅＮＢの情報を取得しておくようにしてもよい。ＭＭＥを介さずに、直接ＯＡＭから該情報を取得する。ＯＡＭにデュアルコネクティビティが可能なｅＮＢの情報を管理させるような場合に有効である。
【０７０１】
ｅＮＢの情報としては、ＭＭＥが認識可能なｅＮＢ識別子などとするとよい。ｅＮＢ識別子としては、例えば、「Global eNB ID」がある。
【０７０２】
緊急情報がｅＮＢに通知された場合、該ｅＮＢとデュアルコネクティビティが可能なｅＮＢにも緊急情報が通知される。緊急情報が通知されたデュアルコネクティビティが可能なｅＮＢは、傘下のＵＥに対して緊急情報を通知する。
【０７０３】
具体的には、緊急情報を、システム情報としてＳＩＢで報知する。例えば、ＥＴＷＳの緊急情報は、ＳＩＢ１０、ＳＩＢ１１に含ませ、ＣＭＡＳの緊急情報は、ＳＩＢ１２に含ませるとよい。
【０７０４】
また、緊急情報が通知されたデュアルコネクティビティが可能なｅＮＢは、緊急情報が含まれるＳＩＢのスケジューリング情報を、傘下のＵＥに対して通知してもよい。具体的には、緊急情報が含まれるＳＩＢのスケジューリング情報を、システム情報としてＳＩＢで報知する。例えば、ＳＩＢ１に含ませるとよい。
【０７０５】
図３６は、実施の形態３における緊急情報通知システムのシーケンスの他の例を示す図である。図３６は、前述の図３４および図３５と類似しているので、図３４および図３５に対応するステップについては、同一のステップ番号を付して、共通する説明を省略する。
【０７０６】
ステップＳＴ５６０６で緊急情報を受信したマスタｅＮＢは、ステップＳＴ５８０１において、自ｅＮＢとデュアルコネクティビティが可能なｅＮＢ、例えばセカンダリｅＮＢに対して、緊急情報を通知する。この通知には、Ｘ２シグナリングを用いてもよいし、他の新たなインタフェースを設けてもよい。
【０７０７】
ステップＳＴ５８０１で緊急情報を受信したセカンダリｅＮＢは、ステップＳＴ５７０３において、該ｅＮＢが構成するスモールセルから傘下のＵＥに対して、ページングにＥＴＷＳ存在情報を含めて通知する。
【０７０８】
また、セカンダリｅＮＢは、ステップＳＴ５７０４において、セカンダリｅＮＢが構成するスモールセルから傘下のＵＥに対して、緊急情報(ＥＴＷＳ)を、ＳＩＢ１０およびＳＩＢ１１の少なくとも一方にのせて通知する。
【０７０９】
また、ステップＳＴ５７０３において、セカンダリｅＮＢは、該ｅＮＢが構成するスモールセルから傘下のＵＥに対して、ＳＩＢ１０およびＳＩＢ１１の少なくとも一方のスケジューリング情報を、ＳＩＢ１に含めて通知する。
【０７１０】
緊急情報（ＥＴＷＳ）を所定の周期で所定の期間通知したセカンダリｅＮＢは、ステップＳＴ５８０２において、緊急情報終了メッセージとして、警報応答（Warning response）メッセージをマスタｅＮＢに通知する。
【０７１１】
ステップＳＴ５６０７、ステップＳＴ５６０９およびステップＳＴ５６１０で緊急情報（ＥＴＷＳ）を所定の周期で所定の期間通知し、かつ、ステップＳＴ５８０２で緊急情報終了メッセージを受信したマスタｅＮＢは、ステップＳＴ５６１１において、緊急情報終了メッセージとして、警報応答（Warning response）メッセージをＭＭＥに通知する。
【０７１２】
このようにすることによって、デュアルコネクティビティを行っているＵＥが、マクロセルから緊急情報を受信できなかった場合に、スモールセルから緊急情報を受信することが可能となる。
【０７１３】
本実施の形態で開示した方法によって、デュアルコネクティビティを行っているＵＥが、マスタｅＮＢが構成するセルからページングで緊急情報の存在情報を受信した後、該セルからの受信品質が急激に劣化したような場合でも、ＵＥは、セカンダリｅＮＢが構成するセルから緊急情報を受信することが可能となる。したがって、ＵＥに、可及的速やかに緊急情報を通知することが可能となる。
【０７１４】
また、ＵＥがページングで緊急情報の存在情報を受信した後、災害などによってマスタｅＮＢとなるマクロｅＮＢが構成するマクロセルが動作を停止した場合でも、ＵＥは、セカンダリｅＮＢであるスモールｅＮＢが構成するスモールセルから緊急情報を受信することが可能となる。ＵＥは、動作が停止したマクロセルを回避して、スモールセルから緊急情報を受信することが可能となる。したがって、災害時にも対応可能なシステムを構成することが可能となる。
【０７１５】
実施の形態３  変形例１．
実施の形態３の変形例１で解決する課題について、以下に説明する。多数のスモールセルが設置される場合の運用方法としてデュアルコネクティビティが行われているときに、デュアルコネクティビティが行われる複数のｅＮＢが同じ周波数レイヤで運用されると、相互のｅＮＢ間で干渉が生じることがある。
【０７１６】
これらのｅＮＢにおいて緊急情報が発生した場合、干渉によって、ＵＥは緊急情報を受信できなくなってしまう。例えば、マスタｅＮＢが構成するマクロセルと、セカンダリｅＮＢが構成するスモールセルとの間でＲＲＣダイバーシチが行われる場合、マクロセルの傘下のＵＥは、マクロセルから緊急情報を受信するとき、デュアルコネクティビティが行われるスモールセルからの干渉を受けてしまうので、マクロセルからの受信品質が劣化し、緊急情報を受信することが不可能となってしまう。本変形例は、この問題を解決することを目的とする。
【０７１７】
マスタｅＮＢが構成するセルから緊急情報を報知している間、該マスタｅＮＢとデュアルコネクティビティを行うセカンダリｅＮＢが構成するセルの送受信動作を停止する。送受信動作としては、Ｕｕインタフェースの送受信動作とするとよい。また、該セカンダリｅＮＢが構成するセルは、デュアルコネクティビティ専用のセルとする。
【０７１８】
あるいは、デュアルコネクティビティを行うセカンダリｅＮＢが構成するセルのデュアルコネクティビティ専用のキャリア周波数における送受信動作を停止するようにしてもよい。
【０７１９】
このようにすることによって、セカンダリｅＮＢが構成するセルからの干渉が無くなる。したがって、ＵＥは、マスタｅＮＢが構成するセルからの受信品質が向上し、緊急情報を受信することが可能となる。デュアルコネクティビティを行っているＵＥは、マスタｅＮＢが構成するセルからの緊急情報を受信するとよい。これによって、ＵＥは、良好な受信品質で緊急情報を受信することが可能となる。
【０７２０】
セカンダリｅＮＢが構成するセルは、送受信を停止するのではなく、送信を停止するとしてもよい。受信は停止せずに動作していてもよい。また、セカンダリｅＮＢが構成するセルは、送受信を停止するのではなく、ドーマント（dormant）モードに移行するようにしてもよい。ドーマントモードの例として、特定の信号だけを長周期で送信する方法などがある。
【０７２１】
セカンダリｅＮＢが送受信を停止する契機として、以下の（１）〜（３）の３つを開示する。
【０７２２】
（１）ＭＭＥから、あるいは、マスタｅＮＢから緊急情報の存在を示すページングメッセージを受信した場合。
【０７２３】
（２）マスタｅＮＢがＭＭＥから緊急情報を受信した場合に、マスタｅＮＢがセカンダリｅＮＢに対して送受信を停止するメッセージを通知する。セカンダリｅＮＢが、マスタｅＮＢから送受信を停止するメッセージを受信した場合。
【０７２４】
（３）ＭＭＥは、緊急情報をマクロｅＮＢに通知した場合に、セカンダリｅＮＢに対して送受信を停止するメッセージを通知する。セカンダリｅＮＢが、マスタｅＮＢから送受信を停止するメッセージを受信した場合。
【０７２５】
セカンダリｅＮＢが送受信を再開する契機として、以下の（１）〜（４）の４つを開示する。
【０７２６】
（１）ＭＭＥに、あるいは、マスタｅＮＢに緊急情報通知終了メッセージを送信した場合。
【０７２７】
（２）マスタｅＮＢがＭＭＥに緊急情報通知終了メッセージを送信した場合に、マスタｅＮＢがセカンダリｅＮＢに対して送受信を再開するメッセージを通知する。セカンダリｅＮＢが、マスタｅＮＢから送受信を再開するメッセージを受信した場合。
【０７２８】
（３）ＭＭＥは、緊急情報通知終了メッセージをマクロｅＮＢから受信した場合に、セカンダリｅＮＢに対して送受信を再開するメッセージを通知する。セカンダリｅＮＢが、ＭＭＥから送受信を再開するメッセージを受信した場合。
【０７２９】
（４）セカンダリｅＮＢが、ＭＭＥあるいはマスタｅＮＢから送受信を停止するメッセージを受信した後、所定の期間を経過した後。
【０７３０】
図３７は、実施の形態３の変形例１における通信システムのシーケンスの一例を示す図である。図３７は、前述の図３４と類似しているので、図３４に対応するステップについては、同一のステップ番号を付して、共通する説明を省略する。
【０７３１】
ステップＳＴ５６０６でＭＭＥから緊急情報を受信したマスタｅＮＢは、ステップＳＴ５９０１において、傘下のデュアルコネクティビティを行っているＵＥに対して、デュアルコネクティビティを解除する処理、具体的には第２のセル（Secondary eNB）の再構成を削除（remove（リムーブ））する処理（Secondary eNB reconfiguration (remove) Procedure）を行う。
【０７３２】
例えば、マスタｅＮＢは、デュアルコネクティビティを行っているセルに対して、該ＵＥに対するデュアルコネクティビティ処理の解除を通知する。また、この通知を行うとともに、該セルに対する、該ＵＥに送信すべきデータの転送を中止する。デュアルコネクティビティ処理の解除を通知されたセルは、該ＵＥとの接続終了の処理を行い、該ＵＥへの送信を終了する。
【０７３３】
他方、マスタｅＮＢは、該ＵＥに対して、デュアルコネクティビティを行うセルのリムーブ（remove）を通知する。このリムーブは、ＲＲＣ接続再設定（RRC connection reconfiguration）メッセージで行われてもよい。リムーブを通知されたＵＥは、デュアルコネクティビティを行うセルの送受信を終了する。このようにすることによって、セカンダリｅＮＢは、デュアルコネクティビティを終了するので、デュアルコネクティビティを行っていたＵＥは、マスタｅＮＢが構成するセルのみと接続することになる。
【０７３４】
セカンダリｅＮＢのデュアルコネクティビティ処理の解除を行った後、ステップＳＴ５９０２において、マスタｅＮＢは、セカンダリｅＮＢに対して、送受信動作の停止を要求する。ステップＳＴ５９０３において、セカンダリｅＮＢは、送受信動作の停止を行う。このようにすることによって、セカンダリｅＮＢからの送受信は行われなくなるので、マスタｅＮＢへの干渉を無くすことが可能となる。
【０７３５】
マスタｅＮＢは、緊急情報を所定の期間、所定の周期で報知した後、ステップＳＴ５６１１において、ＭＭＥに緊急情報通知終了メッセージを通知し、ステップＳＴ５９０４において、セカンダリｅＮＢに対して、送受信動作の開始を要求する。送受信動作の開始要求を受信したセカンダリｅＮＢは、ステップＳＴ５９０５において、送受信を開始する。
【０７３６】
その後、ステップＳＴ５９０６において、マスタｅＮＢは、必要に応じて、セカンダリｅＮＢが構成するセルを用いて、傘下のＵＥに対してデュアルコネクティビティを行う。例えば、マスタｅＮＢは、デュアルコネクティビティを行うセルに対して、所望のＵＥに対するデュアルコネクティビティ追加処理を通知する。また、マスタｅＮＢは、デュアルコネクティビティ追加処理の通知後、デュアルコネクティビティを行うセルへの該ＵＥへのデータの転送を開始する。デュアルコネクティビティ追加処理を通知されたセルは、該ＵＥとの接続開始の処理を行い、該ＵＥへの送信を開始する。
【０７３７】
他方、マスタｅＮＢは、該ＵＥに対して、デュアルコネクティビティを行うセルの追加を通知する。デュアルコネクティビティを行うセルの追加は、ＲＲＣ接続再設定（RRC connection reconfiguration）メッセージで行われてもよい。追加を通知されたＵＥは、デュアルコネクティビティを行うセルの送受信を開始する。このようにすることによって、セカンダリｅＮＢは、所望のＵＥに対して、デュアルコネクティビティを再開することが可能となる。
【０７３８】
このようにすることによって、マスタｅＮＢが構成するセルの傘下のＵＥが、該セルから緊急情報を受信するとき、デュアルコネクティビティが行われるセカンダリｅＮＢが構成するセルからの干渉を無くすことができる。したがって、該セルからの受信品質を劣化させることなく、緊急情報を受信することができる。
【０７３９】
また、デュアルコネクティビティが行われているＵＥに対して、一旦、セカンダリｅＮＢのデュアルコネクティビティ処理を解除するので、セカンダリｅＮＢの送受信動作を停止している間に、ＵＥとの間でパケットロスなどが発生することを防ぐことが可能となる。
【０７４０】
図３８は、実施の形態３の変形例１における通信システムのシーケンスの他の例を示す図である。図３８は、前述の図３４と類似しているので、図３４に対応するステップについては、同一のステップ番号を付して、共通する説明を省略する。
【０７４１】
ステップＳＴ５６０６でＭＭＥから緊急情報を受信したマスタｅＮＢは、ステップＳＴ６００１において、デュアルコネクティビティを行っているセカンダリｅＮＢに対して、送信動作の停止を要求する。ステップＳＴ６００２において、セカンダリｅＮＢは、送信動作の停止を行う。このようにすることによって、セカンダリｅＮＢからの送信は行われなくなるので、マスタｅＮＢへの干渉を無くすことが可能となる。
【０７４２】
また、ステップＳＴ６００２で送信動作を停止したセカンダリｅＮＢは、停止期間のタイマを開始する。停止期間の値は、予め静的に決められていてもよいし、マスタｅＮＢが通知してもよい。マスタｅＮＢが緊急情報を通知する所定の期間を考慮して、停止期間の値を設定して、セカンダリｅＮＢに通知してもよい。
【０７４３】
ステップＳＴ６００３において、セカンダリｅＮＢは、停止期間のタイマが終了したか否かを判断する。ステップＳＴ６００３において、停止期間のタイマが終了したと判断された場合は、ステップＳＴ６００４に移行し、停止期間のタイマが終了していないと判断された場合は、停止期間のタイマが終了するまで待機する。ステップＳＴ６００３で停止期間のタイマが終了したと判断したセカンダリｅＮＢは、ステップＳＴ６００４において、送信動作を再開する。このようにすることによって、セカンダリｅＮＢは、所望のＵＥに対して、デュアルコネクティビティを再開することが可能となる。
【０７４４】
このようにすることによって、マスタｅＮＢが構成するセルの傘下のＵＥが、該セルから緊急情報を受信するとき、デュアルコネクティビティが行われるセカンダリｅＮＢが構成するセルからの干渉を無くすことができる。したがって、該セルからの受信品質を劣化させることなく、緊急情報を受信することができる。
【０７４５】
また、前述の図３７に示すシーケンスと比べて、デュアルコネクティビティが行われているＵＥに対して、一旦セカンダリｅＮＢのデュアルコネクティビティ解除の処理を行わないので、マスタｅＮＢは、可及的速やかに緊急情報を傘下のＵＥに通知することが可能となる。これによって、ＵＥは、可及的速やかに緊急情報を受信することが可能となる。
【０７４６】
実施の形態４．
実施の形態２で述べたように、多数のスモールセルが設置される場合の運用方法として、デュアルコネクティビティが検討されている。
【０７４７】
他方、３ＧＰＰでは、セルの負荷が増大したときなど、アクセス制限を行う機能が規格化されている。アクセス制限を行う情報は、ＡＣＢ（Acess Class Barring）情報、ＥＡＢ（Extended Access Barring）情報である。ＵＥは、アクセスクラスが設定される。アクセスクラスは、ＳＩＭなどに保存される。セルは、アクセス制限に関する情報をシステム情報として、傘下のＵＥに報知する。ＵＥは、受信したアクセス制限情報に従って、セルへのアクセス制限を行う。
【０７４８】
実施の形態４で解決する課題について、以下に説明する。デュアルコネクティビティを行う既存の方法として、マクロセルとそれに接続されるＲＲＨを用いたＣＡがある。そのようなＣＡでは、マクロセルとＲＲＨは同一のｅＮＢ内で構成され、各ノードのスケジューリングは集中して行われる。また、ノード間は、遅延を無視できる理想的バックホールで構成される。このようなＣＡの場合、ｅＮＢが各ノードの負荷を調整できるので、各ノードのアクセス制限は同じでよい。このような場合、ＵＥは、キャンプオン（camp on）したセルのアクセス制限のみを認識していればよい。
【０７４９】
他方、異なるｅＮＢの無線リソースを使用するデュアルコネクティビティの場合、ｅＮＢ間の遅延は無視できず、非理想的バックホールで構成されるので、各ｅＮＢのスケジューリングは集中して行うことができなくなる。通常、各ｅＮＢにおける負荷状態は異なるので、各ｅＮＢで同一のアクセス制限とした場合、無線リソースの使用効率が低下してしまうという問題がある。本実施の形態は、この問題を解決することを目的とする。
【０７５０】
デュアルコネクティビティを行うＵＥに対して、マスタｅＮＢが構成するセルは、自セルと同じＡＣＢ／ＥＡＢ情報を有するセルを、デュアルコネクティビティ用のセルとして設定する。
【０７５１】
図３９は、実施の形態４における通信システムのシーケンスの一例を示す図である。図３９は、前述の図３４と類似しているので、図３４に対応するステップについては、同一のステップ番号を付して、共通する説明を省略する。
【０７５２】
ステップＳＴ５６０１〜ステップＳＴ５６０３でＲＲＣ接続状態に移行したＵＥは、ステップＳＴ５６０４において、マスタｅＮＢが構成するセルとの間で、他のセルとデュアルコネクティビティを構成する処理として、セカンダリｅＮＢ構成処理（Secondary eNB Configuration Procedure）が行われる。該セルを構成するｅＮＢは、該ＵＥのセカンダリｅＮＢとなる。
【０７５３】
ステップＳＴ５６０４の処理が行われる前に、マスタｅＮＢが構成するセルは、予め自セルと同じＡＣＢ／ＥＡＢ情報を有するｅＮＢ（セル）を認識する必要がある。したがって、マスタｅＮＢが構成するセルは、デュアルコネクティビティの可能なｅＮＢが構成するセルのＡＣＢ／ＥＡＢ情報を予め取得する。
【０７５４】
ステップＳＴ６１０１において、マスタｅＮＢは、デュアルコネクティビティが可能なｅＮＢに対して、セルのＡＣＢおよびＥＡＢの少なくとも一方の設定状況を要求するメッセージを通知する。このメッセージのために、新たなインタフェースを設けてもよい。あるいは、Ｘ２インタフェースを用いてもよい。例えば、リソース状態要求（resource status request）メッセージを用いてもよい。この場合、新たなインタフェースを設ける必要が無くなるので、制御を簡略化することができる。また、他の方法として、Ｓ１インタフェースを用いてもよい。マスタｅＮＢから、ＭＭＥを介して、デュアルコネクティビティが可能なｅＮＢに通知するとよい。
【０７５５】
ステップＳＴ６１０１でＡＣＢ／ＥＡＢ設定状況の要求を受信したセカンダリｅＮＢは、ステップＳＴ６１０２において、セルのＡＣＢおよびＥＡＢの少なくとも一方の設定情報をマスタｅＮＢに通知する。これによって、マスタｅＮＢは、デュアルコネクティビティの可能なｅＮＢが構成するセルのＡＣＢおよびＥＡＢの少なくとも一方の設定状況を取得することができる。
【０７５６】
このメッセージのために、新たなインタフェースを設けてもよい。あるいは、Ｘ２インタフェースを用いてもよい。例えば、リソース状態応答（resource status response）メッセージを用いてもよい。この場合、新たなインタフェースを設ける必要が無くなるので、制御を簡略化することができる。また、他の方法として、Ｓ１インタフェースを用いてもよい。セカンダリｅＮＢは、ＭＭＥを介してマスタｅＮＢに通知するとよい。
【０７５７】
ステップＳＴ６１０３において、マスタｅＮＢは、自ｅＮＢが構成するセルと同じＡＣＢ／ＥＡＢのｅＮＢ、具体的には、このｅＮＢが構成するセルを選択する。
【０７５８】
このセルを、ステップＳＴ５６０４における、デュアルコネクティビティを行うＵＥに対するセカンダリｅＮＢ構成処理（Secondary eNB Configuration Procedure）に用いる。
【０７５９】
このようにすることによって、ＵＥは、マスタｅＮＢが構成するセルのＡＣＢ／ＥＡＢ情報だけを認識しておけばよく、セカンダリｅＮＢが構成するセルのＡＣＢ／ＥＡＢ情報を認識しなくてもよい。マスタｅＮＢが構成するセルも、セカンダリｅＮＢが構成するセルのＡＣＢ／ＥＡＢ情報をＵＥに対して通知しなくてもよい。
【０７６０】
前述の方法では、各ｅＮＢにおいて異なる負荷状態を考慮することができるが、各ｅＮＢにおける負荷状態の時間的変動を考慮することができない。したがって、各ｅＮＢの負荷状態の変動によって、ＡＣＢ／ＥＡＢ設定が変更された場合を考慮した仕組みを設ける。
【０７６１】
ステップＳＴ６１０４において、デュアルコネクティビティの可能なｅＮＢが構成するセルのＡＣＢ／ＥＡＢ設定が変更された場合、セカンダリｅＮＢは、ステップＳＴ６１０５において、マスタｅＮＢ（が構成するセル）に対して、変更後のＡＣＢ／ＥＡＢ設定情報を通知する。
【０７６２】
このメッセージのために、新たなインタフェースを設けてもよい。あるいは、Ｘ２インタフェースを用いてもよい。例えば、リソース状態アップデート（resource status update）メッセージ、あるいはｅＮＢ設定アップデート（eNB configuration update）メッセージでもよい。この場合、新たなインタフェースを設ける必要が無くなるので、制御を簡略化することができる。また、他の方法として、Ｓ１インタフェースを用いてもよい。セカンダリｅＮＢは、ＭＭＥを介して、マスタｅＮＢに通知するとよい。
【０７６３】
このようにすることによって、仮に、デュアルコネクティビティが可能なｅＮＢのＡＣＢ／ＥＡＢ設定が変更されたとしても、マスタｅＮＢは、その変更後のＡＣＢ／ＥＡＢ設定情報を得ることが可能となる。
【０７６４】
ステップＳＴ６１０６において、マスタｅＮＢは、自ｅＮＢが構成するセルと同じＡＣＢ／ＥＡＢのｅＮＢ（が構成するセル）を選択する。そして、ステップＳＴ６１０７において、デュアルコネクティビティを行うＵＥに対して、セカンダリｅＮＢの変更処理（Secondary eNB reconfiguration (remove,add) Procedure）を行う。マスタｅＮＢは、デュアルコネクティビティを行うＵＥに対して、マスタｅＮＢが構成するセルと異なるＡＣＢ／ＥＡＢのｅＮＢ（が構成するセル）をリムーブし、マスタｅＮＢが構成するセルと同じＡＣＢ／ＥＡＢのｅＮＢ（が構成するセル）を加えるように構成する。
【０７６５】
このようにすることによって、仮に、デュアルコネクティビティが可能なｅＮＢのＡＣＢ／ＥＡＢ設定が変更されたとしても、マスタｅＮＢは、その変更後のＡＣＢ／ＥＡＢ設定情報を考慮して、デュアルコネクティビティを行うＵＥに対して、適切なｅＮＢをデュアルコネクティビティ用のｅＮＢ（が構成するセル）として構成することができる。
【０７６６】
したがって、各ｅＮＢにおける負荷状態が時間的に変動する場合でも、無線リソースの使用効率の低下を抑制しつつ、デュアルコネクティビティを行うことが可能となる。
【０７６７】
前述の方法では、ステップＳＴ６１０４において、セカンダリｅＮＢがＡＣＢ／ＥＡＢ設定を変更した後に、ステップＳＴ６１０５において、マスタｅＮＢに対して変更後のＡＣＢ／ＥＡＢ設定状況を通知する。
【０７６８】
この場合、セカンダリｅＮＢのＡＣＢ／ＥＡＢの変更後も、ステップＳＴ６１０７でＵＥとデュアルコネクティビティを行うセカンダリｅＮＢの変更処理が行われるまでは、例えＵＥのＡＣおよびＥＡＢの条件設定が、セカンダリｅＮＢの変更後のＡＣＢ／ＥＡＢ設定と異なっていたとしても、ＵＥはセカンダリｅＮＢと接続したままになってしまう。ステップＳＴ６１０５およびステップＳＴ６１０６の処理遅延が大きい場合、ＵＥの設定とセカンダリｅＮＢの設定とで不整合が生じる状態が長く続いてしまう。
【０７６９】
このような状態を低減するために、セカンダリｅＮＢは、ステップＳＴ６１０４では、ＡＣＢ／ＥＡＢ設定を変更する代わりに、ＡＣＢ／ＥＡＢ設定の変更を決定するだけにとどめ、ＡＣＢ／ＥＡＢ設定の変更を決定した場合に、ステップＳＴ６１０５において、決定したＡＣＢ／ＥＡＢ設定をマスタｅＮＢに通知するようにしてもよい。
【０７７０】
セカンダリｅＮＢは、ＡＣＢ／ＥＡＢ設定の変更を決定した後、所定の期間経過後にＡＣＢ／ＥＡＢ設定を変更する。前記所定の期間は、静的に予め決定されていてもよいし、準静的に変更されてもよい。前記所定の期間が静的に決定される場合は、システムとして制御を簡単化することができる。前記所定の期間が準静的に変更される場合は、セカンダリｅＮＢとマスタｅＮＢとの間のインタフェースの混雑状況、およびマスタｅＮＢにおける制御遅延の時間変動を考慮することが可能となる。
【０７７１】
また、前記所定の期間は、セル毎に異なっていてもよいし、全てのセルで同一の値であってもよい。前記所定の期間がセル毎に異なる場合、各セルにおける制御遅延を考慮することが可能となる。前記所定の期間が全てのセルで同一の値である場合は、システムとして制御を簡略化することができる。
【０７７２】
前記所定の期間経過後に、ＡＣＢ／ＥＡＢ設定を変更することによって、ＡＣＢ／ＥＡＢ設定の変更から、ステップＳＴ６１０７の処理までの時間を低減することが可能となる。あるいは、ステップＳＴ６１０７の処理後に、ＡＣＢ／ＥＡＢ設定変更が行われるようにすることも可能となる。
【０７７３】
このようにすることによって、ＵＥのＡＣおよびＥＡＢの条件設定とセカンダリｅＮＢのＡＣＢ／ＥＡＢ設定とで不整合が生じる状態を低減することが可能となる。
【０７７４】
本実施の形態で開示した方法によって、各ｅＮＢにおける負荷状態が異なり、時間的に変動する場合でも、無線リソースの使用効率の低下を抑制しつつ、デュアルコネクティビティを行うことが可能となる。したがって、システムの容量の増大を図ることができる。
【０７７５】
また、負荷状態が過大になり、サーバがダウンしてしまうような状況を回避することが可能となるので、安定した通信システムを構築することができる。
【０７７６】
実施の形態４  変形例１．
実施の形態４で示した課題を解決する他の方法を開示する。マスタｅＮＢが構成するセルは、デュアルコネクティビティを行うＵＥに対して、該ＵＥがアクセス可能なセルを、デュアルコネクティビティ用セルとして設定する。
【０７７７】
図４０は、実施の形態４の変形例１における通信システムのシーケンスの一例を示す図である。図４０は、前述の図３４および図３９と類似しているので、図３４および図３９に対応するステップについては、同一のステップ番号を付して、共通する説明を省略する。
【０７７８】
ステップＳＴ５６０１〜ステップＳＴ５６０３でＲＲＣ接続状態に移行したＵＥは、ステップＳＴ５６０４において、マスタｅＮＢが構成するセルとの間で、他のセルとデュアルコネクティビティを構成する処理として、セカンダリｅＮＢ構成処理（Secondary eNB Configuration Procedure）が行われる。該他のセルを構成するｅＮＢは、該ＵＥのセカンダリｅＮＢとなる。
【０７７９】
ステップＳＴ５６０４の処理が行われる前に、マスタｅＮＢが構成するセルは、デュアルコネクティビティを行うＵＥがアクセス可能なセルを認識する必要がある。したがって、マスタｅＮＢが構成するセルは、デュアルコネクティビティの可能なｅＮＢが構成するセルのＡＣＢ／ＥＡＢ情報を予め取得するとともに、ＵＥのＡＣ設定情報を取得する。
【０７８０】
ステップＳＴ６２０１において、マスタｅＮＢは、デュアルコネクティビティを行うＵＥに対して、ＡＣ設定情報を要求するメッセージを通知する。ＡＣ設定情報を要求するメッセージの通知には、ＲＲＣシグナリングを用いるとよい。また、個別シグナリングを用いて通知するとよい。例えば、既存のＵＥ能力照会（UE Capability Enquiry）メッセージを用いてもよい。
【０７８１】
ステップＳＴ６２０１でＡＣ設定情報の要求を受信したＵＥは、ステップＳＴ６２０２において、自ＵＥのＡＣ設定情報を、マスタｅＮＢ（が構成するセル）に通知する。ＡＣ設定情報の通知には、ＲＲＣシグナリングを用いるとよい。また、個別シグナリングを用いて通知するとよい。例えば、既存のＵＥ能力情報（UE Capability Information）メッセージを用いてもよい。これによって、マスタｅＮＢは、デュアルコネクティビティを行うＵＥのＡＣ設定情報を取得することができる。
【０７８２】
ステップＳＴ６２０１におけるＡＣ設定状況要求の処理を省略してもよい。その場合、ＵＥは、マスタｅＮＢが構成するセルとのＲＲＣ接続設立時に、ステップＳＴ６２０２におけるＡＣ設定情報を、マスタｅＮＢが構成するセルに通知するようにしてもよい。
【０７８３】
ステップＳＴ６２０３において、マスタｅＮＢは、ステップＳＴ６２０２で取得したデュアルコネクティビティを行うＵＥのＡＣ設定情報と、ステップＳＴ６１０２で取得したデュアルコネクティビティが可能なｅＮＢのＡＣＢ／ＥＡＢ設定情報を用いて、ＵＥがアクセス可能なＡＣＢ／ＥＡＢ設定のｅＮＢ（が構成するセル）を選択する。
【０７８４】
このセルを、ステップＳＴ５６０４における、デュアルコネクティビティを行うＵＥに対するセカンダリｅＮＢ構成処理（Secondary eNB Configuration Procedure）に用いる。
【０７８５】
このようにすることによって、ＵＥは、マスタｅＮＢが構成するセルのＡＣＢ／ＥＡＢ情報だけを認識しておけばよく、セカンダリｅＮＢが構成するセルのＡＣＢ／ＥＡＢ情報を認識しなくてもよい。マスタｅＮＢが構成するセルも、セカンダリｅＮＢが構成するセルのＡＣＢ／ＥＡＢ情報をＵＥに対して通知しなくてもよい。
【０７８６】
各ｅＮＢにおける負荷状態の時間的変動を考慮するために、実施の形態４で開示した各ｅＮＢの負荷状態の変動によってＡＣＢ／ＥＡＢ設定が変更された場合を考慮した仕組みを設けるとよい。ステップＳＴ６１０４およびステップＳＴ６１０５において、マスタｅＮＢは、ＡＣＢ／ＥＡＢ設定が変更されたデュアルコネクティビティが可能なｅＮＢのＡＣＢ／ＥＡＢ設定情報を取得する。
【０７８７】
ステップＳＴ６２０４において、ステップＳＴ６２０２で取得したデュアルコネクティビティを行うＵＥのＡＣ設定情報、ステップＳＴ６１０２で取得したデュアルコネクティビティが可能なｅＮＢのＡＣＢ／ＥＡＢ設定情報、ステップＳＴ６１０５で取得したＡＣＢ／ＥＡＢ設定が変更されたデュアルコネクティビティが可能なｅＮＢのＡＣＢ／ＥＡＢ設定情報を用いて、ＵＥがアクセス可能なＡＣＢ／ＥＡＢ設定のｅＮＢ（が構成するセル）を選択する。
【０７８８】
そして、ステップＳＴ６１０７において、デュアルコネクティビティを行うＵＥに対して、セカンダリｅＮＢの変更処理を行う。マスタｅＮＢは、デュアルコネクティビティを行うＵＥに対して、マスタｅＮＢが構成するセルと異なるＡＣＢ／ＥＡＢのｅＮＢ（が構成するセル）をリムーブし、マスタｅＮＢが構成するセルと同じＡＣＢ／ＥＡＢのｅＮＢ（が構成するセル）を加えるように構成する。
【０７８９】
このようにすることによって、仮に、デュアルコネクティビティが可能なｅＮＢのＡＣＢ／ＥＡＢ設定が変更されたとしても、マスタｅＮＢは、その変更後のＡＣＢ／ＥＡＢ設定情報を考慮して、デュアルコネクティビティを行うＵＥに対して、適切なｅＮＢをデュアルコネクティビティ用のｅＮＢ（が構成するセル）として構成することができる。
【０７９０】
したがって、各ｅＮＢにおける負荷状態が時間的に変動する場合でも、無線リソースの使用効率の低下を抑制しつつ、デュアルコネクティビティを行うことが可能となる。
【０７９１】
本変形例で開示した方法によって、実施の形態４と同様の効果を得ることができるとともに、マスタｅＮＢは、デュアルコネクティビティを行うＵＥのＡＣ設定を認識することが可能となる。これによって、より多くのｅＮＢをデュアルコネクティビティ用のセカンダリｅＮＢ候補とすることが可能となる。したがって、デュアルコネクティビティを行うＵＥによって最適な通信品質を有するセルで、デュアルコネクティビティを行うことが可能となる。
【０７９２】
実施の形態４  変形例２．
実施の形態４で示した課題を解決する他の方法を開示する。マスタｅＮＢがデュアルコネクティビティ用セルを構成するときに、デュアルコネクティビティを行うＵＥに対して、デュアルコネクティビティ用セルのＡＣＢ／ＥＡＢ情報を通知する。
【０７９３】
図４１は、実施の形態４の変形例２における通信システムのシーケンスの一例を示す図である。図４１は、前述の図３４および図３９と類似しているので、図３４および図３９に対応するステップについては、同一のステップ番号を付して、共通する説明を省略する。
【０７９４】
ステップＳＴ５６０１〜ステップＳＴ５６０３において、ＵＥは、ＲＲＣ接続状態に移行する。
【０７９５】
マスタｅＮＢは、デュアルコネクティビティ用セルを構成するときに、該セルのＡＣＢ／ＥＡＢ情報を通知するために、それに先立ち、マスタｅＮＢが構成するセルは、デュアルコネクティビティの可能なｅＮＢが構成するセルのＡＣＢ／ＥＡＢ情報を予め取得する。
【０７９６】
したがって、ステップＳＴ６１０１において、マスタｅＮＢは、デュアルコネクティビティが可能なｅＮＢに対して、セルのＡＣＢおよびＥＡＢの少なくとも一方の設定状況を要求するメッセージを通知する。
【０７９７】
ステップＳＴ６１０１でＡＣＢ／ＥＡＢ設定状況の要求を受信したデュアルコネクティビティが可能なｅＮＢは、ステップＳＴ６１０２において、セルのＡＣＢおよびＥＡＢの少なくとも一方の設定情報をマスタｅＮＢに通知する。これによって、マスタｅＮＢは、デュアルコネクティビティが可能なｅＮＢが構成するセルのＡＣＢおよびＥＡＢの少なくとも一方の設定状況を取得することができる。
【０７９８】
マスタｅＮＢが構成するセルは、ステップＳＴ６３０１におけるＵＥからのメジャメント報告（Measurement report）メッセージを用いて、ステップＳＴ６３０２において、デュアルコネクティビティを行うセルを選択する。
【０７９９】
ステップＳＴ６３０３において、マスタｅＮＢが構成するセルは、デュアルコネクティビティを行うＵＥに対して、デュアルコネクティビティを行うセルの構成を通知する。デュアルコネクティビティを行うセルの構成に含める情報としては、該セルの識別子、該セルを構成するｅＮＢ識別子、該セルのＡＣＢ／ＥＡＢ設定情報などある。
【０８００】
ステップＳＴ６３０３で、デュアルコネクティビティを行うセルの構成を受信し、該セルのＡＣＢ／ＥＡＢ情報を受信したＵＥは、ステップＳＴ６３０４において、該セルにアクセス可能か否かを判断する。ステップＳＴ６３０４において、アクセス可能でないと判断された場合は、ステップＳＴ６３０５に移行する。ステップＳＴ６３０５において、ＵＥは、該セルにアクセス不可能であることを、マスタｅＮＢが構成するセルに通知して、通常のＲＲＣ＿ＣＯＮＮＥＣＴＥＤ状態に戻る。再度メジャメントを行ってもよい。
【０８０１】
他方、ステップＳＴ６３０４において、アクセス可能と判断された場合は、ステップＳＴ６３０６に移行する。ステップＳＴ６３０６において、該セルにアクセス可能であることを、マスタｅＮＢが構成するセルに通知する。
【０８０２】
ステップＳＴ６３０７において、マスタｅＮＢ（が構成するセル）は、デュアルコネクティビティを行うＵＥが、デュアルコネクティビティ用に設定したセルにアクセス可能であるか否かを判断する。ステップＳＴ６３０７において、アクセス不可能と判断された場合は、ステップＳＴ６３０２に戻り、再度デュアルコネクティビティを行うセルを選択する処理を実行する。再度、ステップＳＴ６３０１でＵＥからのメジャメント報告を受けた場合に、ステップＳＴ６３０２におけるデュアルコネクティビティを行うセル選択を実行するようにしてもよい。
【０８０３】
ステップＳＴ６３０７において、アクセス可能と判断された場合は、ステップＳＴ６３０８に移行する。ステップＳＴ６３０８において、マスタｅＮＢが構成するセルは、デュアルコネクティビティ用のｅＮＢに対して、データ転送を開始する。
【０８０４】
ステップＳＴ６３０６で、デュアルコネクティビティ用に設定されたセルにアクセス可能であることをマスタｅＮＢに通知したＵＥは、ステップＳＴ６３０９において、該セルに対して、検出および同期処理を行い、ステップＳＴ６３１０において、データ通信を開始する。
【０８０５】
このようにすることによって、デュアルコネクティビティを行うＵＥは、セカンダリｅＮＢが構成するセルのＡＣＢ／ＥＡＢ情報を認識することが可能となる。ＵＥは、マスタｅＮＢが構成するセルとは別に、セカンダリｅＮＢが構成するセルにアクセス可能か否かを判断することが可能となる。
【０８０６】
したがって、各ｅＮＢにおける負荷状態が異なる場合でも、無線リソースの使用効率の低下を抑制しつつ、デュアルコネクティビティを行うことが可能となり、システムの容量の増大を図ることができる。
【０８０７】
また、負荷状態が過大になり、サーバがダウンしてしまうような状況を回避することが可能となるので、安定した通信システムを構築することができる。
【０８０８】
各ｅＮＢにおける負荷状態の時間的変動を考慮するので、実施の形態４で開示した各ｅＮＢの負荷状態の変動によってＡＣＢ／ＥＡＢ設定が変更された場合を考慮した仕組みを設けるとよい。図４１に示すシーケンスの処理を行った後、前述の図３９のステップＳＴ６１０４およびステップＳＴ６１０５の処理を行い、その結果を用いて、再度ステップＳＴ６３０２あるいはステップＳＴ６３０３からの処理を行うようにしてもよい。
【０８０９】
これによって、各ｅＮＢにおける負荷状態が時間的に変動する場合でも、無線リソースの使用効率の低下を抑制しつつ、デュアルコネクティビティを行うことが可能となる。
【０８１０】
実施の形態４および実施の形態４の変形例２で開示した方法は、セルのバード（barred）情報にも適用することができる。セルのＡＣＢ／ＥＡＢ設定情報を、セルのバード情報に置き換えればよい。実施の形態４の変形例２では、図４１のステップＳＴ６３０３において、デュアルコネクティビティ用のセルの構成情報としてセルのバード情報を含ませて、ＵＥに通知するとよい。ＵＥは、ステップＳＴ６３０４において、該バード情報を用いて、アクセス可能か否かを判断する。
【０８１１】
これによって、各ｅＮＢにおけるバード情報が異なる場合でも、無線リソースの使用効率の低下を抑制しつつ、デュアルコネクティビティを行うことが可能となる。したがって、システムの容量の増大を図ることができる。
【０８１２】
実施の形態５．
実施の形態５で解決する課題について、以下に説明する。スモールセルを集合化（グループ化）して取り扱う場合、何の工夫もなければ、同じ集合に含まれるスモールセルであっても、スモールセルのパラメータは個々で異なる。スモールセルは、カバレッジが狭いことから、数多く設置されることが考えられる。したがって、スモールセルの最適なパラメータの設定方法について開示する。
【０８１３】
実施の形態５における解決策を以下に示す。同じ集合に含まれるスモールセルでは、一部のパラメータを同じ値にする。すなわち、一部のパラメータを共通の値とする。同じ集合に含まれるスモールセルの一部のパラメータを同じ値にすることによって、効率が良い通信システムを構築できるからである。
【０８１４】
集合の具体例として、以下の（１），（２）の２つを開示する。
（１）スモールセルクラスタ。つまり、同じスモールセルクラスタに含まれるスモールセルでは、一部のパラメータを同じ値にする。
【０８１５】
（２）スモールセルが他のセルのカバレッジ内に設置された場合、同じ該他のセルのカバレッジ内に設置されたスモールセル。該他のセルを「カバレッジマクロセル」という。つまり、同じカバレッジマクロセルのカバレッジ内に設置されたスモールセルでは、一部のパラメータを同じ値にする。
【０８１６】
同じ値にするパラメータの具体例として、以下の（１）〜（１７）の１７個を開示する。
【０８１７】
（１）下り伝送帯域幅（dl-Bandwidth）。本パラメータは、ＭＩＢに含まれるパラメータである（非特許文献１０参照）。同じ集合に含まれるスモールセルにおいて、下り伝送帯域幅を同じ値にすることによって、以下の効果を得ることができる。
【０８１８】
スモールセルは、カバレッジが狭いことから数多く設置されることが考えられる。ＵＥが同じ場所から測定可能なセルの数を考えると、マクロセルの数と、スモールセルの数とを比較すれば、スモールセルの数が多くなることが考えられる。異なる下り伝送帯域幅のセルを測定する場合、ＵＥの受信設定に変更が必要な場合がある。例えば、アンテナによって受信された受信信号をベースバンド信号に変換する場合の周波数変換部の設定を、下り伝送帯域幅に応じて変更することなどが考えられる。
【０８１９】
本具体例（１）によって、同じ集合に含まれるスモールセルの下り伝送帯域幅（dl-Bandwidth）を同じ値にすることで、同じ集合に含まれるスモールセルの測定においては、ＵＥの受信設定を変更する必要がなく、一定とすることが可能となる。例えば、アンテナによって受信された受信信号をベースバンド信号に変換する場合の周波数変換部の設定を、下り伝送帯域幅に応じて変更する必要がなく、一定にすることが可能となる。これによって、ＵＥの処理負荷を軽減することができる。
【０８２０】
さらに、同じ集合に含まれるスモールセルの下りキャリア周波数が同じ周波数バンドに含まれるようにしてもよい。同じ集合に含まれるスモールセルの下りキャリア周波数を同じ値にしてもよい。これによって、以下の効果を得ることができる。異なる周波数バンドに含まれる下りキャリア周波数、あるいは異なる下りキャリア周波数のセルを測定する場合、ＵＥの受信設定に変更が必要な場合がある。例えば、アンテナによって受信された受信信号をベースバンド信号に変換する場合の周波数変換部の設定を、下りキャリア周波数が含まれる周波数バンドに応じて、あるいは下りキャリア周波数に応じて、変更することなどが考えられる。
【０８２１】
本具体例（１）によって、同じ集合に含まれるスモールセルの下りキャリア周波数が同じ周波数バンドに含まれるとする、あるいは下りキャリア周波数を同じ値にすることで、同じ集合に含まれるスモールセルの測定においては、ＵＥの受信設定を変更する必要がなく、一定とすることが可能となる。例えば、アンテナによって受信された受信信号をベースバンド信号に変換する場合の周波数変換部の設定を、下りキャリア周波数が含まれる周波数バンドに応じて、あるいは下りキャリア周波数に応じて、変更する必要がなく、一定にすることが可能となる。これによって、ＵＥの処理負荷を軽減することができる。
【０８２２】
（２）ＴＡＣ。本パラメータは、ＳＩＢ１に含まれるパラメータである（非特許文献１０参照）。同じ集合に含まれるスモールセルでＴＡＣを同じ値にすることによって、以下の効果を得ることができる。スモールセルは、カバレッジが狭いことから数多く設置されることが考えられる。このことからＵＥが、スモールセル間を頻繁に移動することが考えられる。異なるＴＡＣのスモールセル間をＵＥが移動する度に、ＴＡＵの処理が発生する。
【０８２３】
本具体例（２）によって、同じ集合に含まれるスモールセルのＴＡＣを同じ値にすることで、同じ集合に含まれるスモールセル間のＵＥの移動においては、ＴＡＵの処理が発生しないようにすることを可能にする。これによって、ＵＥの処理負荷を軽減することができる。また、ＴＡＵの処理が削減されるので、システム全体の処理負荷を軽減することができる。また、ＴＡＵのための無線信号が削減されるので、無線リソースを有効に活用することができる。
【０８２４】
（３）ＣＳＧアイデンティティ（csg identity）。本パラメータは、ＳＩＢ１に含まれるパラメータである（非特許文献１０参照）。同じ集合に含まれるスモールセルは、同じＣＳＧ（Closed Subscriber Group）に属するとしてもよい。同じ集合に含まれるスモールセルでＣＳＧアイデンティティを同じ値にすることによって、以下の効果を得ることができる。
【０８２５】
スモールセルは、カバレッジが狭いことから数多く設置されることが考えられる。このことからＵＥが、スモールセル間を頻繁に移動することが考えられる。異なるＣＳＧに属するスモールセル、異なるＣＳＧアイデンティティのスモールセルをＵＥが選択（cell re-selection）する度に、キャンプオン可能なＣＳＧセルであるか否か、適切なＣＳＧセル（suitable CSG cells）であるか否かを確認する必要がある（非特許文献２参照）。キャンプオン可能なＣＳＧセルの条件は、そのＣＳＧセルが属するＣＳＧに、ＵＥが属することが条件である。
【０８２６】
同じ集合に含まれるスモールセルでＣＳＧアイデンティティを同じ値にすることで、同じ集合に含まれるＣＳＧセルであるスモールセル間の移動においては、ＵＥは、キャンプオン可能なＣＳＧセルであるか否か、適切なＣＳＧセル（suitable CSG cells）であるか否かの確認を不要とすることが可能となる。これによって、ＵＥの処理負荷を軽減することができる。
【０８２７】
（４）上り伝送帯域幅（UL-Bandwidth）。本パラメータは、ＳＩＢ２に含まれるパラメータである（非特許文献１０参照）。同じ集合に含まれるスモールセルで上り伝送帯域幅を同じ値にすることによって、以下の効果を得ることができる。スモールセルは、カバレッジが狭いことから数多く設置されることが考えられる。このことからＵＥが、スモールセル間を頻繁に移動することが考えられる。異なる上り伝送帯域幅の送信に対応する場合、ＵＥの送信設定に変更が必要な場合がある。例えば、周波数変換部の設定を、上り伝送帯域幅に応じて変更することなどが考えられる。
【０８２８】
本具体例（４）によって、同じ集合に含まれるスモールセルの上り伝送帯域幅（UL-Bandwidth）を同じ値にすることで、同じ集合に含まれるスモールセルへの送信においては、ＵＥの送信設定を変更する必要がなく、一定とすることが可能となる。例えば、周波数変換部の設定を、上り伝送帯域幅に応じて変更する必要がなく、一定にすることが可能となる。これによって、ＵＥの処理負荷を軽減することができる。
【０８２９】
さらに、同じ集合に含まれるスモールセルの上りキャリア周波数が同じ周波数バンドに含まれるようにしてもよい。同じ集合に含まれるスモールセルの上りキャリア周波数を同じ値にしてもよい。これによって、以下の効果を得ることができる。
【０８３０】
異なる周波数バンドに含まれる上りキャリア周波数、あるいは異なる上りキャリア周波数のセルに送信する場合、ＵＥの送信設定に変更が必要な場合がある。例えば、周波数変換部の設定を、上りキャリア周波数が含まれる周波数バンドに応じて、あるいは上りキャリア周波数に応じて、変更することなどが考えられる。
【０８３１】
本具体例（４）によって、同じ集合に含まれるスモールセルの上りキャリア周波数が同じ周波数バンドに含まれるとする、あるいは上りキャリア周波数を同じ値にすることで、同じ集合に含まれるスモールセルへの送信においては、ＵＥの送信設定を変更する必要がなく、一定とすることが可能となる。例えば、周波数変換部の設定を、上りキャリア周波数が含まれる周波数バンドに応じて、あるいは上りキャリア周波数に応じて、変更する必要がなく、一定にすることが可能となる。これによって、ＵＥの処理負荷を軽減することができる。
【０８３２】
（５）ＳＩＢ４。同じ集合に含まれるスモールセルのＳＩＢ４を同じ値にする。つまり、同じ集合に含まれるスモールセルの同周波数セル再選択（intra-frequency cell re-selection）に用いる近隣セル関連情報を同じにする。ＳＩＢ４の送信（設定）が不要の場合は、同じ集合に含まれるスモールセルのＳＩＢ４の送信を不要とすればよい。同じ集合に含まれるスモールセルでＳＩＢ４を同じ値にすることによって、以下の効果を得ることができる。
【０８３３】
スモールセルは、カバレッジが狭いことから数多く設置されることが考えられる。このことからＵＥが、スモールセル間を頻繁に移動することが考えられる。スモールセル間をＵＥが移動する度に、同周波数セル再選択に用いる近隣セル関連情報の再設定処理が発生する。
【０８３４】
本具体例（５）によって、同じ集合に含まれるスモールセルのＳＩＢ４を同じ値にすることで、同じ集合に含まれるスモールセル間のＵＥの移動においては、同周波数セル再選択に用いる近隣セル関連情報の再設定処理を不要とすることを可能にする。これによって、ＵＥの処理負荷を軽減することができる。
【０８３５】
またＵＥは、同じ集合に含まれるスモールセルからＳＩＢ４を受信する必要がない。つまりＵＥは、同じ集合に含まれるスモールセルにセル再選択（ハンドオーバであってもよい）した場合、改めてＳＩＢ４を受信する必要がない。これによってＵＥは、ＳＩＢ４がスケジューリングされるタイミングであっても、受信処理をする必要がない。したがって、ＵＥの消費電力を低減することができる。
【０８３６】
ＳＩＢ４に含まれるパラメータの一部を同じ値にしてもよい。同じ値にするパラメータの具体例として、以下の（５−１）〜（５−４）の４つを開示する。ただし、ＳＩＢ４に含まれる他のパラメータを同じにすることを排除するものではない。
【０８３７】
（５−１）同周波数周辺セルリスト（intraFreqNeighCellList）。同じ集合に含まれるスモールセルにキャンプオンする場合の同周波数セル再選択に関する測定においては、同じ周辺セルリストを用いて測定することが可能となる。これによって、ＵＥの処理負荷を軽減することができる。従来の同周波数周辺セルリストとは異なり、リスト中にサービングセルの情報が含まれる。サービングセルの情報は、同周波数セル再選択に関する測定では用いないようにすればよい。
【０８３８】
（５−２）周辺セルのＰＣＩ。同じ集合に含まれるスモールセルにキャンプオンする場合の同周波数セル再選択に関する測定においては、同じＰＣＩを用いてセルを測定することが可能となる。これによって、ＵＥの処理負荷を軽減することができる。
【０８３９】
（５−３）同周波数ブラックリスト（intraFreqBlackCellList）。ブラックリストに含まれるセルは、セル再選択の候補にならない。同じ集合に含まれるスモールセルにキャンプオンする場合の同周波数セル再選択に関する測定においては、同じ条件を満たすセルをセル再選択の候補から除外することが可能となる。同じ条件の具体例としては、同周波数ブラックリストに含まれるＰＣＩレンジに含まれるセルなどがある。これによって、ＵＥの処理負荷を軽減することができる。
（５−４）前記（５−１）〜（５−３）の組合せ。
【０８４０】
（６）ＳＩＢ５。同じ集合に含まれるスモールセルのＳＩＢ５を同じ値にする。つまり、同じ集合に含まれるスモールセルの異周波数セル再選択（inter-frequency cell re-selection）に用いる近隣セル関連情報を同じにする。ＳＩＢ５の送信（設定）が不要の場合は、同じ集合に含まれるスモールセルのＳＩＢ５の送信を不要とすればよい。同じ集合に含まれるスモールセルのＳＩＢ５を同じ値にすることによって、以下の効果を得ることができる。
【０８４１】
スモールセルは、カバレッジが狭いことから数多く設置されることが考えられる。このことからＵＥが、スモールセル間を頻繁に移動することが考えられる。スモールセル間をＵＥが移動する度に、異周波数セル再選択に用いる近隣セル関連情報の再設定処理が発生する。
【０８４２】
本具体例（６）によって、同じ集合に含まれるスモールセルのＳＩＢ５を同じ値にすることで、同じ集合に含まれるスモールセル間のＵＥの移動においては、異周波数セル再選択に用いる近隣セル関連情報の再設定処理を不要とすることを可能にする。これによって、ＵＥの処理負荷を軽減することができる。
【０８４３】
またＵＥは、同じ集合に含まれるスモールセルからＳＩＢ５を受信する必要がない。つまりＵＥは、同じ集合に含まれるスモールセルにセル再選択（ハンドオーバであってもよい）した場合、改めてＳＩＢ５を受信する必要がない。これによってＵＥは、ＳＩＢ５がスケジューリングされるタイミングであっても、受信処理をする必要がない。したがって、ＵＥの消費電力を低減することができる。
【０８４４】
ＳＩＢ５に含まれるパラメータの一部を同じ値にしてもよい。同じ値にするパラメータの具体例として、以下の（６−１）〜（６−７）の７つを開示する。ただし、ＳＩＢ５に含まれる他のパラメータを同じにすることを排除するものではない。
【０８４５】
（６−１）異周波数キャリア周波数リスト（interFreqCarrierFreqList）。同じ集合に含まれるスモールセルにキャンプオンする場合の異周波数セル再選択に関する測定においては、同じ異周波数キャリア周波数リストを用いて測定することが可能となる。これによって、異周波数測定のための周波数設定などが不要となり、ＵＥの処理負荷を軽減することができる。
【０８４６】
（６−２）下りキャリア周波数（dl-CarrierFreq）。同じ集合に含まれるスモールセルにキャンプオンする場合の異周波数セル再選択に関する測定においては、同じ下りキャリア周波数を用いてセルを測定することが可能となる。これによって、異周波数測定のための周波数設定などが不要となり、ＵＥの処理負荷を軽減することができる。
【０８４７】
（６−３）異周波数周辺セルリスト（interFreqNeighCellList）。同じ集合に含まれるスモールセルにキャンプオンする場合の異周波数セル再選択に関する測定においては、同じ周辺セルリストを用いて測定することが可能となる。これによって、ＵＥの処理負荷を軽減することができる。
【０８４８】
（６−４）異周波数ブラックリスト（interFreqBlackCellList）。ブラックリストに含まれるセルは、セル再選択の候補にならない。同じ集合に含まれるスモールセルにキャンプオンする場合の異周波数セル再選択に関する測定においては、同じ条件を満たすセルをセル再選択の候補から除外することが可能となる。同じ条件の具体例としては、異周波数ブラックリストに含まれるＰＣＩレンジに含まれるセルなどがある。これによって、ＵＥの処理負荷を軽減することができる。
【０８４９】
（６−５）異周波数周辺セル情報（InterFreqNeighCellInfo）。同じ集合に含まれるスモールセルにキャンプオンする場合の異周波数セル再選択に関する測定においては、同じ周辺セル情報を用いて測定することが可能となる。これによって、ＵＥの処理負荷を軽減することができる。
【０８５０】
（６−６）周辺セルのＰＣＩ。同じ集合に含まれるスモールセルにキャンプオンする場合の異周波数セル再選択に関する測定においては、同じＰＣＩを用いてセルを測定することが可能となる。これによって、ＵＥの処理負荷を軽減することができる。
（６−７）前記（６−１）〜（６−６）の組合せ。
【０８５１】
（７）ＳＩＢ６。同じ集合に含まれるスモールセルのＳＩＢ６を同じ値にする。つまり、同じ集合に含まれるスモールセルの異システム（ＵＴＲＡ）セル再選択（inter-RAT cell re-selection）に用いる近隣セル関連情報を同じにする。ＳＩＢ６の送信（設定）が不要の場合は、同じ集合に含まれるスモールセルのＳＩＢ６の送信を不要とすればよい。同じ集合に含まれるスモールセルのＳＩＢ６を同じ値にすることによって、以下の効果を得ることができる。
【０８５２】
スモールセルは、カバレッジが狭いことから数多く設置されることが考えられる。このことからＵＥが、スモールセル間を頻繁に移動することが考えられる。スモールセル間をＵＥが移動する度に、異なる異システム（ＵＴＲＡ）セル再選択に用いる近隣セル関連情報の再設定処理が発生する。
【０８５３】
本具体例（７）によって、同じ集合に含まれるスモールセルのＳＩＢ６を同じ値にすることで、同じ集合に含まれるスモールセル間のＵＥの移動においては、異システム（ＵＴＲＡ）セル再選択に用いる近隣セル関連情報の再設定処理を不要とすることを可能にする。これによって、ＵＥの処理負荷を軽減することができる。
【０８５４】
またＵＥは、同じ集合に含まれるスモールセルからＳＩＢ６を受信する必要がない。つまりＵＥは、同じ集合に含まれるスモールセルにセル再選択（ハンドオーバであってもよい）した場合、改めてＳＩＢ６を受信する必要がない。これによってＵＥは、ＳＩＢ６がスケジューリングされるタイミングであっても、受信処理をする必要がない。したがって、ＵＥの消費電力を低減することができる。
【０８５５】
ＳＩＢ６に含まれるパラメータの一部を同じ値にしてもよい。同じ値にするパラメータの具体例として、以下の（７−１）〜（７−５）の５つを開示する。ただし、ＳＩＢ６に含まれる他のパラメータを同じにすることを排除するものではない。
【０８５６】
（７−１）ＵＴＲＡ（ＦＤＤ）キャリア周波数リスト（carrierFreqListUTRA-FDD）。同じ集合に含まれるスモールセルにキャンプオンする場合の異システム（ＵＴＲＡ）セル再選択に関する測定においては、同じＵＴＲＡ（ＦＤＤ）キャリア周波数リストを用いて測定することが可能となる。これによって、異システム（ＵＴＲＡ）測定のための周波数設定などが不要となり、ＵＥの処理負荷を軽減することができる。
【０８５７】
（７−２）ＵＴＲＡ（ＴＤＤ）キャリア周波数リスト（carrierFreqListUTRA-TDD）。同じ集合に含まれるスモールセルにキャンプオンする場合の異システム（ＵＴＲＡ）セル再選択に関する測定においては、同じＵＴＲＡ（ＴＤＤ）キャリア周波数リストを用いて測定することが可能となる。これによって、異システム（ＵＴＲＡ）測定のための周波数設定などが不要となり、ＵＥの処理負荷を軽減することができる。
【０８５８】
（７−３）キャリア周波数（carrierFreq）。同じ集合に含まれるスモールセルにキャンプオンする場合の異システム（ＵＴＲＡ）セル再選択に関する測定においては、同じキャリア周波数を用いてセルを測定することが可能となる。これによって、異システム（ＵＴＲＡ）測定のための周波数設定などが不要となり、ＵＥの処理負荷を軽減することができる。
【０８５９】
（７−４）ＵＴＲＡ（ＦＤＤ）周波数バンドインジケータ（FreqBandIndicator-UTRA-FDD）。同じ集合に含まれるスモールセルにキャンプオンする場合の異システム（ＵＴＲＡ）セル再選択に関する測定においては、同じＵＴＲＡ（ＦＤＤ）周波数バンドを用いて測定することが可能となる。これによって、異システム（ＵＴＲＡ）測定のための周波数設定などが不要となり、ＵＥの処理負荷を軽減することができる。
（７−５）前記（７−１）〜（７−４）の組合せ。
【０８６０】
（８）ＳＩＢ７。同じ集合に含まれるスモールセルのＳＩＢ７を同じ値にする。つまり、同じ集合に含まれるスモールセルの異システム（ＧＥＲＡＮ）セル再選択（inter-RAT cell re-selection）に用いる近隣セル関連情報を同じにする。ＳＩＢ７の送信（設定）が不要の場合は、同じ集合に含まれるスモールセルのＳＩＢ７の送信を不要とすればよい。同じ集合に含まれるスモールセルのＳＩＢ７を同じ値にすることによって、以下の効果を得ることができる。
【０８６１】
スモールセルは、カバレッジが狭いことから数多く設置されることが考えられる。このことからＵＥが、スモールセル間を頻繁に移動することが考えられる。スモールセル間をＵＥが移動する度に、異なる異システム（ＧＥＲＡＮ）セル再選択に用いる近隣セル関連情報の再設定処理が発生する。
【０８６２】
本具体例（８）によって、同じ集合に含まれるスモールセルのＳＩＢ７を同じ値にすることで、同じ集合に含まれるスモールセル間のＵＥの移動においては、異システム（ＧＥＲＡＮ）セル再選択に用いる近隣セル関連情報の再設定処理を不要とすることを可能にする。これによって、ＵＥの処理負荷を軽減することができる。
【０８６３】
またＵＥは、同じ集合に含まれるスモールセルからＳＩＢ７を受信する必要がない。つまりＵＥは、同じ集合に含まれるスモールセルにセル再選択（ハンドオーバであってもよい）した場合、改めてＳＩＢ７を受信する必要がない。これによってＵＥは、ＳＩＢ７がスケジューリングされるタイミングであっても、受信処理をする必要がない。したがって、ＵＥの消費電力を低減することができる。
【０８６４】
ＳＩＢ７に含まれるパラメータの一部を同じ値にしてもよい。同じ値にするパラメータの具体例として、以下の（８−１）〜（８−３）の３つを開示する。ただし、ＳＩＢ７に含まれる他のパラメータを同じにすることを排除するものではない。
【０８６５】
（８−１）キャリア周波数情報リスト（carrierFreqsInfoList）。同じ集合に含まれるスモールセルにキャンプオンする場合の異システム（ＧＥＲＡＮ）セル再選択に関する測定においては、同じキャリア周波数情報リストを用いて測定することが可能となる。これによって、異システム（ＧＥＲＡＮ）測定のための周波数設定などが不要となり、ＵＥの処理負荷を軽減することができる。
【０８６６】
（８−２）キャリア周波数（carrierFreq）。同じ集合に含まれるスモールセルにキャンプオンする場合の異システム（ＧＥＲＡＮ）セル再選択に関する測定においては、同じキャリア周波数を用いてセルを測定することが可能となる。これによって、異システム（ＧＥＲＡＮ）測定のための周波数設定などが不要となり、ＵＥの処理負荷を軽減することができる。
（８−３）前記（８−１），（８−２）の組合せ。
【０８６７】
（９）ＳＩＢ８。同じ集合に含まれるスモールセルのＳＩＢ８を同じ値にする。つまり、同じ集合に含まれるスモールセルの異システム（ＣＤＭＡ２０００）セル再選択（inter-RAT cell re-selection）に用いる近隣セル関連情報を同じにする。ＳＩＢ８の送信（設定）が不要の場合は、同じ集合に含まれるスモールセルのＳＩＢ８の送信を不要とすればよい。同じ集合に含まれるスモールセルのＳＩＢ８を同じ値にすることによって、以下の効果を得ることができる。
【０８６８】
スモールセルは、カバレッジが狭いことから数多く設置されることが考えられる。このことからＵＥが、スモールセル間を頻繁に移動することが考えられる。スモールセル間をＵＥが移動する度に、異なる異システム（ＣＤＭＡ２０００）セル再選択に用いる近隣セル関連情報の再設定処理が発生する。
【０８６９】
本具体例（９）によって、同じ集合に含まれるスモールセルのＳＩＢ８を同じ値にすることで、同じ集合に含まれるスモールセル間のＵＥの移動においては、異システム（ＣＤＭＡ２０００）セル再選択に用いる近隣セル関連情報の再設定処理を不要とすることを可能にする。これによって、ＵＥの処理負荷を軽減することができる。
【０８７０】
またＵＥは、同じ集合に含まれるスモールセルからＳＩＢ８を受信する必要がない。つまりＵＥは、同じ集合に含まれるスモールセルにセル再選択（ハンドオーバであってもよい）した場合、改めてＳＩＢ８を受信する必要がない。これによってＵＥは、ＳＩＢ８がスケジューリングされるタイミングであっても、受信処理をする必要がない。したがって、ＵＥの消費電力を低減することができる。
【０８７１】
ＳＩＢ８に含まれるパラメータの一部を同じ値にしてもよい。同じ値にするパラメータの具体例として、以下の（９−１）〜（９−５）の５つを開示する。ただし、ＳＩＢ８に含まれる他のパラメータを同じにすることを排除するものではない。
【０８７２】
（９−１）検索ウィンドウサイズ（searchWindowSize）。近隣のパイロットを探すために用いられるＣＤＭＡ２０００のパラメータである。同じ集合に含まれるスモールセルにキャンプオンする場合の異システム（ＣＤＭＡ２０００）セル再選択に関する測定においては、同検索ウィンドウサイズを用いて測定することが可能となる。これによって、異システム（ＣＤＭＡ２０００）測定のための検索ウィンドウサイズ設定などが不要となり、ＵＥの処理負荷を軽減することができる。
【０８７３】
（９−２）バンドクラスリスト（bandClassList）。周波数バンドの識別リストである。同じ集合に含まれるスモールセルにキャンプオンする場合の異システム（ＣＤＭＡ２０００）セル再選択に関する測定においては、同じバンドクラスリストを用いて測定することが可能となる。これによって、異システム（ＣＤＭＡ２０００）測定のための周波数設定などが不要となり、ＵＥの処理負荷を軽減することができる。
【０８７４】
（９−３）ＰＣＩリスト（physCellIdList）。同じ集合に含まれるスモールセルにキャンプオンする場合の異システム（ＣＤＭＡ２０００）セル再選択に関する測定においては、同じＰＣＩを用いてセルを測定することが可能となる。これによって、ＵＥの処理負荷を軽減することができる。
【０８７５】
（９−４）アクセスクラスバーリング設定（AC-BarringConfig）。同じ集合に含まれるスモールセルにキャンプオンする場合の異システム（ＣＤＭＡ２０００）セル再選択に関する測定においては、同じアクセスクラスバーリング設定を用いてセルを測定することが可能となる。これによって、ＵＥの処理負荷を軽減することができる。
（９−５）前記（９−１）〜（９−４）の組合せ。
【０８７６】
（１０）ＳＩＢ１３。同じ集合に含まれるスモールセルのＳＩＢ１３を同じ値にする。つまり、同じ集合に含まれるスモールセルから送信される、ＭＢＭＳ制御情報の受信に必要な情報を同じにする。ＳＩＢ１３の送信（設定）が不要の場合は、同じ集合に含まれるスモールセルのＳＩＢ１３の送信を不要とすればよい。
【０８７７】
ＭＢＭＳの一般的な事項について、図４２を用いて説明する（非特許文献１  １５章参照）。図４２は、ＭＢＭＳについて説明するための図である。ＭＢＳＦＮ同期エリア（MBSFN Synchronization Area）とは、基地局（ｅＮＢ、セル）が全て同期しており、ＭＢＳＦＮ送信を行うことができるネットワークのエリアである。
【０８７８】
ＭＢＳＦＮ同期エリアは、１つ以上のＭＢＳＦＮエリア（MBSFN Area）、例えば図４２に示すＭＢＳＦＮエリア７１０２，７１０３，７１０４をサポートすることができる。１つの周波数レイヤでは、基地局は、１つのＭＢＳＦＮ同期エリアに属する。
【０８７９】
ＭＢＳＦＮ同期エリアと、ＭＢＳＦＮサービスエリア（MBMS Service Area）、例えば図４２に示すＭＢＳＦＮサービスエリア７１０１とは、独立に定義される。ＭＢＳＦＮエリアは、ＭＢＳＦＮ同期エリア内の一群のセルから構成される。ＭＢＳＦＮエリア内の全ての基地局、例えば図４２に示す基地局７１０５〜７１１１は、ＭＢＳＦＮ送信に寄与する。
【０８８０】
同じ集合に含まれるスモールセルは、同じＭＢＳＦＮ同期エリアに属するとしてもよい。さらに、同じ集合に含まれるスモールセルは、同じＭＢＳＦＮエリアに属するとしてもよい。同じ集合に含まれるスモールセルのＳＩＢ１３を同じ値にすることによって、以下の効果を得ることができる。
【０８８１】
スモールセルは、カバレッジが狭いことから数多く設置されることが考えられる。このことからＵＥが、スモールセル間を頻繁に移動することが考えられる。スモールセル間をＵＥが移動する度に、ＭＢＭＳ制御情報の受信に必要な情報の再設定処理が発生する。
【０８８２】
本具体例（１０）によって、同じ集合に含まれるスモールセルのＳＩＢ１３を同じ値にすることで、同じ集合に含まれるスモールセル間のＵＥの移動においては、ＭＢＭＳ制御情報の受信に必要な情報の再設定処理を不要とすることを可能にする。これによって、ＵＥの処理負荷を軽減することができる。
【０８８３】
またＵＥは、同じ集合に含まれるスモールセルからＳＩＢ１３を受信する必要がない。つまりＵＥは、同じ集合に含まれるスモールセルにセル再選択（ハンドオーバであってもよい）した場合、改めてＳＩＢ１３を受信する必要がない。これによってＵＥは、ＳＩＢ１３がスケジューリングされるタイミングであっても、受信処理をする必要がない。したがって、ＵＥの消費電力を低減することができる。
【０８８４】
ＳＩＢ１３に含まれるパラメータの一部を同じ値にしてもよい。同じ値にするパラメータの具体例として、以下の（１０−１）〜（１０−３）の３つを開示する。ただし、ＳＩＢ１３に含まれる他のパラメータを同じにすることを排除するものではない。
【０８８５】
（１０−１）ＭＢＳＦＮエリア情報リスト（mbsfn-AreaInfoList）。同じ集合に含まれるスモールセルにキャンプオンする場合のＭＢＭＳ受信においては、同じＭＢＳＦＮエリア情報リストを用いることが可能となる。これによって、ＵＥの処理負荷を軽減することができる。
【０８８６】
（１０−２）通知設定（notificationConfig）。同じ集合に含まれるスモールセルにキャンプオンする場合のＭＢＭＳ受信においては、同じ通知設定を用いることが可能となる。これによって、ＵＥの処理負荷を軽減することができる。
（１０−３）前記（１０−１），（１０−２）の組合せ。
【０８８７】
また、以下の３つの理由から、スモールセルは、ＭＢＭＳサービスの提供に適していると考えられる。したがって、スモールセルを用いたＭＢＭＳサービスが実行された場合に、本具体例（１０）を用いてＵＥの消費電力を低減する効果を得ることは、通信システム全体を通して有効なことである。
【０８８８】
第１の理由は、スモールセルは、カバレッジが狭いことから、マクロセルと比較して、接続するＵＥの数が少ないことが考えられる。このことから、スモールセルでは、マクロセルと比較して、無線リソースに余裕が出ると考えられる。したがって、ＭＢＳＦＮ送信のためにＭＢＳＦＮサブフレームを多く取れる可能性がある。
【０８８９】
第２の理由は、スモールセルは、カバレッジが狭いことから、エリア限定のサービスへの要求があるＭＢＭＳに適している。
【０８９０】
第３の理由は、スモールセルと、マクロセルのキャリア周波数を異ならせることが考えられている。
【０８９１】
（１１）ＳＩＢ１５。同じ集合に含まれるスモールセルのＳＩＢ１５を同じ値にする。つまり、同じ集合に含まれるスモールセルから送信される、ＭＢＭＳサービスエリア識別情報と周辺キャリア周波数とを同じにする。ＳＩＢ１５の送信（設定）が不要の場合は、同じ集合に含まれるスモールセルのＳＩＢ１５の送信を不要とすればよい。同じ集合に含まれるスモールセルは、同じＭＢＭＳサービスエリアに属するとしてもよい。同じ集合に含まれるスモールセルのＳＩＢ１５を同じ値にすることによって、以下の効果を得ることができる。
【０８９２】
スモールセルは、カバレッジが狭いことから数多く設置されることが考えられる。このことからＵＥが、スモールセル間を頻繁に移動することが考えられる。異なるＭＢＭＳサービスエリア識別情報のスモールセル間をＵＥが移動する度に、受けているＭＢＭＳサービスの継続が可能であるか否かを確認する必要がある。また、異なる周辺キャリア周波数情報のスモールセル間をＵＥが移動する度に、周辺キャリア周波数情報の再設定処理が発生する。
【０８９３】
本具体例（１１）によって、同じ集合に含まれるスモールセルのＳＩＢ１５を同じ値にすることで、同じ集合に含まれるスモールセル間のＵＥの移動においては、ＵＥは、受けているＭＢＭＳサービスの継続が可能であるか否かの確認が不要となる。また、同じ集合に含まれるスモールセルのＳＩＢ１５を同じ値にすることで、同じ集合に含まれるスモールセル間のＵＥの移動においては、周辺キャリア周波数情報の再設定処理を不要とすることを可能にする。これによって、ＵＥの処理負荷を軽減することができる。
【０８９４】
またＵＥは、同じ集合に含まれるスモールセルからＳＩＢ１５を受信する必要がない。つまりＵＥは、同じ集合に含まれるスモールセルにセル再選択（ハンドオーバであってもよい）した場合、改めてＳＩＢ１５を受信する必要がない。これによってＵＥは、ＳＩＢ１５がスケジューリングされるタイミングであっても、受信処理をする必要がない。したがって、ＵＥの消費電力を低減することができる。
【０８９５】
ＳＩＢ１５に含まれるパラメータの一部を同じ値にしてもよい。同じ値にするパラメータの具体例として、以下の（１１−１）〜（１１−４）の４つを開示する。ただし、ＳＩＢ１５に含まれる他のパラメータを同じにすることを排除するものではない。
【０８９６】
（１１−１）ＭＢＭＳサービスエリア識別情報異周波数リスト（mbms-SAI-InterFreqList）。ＭＢＭＳサービスを提供する周波数と、対応するＭＢＭＳサービスエリア識別情報のリストである。同じ集合に含まれるスモールセルにキャンプオンする場合のＭＢＭＳ受信においては、同じＭＢＭＳサービスエリア識別情報異周波数リストを用いることが可能となる。同じ集合に含まれるスモールセル間のＵＥの移動においては、ＭＢＭＳ受信のためのキャリア周波数情報の再設定処理を不要とすることを可能にする。これによって、ＵＥの処理負荷を軽減することができる。
【０８９７】
（１１−２）下りキャリア周波数（dl-CarrierFreq）。同じ集合に含まれるスモールセル間のＵＥの移動においては、ＭＢＭＳ受信のためのキャリア周波数情報の再設定処理を不要とすることを可能にする。これによって、ＵＥの処理負荷を軽減することができる。
【０８９８】
（１１−３）ＭＢＭＳサービスエリア識別情報リスト（mbms-SAI-List-r11）。同じ集合に含まれるスモールセルにキャンプオンする場合のＭＢＭＳ受信においては、同じＭＢＭＳサービスエリア識別情報同周波数リストを用いることが可能となる。これによって、ＵＥの処理負荷を軽減することができる。
（１１−４）前記（１１−１）〜（１１−３）の組合せ。
【０８９９】
（１２）ＰＤＳＣＨのスタートシンボルを同じにする。つまり、同じ集合に含まれるスモールセルにおいてＰＤＳＣＨスタートシンボルを同じにする。
【０９００】
ＰＤＳＣＨのスタートシンボルについて説明する（非特許文献１参照）。ＰＤＣＣＨは、各サブフレームの先頭のｎＯＦＤＭシンボルを用いて送信される。ｎは、４より小さい値である。ＰＤＳＣＨは、ＰＤＣＣＨで用いるＯＦＤＭシンボルより後ろのＯＦＤＭシンボルを用いて送信される。ＰＤＣＣＨのために用いるＯＦＤＭシンボルの数は、基地局から移動端末に、ＰＣＦＩＣＨを用いて通知する。つまり、ＰＤＳＣＨのスタートＯＦＤＭシンボルは、ＰＤＣＣＨで用いるＯＦＤＭシンボル数によって変化する。
【０９０１】
同じ集合に含まれるスモールセルのＰＤＣＣＨのＯＦＤＭシンボル数を同じにするとしてもよい。同じ集合に含まれるスモールセルは、同じＰＤＣＣＨのＯＦＤＭシンボル数にすることによって、同じ集合に含まれるスモールセルのＰＤＣＣＨ受信、ＰＤＳＣＨ受信において、同じ条件で受信すればよい。同じ条件とは、例えばＰＤＣＨＨのＯＦＤＭシンボル数の設定を同じにし、ＰＤＳＣＨのスタートＯＦＤＭシンボルを同じにして受信すればよい。これによって、ＵＥの処理負荷を軽減することができる。
【０９０２】
またＵＥは、同じ集合に含まれるスモールセルから、ＰＣＦＩＣＨを受信する必要がない。つまりＵＥは、同じ集合に含まれるスモールセルにセル再選択（ハンドオーバであってもよい）した場合、改めてＰＣＦＩＣＨを受信する必要がない。これによってＵＥは、ＰＣＦＩＣＨがスケジューリングされるタイミングであっても、受信処理をする必要がない。したがって、ＵＥの消費電力を低減することができる。
【０９０３】
スモールセルは、カバレッジが狭いことから、マクロセルと比較して、サーブするＵＥの数が少ないことが考えられる。したがって、本実施の形態では、スモールセルで用いるＰＤＣＣＨのＯＦＤＭシンボル数を、マクロセルで用いるＰＤＣＣＨのＯＦＤＭシンボル数と比較して少なくしてもよいとする。
【０９０４】
また、１つのスモールセルのＰＤＣＣＨのＯＦＤＭシンボル数を時間的に変更せず、一定としてもよい。つまり、１つのスモールセルのＰＤＳＣＨスタートＯＦＤＭシンボル数を時間的に変更せず、一定としてもよい。
【０９０５】
これによって、ＵＥは、同じスモールセルのＰＤＣＣＨ受信、ＰＤＳＣＨ受信において、同じ条件で受信すればよい。同じ条件とは、例えばＰＤＣＨＨのＯＦＤＭシンボル数の設定を同じにし、ＰＤＳＣＨのスタートＯＦＤＭシンボルを同じにして受信すればよい。
【０９０６】
また１つのスモールセルにサーブされている間、改めてＰＣＦＩＣＨを受信する必要がない。これによってＵＥは、ＰＣＦＩＣＨがスケジューリングされるタイミングであっても、受信処理をする必要がない。したがって、ＵＥの消費電力を低減することができる。
【０９０７】
さらに、スモールセルのＰＤＣＣＨのＯＦＤＭシンボル数を時間的に一定としてもよい。つまり、さらにスモールセルのＰＤＳＣＨスタートＯＦＤＭシンボル数を一定にしてもよい。
【０９０８】
これによってＵＥは、スモールセルからスモールセルにセル再選択（ハンドオーバであってもよい）した場合、同じ条件で受信すればよい。同じ条件とは、例えばＰＤＣＨＨのＯＦＤＭシンボル数の設定を同じにし、ＰＤＳＣＨのスタートＯＦＤＭシンボルを同じにして受信すればよい。
【０９０９】
また改めてＰＣＦＩＣＨを受信する必要がない。これによってＵＥは、ＰＣＦＩＣＨがスケジューリングされるタイミングであっても、受信処理をする必要がない。したがって、ＵＥの消費電力を低減することができる。
【０９１０】
（１３）ＭＢＳＦＮサブフレーム設定（MBSFN-SubframeConfigList）。つまり、同じ集合に含まれるスモールセルにおけるＭＢＳＦＮサブフレーム設定を同じにする。本パラメータは、ＳＩＢ２に含まれるパラメータである（非特許文献１０参照）。
【０９１１】
ＭＢＳＦＮサブフレームについて説明する。サブフレーム単位で、ＭＢＳＦＮ（Multimedia Broadcast multicast service Single Frequency Network）用のチャネルと、ＭＢＳＦＮ以外用のチャネルとの多重が行われる。ＭＢＳＦＮ送信（MBSFN Transmission）とは、同時に複数のセルから同じ波形の送信により実現される同時放送送信技術（simulcast transmission technique）である。
【０９１２】
ＵＥでは、ＭＢＳＦＮエリア（MBSFN Area）の複数のセルからのＭＢＳＦＮ送信は、１つの送信と認識される。ＭＢＳＦＮ送信用のサブフレームは、ＭＢＳＦＮサブフレーム（MBSFN subframe）と称される。ＭＢＳＦＮサブフレームでは、ＰＤＳＣＨの送信は行われない。
【０９１３】
同じ集合に含まれるスモールセルは、ＭＢＳＦＮサブフレーム設定を同じにすることによって、同じ集合に含まれるスモールセルのＰＤＳＣＨ受信において、同じ条件で受信すればよい。同じ条件とは、例えば同じサブフレームをＭＢＳＦＮサブフレームと認識し、該ＭＢＳＦＮサブフレーム以外のサブフレームでＰＤＳＣＨの受信をすればよい。これによって、ＵＥの処理負荷を軽減することができる。
【０９１４】
また、集合の具体例が前記の具体例（２）「同じカバレッジマクロセルのカバレッジ内に設置されたスモールセル」である場合、更に以下の効果を得ることができる。
【０９１５】
ＭＢＳＦＮサブフレームは、時間領域セル間干渉調整（Time Domain - Inter Cell Interference Coordination：ＴＤ−ＩＣＩＣ）に用いることができる。サブフレーム単位で、ＰＤＳＣＨの有り、あるいは無しを設定できるからである。具体的には、ＰＤＳＣＨの送信を無くしたいサブフレームを、ＭＢＳＦＮサブフレームとして設定すればよい。
【０９１６】
本実施の形態を用いることによって、同じカバレッジマクロセルのカバレッジ内に設置されたスモールセルのＭＢＳＦＮサブフレーム設定は同一である。したがって、カバレッジマクロセルのカバレッジ内に設置された全てのスモールセルから、該ＭＢＳＦＮサブフレームでＰＤＳＣＨが送信されないこととなる。つまり、該ＭＢＳＦＮサブフレームで、カバレッジマクロセルのカバレッジ内に設置された全てのスモールセルから、ＰＤＳＣＨによる干渉が発生しないこととなる。これによって、マクロセルと、マクロセルのカバレッジ内に設置されるスモールセルとにおけるＴＤ−ＩＣＩＣが実現できる。
【０９１７】
同じカバレッジマクロセルのカバレッジ内に設置されたスモールセルのＭＢＳＦＮサブフレーム設定が同一であるので、各々のスモールセルとマクロセルとの干渉回避を実行する必要がない。マクロセルとスモールセルとが同周波数で運用される場合は、本実施の形態を用いて、ＴＤ−ＩＣＩＣを実現することは、特に顕著な干渉問題の解決方法となる。
【０９１８】
（１４）ページングの受信のためのＰＦ（Paging Frame）。つまり、同じ集合に含まれるスモールセルにおけるページングの受信のためのＰＦを同じにする。
【０９１９】
ページングの受信タイミングについて説明する（非特許文献２参照）。待受け状態のＵＥは、低消費電力のために、間欠受信（Discontinuous reception：ＤＲＸ）をサポートする。ＵＥは、ページングの受信のために、ＤＲＸサイクルあたり１無線フレーム存在するページングフレーム（Paging Frame：ＰＦ）をモニタし、ページングフレーム中にサブフレーム単位で存在するページングオケージョン（Paging Occasion(s)：ＰＯ）を受信する。
【０９２０】
ＰＦは、以下に示す式（１）によって求めることができる。
ＳＦＮ  ｍｏｄ  Ｔ＝（Ｔ  ｄｉｖ  Ｎ）×（ＵＥ＿ＩＤ  ｍｏｄ  Ｎ）    …（１）
【０９２１】
式（１）において、ＳＦＮとは、システムフレームナンバー（System Frame Number）である。Ｔは、ＵＥにおけるＤＲＸ周期（cycle）を示す。Ｔは、上位レイヤから割当てられるＵＥ固有のＤＲＸ（UE specific DRX）値のうち、最短値とＳＩＢ２中で報知される初期ＤＲＸ値（default DRX value）とによって決定される。上位レイヤからＵＥ固有のＤＲＸの設定が無い場合は、初期ＤＲＸ値が適用される。Ｎは、ｍｉｎ（Ｔ，ｎＢ）を示す。つまり、Ｎは、ＴとｎＢとのうち、小さい方の値である。ｎＢは、４Ｔ，２Ｔ，Ｔ，Ｔ／２，Ｔ／４，Ｔ／８，Ｔ／１６，Ｔ／３２である。
【０９２２】
本実施の形態では、同じ集合に含まれるスモールセルにおけるページングの受信のためのＰＦを同じにするために、同じ集合に含まれるスモールセルにおける初期ＤＲＸ値と、ＳＦＮとを同じにする。初期ＤＲＸ値は、ＳＩＢ２に含まれるパラメータである。ＳＦＮは、ＭＩＢに含まれるパラメータである（非特許文献１０参照）。
【０９２３】
同じ集合に含まれるスモールセルは、ページングの受信のためのＰＦを同じにすることによって、同じ集合に含まれるスモールセルのページングの受信においては、同じ条件で受信すればよい。同じ条件とは、例えば同じタイミング（ＰＦ）でページング受信処理を実行すればよい。ＰＤＳＣＨの受信において、同じ条件で受信すればよい。同じ条件とは、例えば同じタイミング（ＰＦ）でページング受信処理を実行すればよい。これによって、ＵＥの処理負荷を軽減することができる。
【０９２４】
また、集合の具体例が前記の具体例（２）「同じカバレッジマクロセルのカバレッジ内に設置されたスモールセル」である場合、さらに、カバレッジマクロセルと、該カバレッジマクロセルのカバレッジ内に設置されるスモールセルとの前記パラメータを同じ値にしてもよい。これによって、ＵＥが、カバレッジマクロセルと該カバレッジマクロセルのカバレッジ内に設置されるスモールセルとの双方からのページングを受信する場合に、以下の効果を得ることができる。
【０９２５】
１つの同じタイミング（ＰＦ）で、ＵＥはページング受信処理を行えばよい。これによって、ＵＥの消費電力を低減することができる。
【０９２６】
（１５）ＥＴＷＳ通知（Earthquake and Tsunami Warning System notification）。つまり、同じ集合に含まれるスモールセルからのＥＴＷＳの通知を同じにする。本通知は、ＳＩＢ１０、ＳＩＢ１１に含まれる（非特許文献１０参照）。スモールセルは、カバレッジが狭い。したがって、マクロセルと比較してＵＥがカバレッジ端に位置する確率が高くなる。カバレッジ端に位置するＵＥにおけるＥＴＷＳの通知の受信を失敗することが考えられる。同じ集合に含まれるスモールセルからのＥＴＷＳの通知を同じにすることによって、ＵＥにおけるＥＴＷＳの通知の受信の失敗を削減することが可能となる。
【０９２７】
（１６）ＣＭＡＳ通知（Commercial Mobile Alert Service notification）。つまり、同じ集合に含まれるスモールセルからのＣＭＡＳの通知を同じにする。本通知は、ＳＩＢ１２に含まれる（非特許文献１０参照）。スモールセルは、カバレッジが狭い。したがって、マクロセルと比較してＵＥがカバレッジ端に位置する確率が高くなる。カバレッジ端に位置するＵＥにおけるＣＭＡＳの通知の受信を失敗することが考えられる。同じ集合に含まれるスモールセルからのＣＭＡＳの通知を同じにすることによって、ＵＥにおけるＣＭＡＳの通知の受信の失敗を削減することが可能となる。
（１７）前記（１）〜（１６）の組合せ。
【０９２８】
スモールセルが、自セルが属する集合をＵＥに通知する方法としては、スモールセルが、自セルが属する集合のインジケータを傘下のＵＥに通知する。通知方法の具体例として以下の（１）〜（５）の５つを開示する。
【０９２９】
（１）下り同期信号（Downlink Synchronization Signal：ＳＳ）を用いる。第一同期信号と第二同期信号とを用いてもよいし、いずれか一方を用いてもよい。集合のインジケータをマッピングしてもよい。下り同期信号が持つシーケンスを用いて、自セルが属する集合を示してもよい。
【０９３０】
（２）ディスカバリーシグナル（discovery reference signal）。ディスカバリーシグナルは、非特許文献９に開示されている。ディスカバリーシグナルは、インフラ（infrastructure）の消費電力低減（Energy Saving）のためにスイッチオフされたスモールセル、および通常動作（スイッチオン）されたスモールセルの発見（discovery）に用いることが開示されている。また、非特許文献９には、他セルへの干渉低減、およびスモールセルの送信電力削減のために、ディスカバリーシグナルの送信周期を長くすることが開示されている。集合のインジケータをマッピングしてもよい。ディスカバリーシグナルが持つシーケンスを用いて、自セルが属する集合を示してもよい。
【０９３１】
（３）ＭＩＢ。ＭＩＢに集合のインジケータをマッピングする。
（４）ＳＩＢ１。ＳＩＢ１に集合のインジケータをマッピングする。
（５）前記（１）〜（４）の組合せ。
【０９３２】
同じ集合に含まれるスモールセルで、どのパラメータが同じ値であるかを通知する方法の具体例として、以下の（１），（２）の２つを開示する。
【０９３３】
（１）同じ集合に含まれるスモールセルで、どのパラメータが同じ値であるかは、予め静的に決定する。ＵＥに、その都度通知する必要がない点において、以下の方法（２）とは異なり、通信システムが複雑化することを回避することができ、無線リソースを有効に活用することができる。
【０９３４】
（２）同じ集合に含まれるスモールセルで、どのパラメータが同じ値であるかは、準静的に決定する。パラメータに、同じ集合に含まれるスモールセルで同じ値になっているか否かのインジケータを付随させて、ＵＥに通知する。インジケータを付随させるのは、同じ集合に含まれるスモールセルで同じ値となる可能性のあるパラメータのみでもよい。また、同じＳＩＢに含まれる全てのパラメータを同じにする場合、ＳＩＢ１に含まれるＳＩＢ２以降のスケジューリング情報に、インジケータを付随させればよい。ＳＩＢ２以降の各ＳＩＢに付随させる場合と比較して、以下の効果を得ることができる。
【０９３５】
ＳＩＢ２以降の各ＳＩＢをスケジューリング情報に従って受信する前に、ＳＩＢ２以降の各ＳＩＢを受信するか否かを判断することができるので、受信しないと判断する場合、ＵＥの消費電力を低減することができる。
【０９３６】
スモールセルが、どの集合に属するかの決定を決定する方法の具体例として、以下の（１），（２）の２つを開示する。
【０９３７】
（１）Ｏ＆Ｍ（Operation and Maintenance）が決定する。決定の際の判断基準として、以下の（１−１）〜（１−４）の４つを開示する。
【０９３８】
（１−１）設置されたスモールセルの位置情報に応じて決定する。スモールセルが、位置情報をＯ＆Ｍに報告すればよい。
【０９３９】
（１−２）設置されたスモールセルの周辺セル測定結果に応じて決定する。スモールセルが、周辺セル測定結果をＯ＆Ｍに報告すればよい。
【０９４０】
（１−３）オペレータ、あるいはスモールセルのオーナーが決定し、Ｏ＆Ｍに設定する。
（１−４）前記（１−１）〜（１−３）の組合せ。
【０９４１】
（２）スモールセルが決定する。決定の際の判断基準として、以下の（２−１）〜（２−３）の３つを開示する。
（２−１）設置されたスモールセルの周辺セル測定結果に応じて決定する。
（２−２）オペレータ、あるいはスモールセルのオーナーが決定し、スモールセルに設定する。
（２−３）前記（２−１），（２−２）の組合せ。
【０９４２】
同じ集合に含まれるスモールセルにおいて、一部のパラメータを同じ値にする方法の具体例として、以下の（１），（２）の２つを開示する。
【０９４３】
（１）Ｏ＆Ｍが調整する。Ｏ＆Ｍが、同じ集合に含まれるスモールセルの一部のパラメータを同じ値に設定する。図４３を用いて、実施の形態５の解決策を用いた場合の通信システムのシーケンスの具体例を説明する。図４３は、実施の形態５における通信システムのシーケンスの一例を示す図である。図４３では、Ｏ＆Ｍが同じ集合に含まれるスモールセルの一部のパラメータを同じ値に設定する場合のシーケンスを示している。
【０９４４】
ステップＳＴ７２０１において、スモールセルが設置される。ステップＳＴ７２０２において、スモールセルは、スモールセルが設置されたことをＯ＆Ｍに通知する。設置場所の位置情報を合せて通知してもよい。また、周辺セル測定結果を併せて通知してもよい。さらに、オペレータ、あるいはスモールセルのオーナーが決定し、スモールセルに設定した、該スモールセルがいずれの集合に属するかの情報を併せて通知してもよい。
【０９４５】
ステップＳＴ７２０３において、Ｏ＆Ｍは、ステップＳＴ７２０２で設置されたことを通知してきたスモールセルをいずれの集合に属するとするか決定する。Ｏ＆Ｍは、ステップＳＴ７２０２で受信した設置場所の位置情報に応じて、該スモールセルをいずれの集合に属するとするか決定してもよい。また、Ｏ＆Ｍは、ステップＳＴ７２０２で受信した周辺セル測定結果に応じて、該スモールセルをいずれの集合に属するとするか決定してもよい。さらに、Ｏ＆Ｍは、ステップＳＴ７２０２で受信したオペレータ、あるいはスモールセルのオーナーが決定し、スモールセルへ設定した、該スモールセルがいずれの集合に属するかの情報に応じて、該スモールセルをいずれの集合に属するとするか決定してもよい。
【０９４６】
ステップＳＴ７２０４において、Ｏ＆Ｍは、同じ集合に含まれるスモールセルで同じ値とするパラメータを決定する。同じ集合に含まれるスモールセルで同じ値にできるパラメータの一部のみを同じ値とすると決定してもよい。
【０９４７】
ステップＳＴ７２０５において、Ｏ＆Ｍは、スモールセルに各パラメータを設定する。その際、ステップＳＴ７２０４において同じ集合に含まれるスモールセルで同じ値とすると決定したパラメータには、同じ集合に含まれるスモールセルで同じ値を設定する。同じ集合に含まれるスモールセルで同じ値にできるパラメータの一部のみを同じ値とする場合など、同じ集合に含まれるスモールセルで同じ値になっているか否かのインジケータを、パラメータに付随させて通知するとよい。
【０９４８】
ステップＳＴ７２０６において、スモールセルは、ステップＳＴ７２０５でＯ＆Ｍから受信した各パラメータを設定し、動作を開始する。
【０９４９】
ステップＳＴ７２０７において、スモールセルは、ステップＳＴ７２０５でＯ＆Ｍから受信した各パラメータのうち、必要なパラメータを傘下のＵＥに通知する。同じ集合に含まれるスモールセルで同じ値にできるパラメータの一部のみが同じ値とされる場合など、同じ集合に含まれるスモールセルで同じ値になっているか否かのインジケータを、パラメータに付随させて通知するとよい。
【０９５０】
（２）コンセントレータが調整する。コンセントレータが、同じ集合に含まれるスモールセルの一部のパラメータを同じ値に設定する。Ｏ＆Ｍがスモールセルに設定したパラメータのうち、同じ集合に含まれるスモールセルで同じ値にするパラメータの値を上書きするとしてもよい。
【０９５１】
コンセントレータの具体例として、以下の（２−１），（２−２）の２つを開示する。
（２−１）スモールセルコンセントレータ。スモールセルクラスタ毎にコンセントレータを設けてもよい。
（２−２）マクロセル。該スモールセルのカバレッジマクロセルとしてもよい。
【０９５２】
図４４を用いて、実施の形態５の解決策を用いた場合の通信システムのシーケンスの具体例を説明する。図４４は、実施の形態５における通信システムのシーケンスの他の例を示す図である。図４４では、コンセントレータが同じ集合に含まれるスモールセルの一部のパラメータを同じ値に設定する場合のシーケンスを示している。
【０９５３】
ステップＳＴ７３０１において、スモールセルが設置される。ステップＳＴ７３０２において、スモールセルは、スモールセルが設置されたことをＯ＆Ｍに通知する。このとき、スモールセルが、どの集合に属するかの決定を決定するかをＯ＆Ｍが決定する場合、設置場所の位置情報を併せて通知してもよい。また、周辺セル測定結果を併せて通知してもよい。さらに、オペレータ、あるいはスモールセルのオーナーが決定し、スモールセルへ設定した、該スモールセルがいずれの集合に属するかの情報を併せて通知してもよい。
【０９５４】
ステップＳＴ７３０３において、スモールセルがどの集合に属するかの決定を決定するかをＯ＆Ｍが決定する場合、Ｏ＆Ｍは、ステップＳＴ７３０２で設置されたことを通知してきたスモールセルをいずれの集合に属するとするか決定する。
【０９５５】
Ｏ＆Ｍは、ステップＳＴ７３０２で受信した設置場所の位置情報に応じて、該スモールセルをいずれの集合に属するとするか決定してもよい。また、Ｏ＆Ｍは、ステップＳＴ７３０２で受信した周辺セル測定結果に応じて、該スモールセルをいずれの集合に属するとするか決定してもよい。さらに、Ｏ＆Ｍは、ステップＳＴ７３０２で受信したオペレータ、あるいはスモールセルのオーナーが決定し、スモールセルへ設定した、該スモールセルがいずれの集合に属するかの情報に応じて、該スモールセルをいずれの集合に属するとするか決定してもよい。
【０９５６】
ステップＳＴ７３０４において、Ｏ＆Ｍは、スモールセルに各パラメータを設定する。スモールセルがどの集合に属するかをＯ＆Ｍが決定する場合、ステップＳＴ７３０３で決定した集合の情報を併せて通知すればよい。集合の具体例が、スモールセルクラスタである場合、該スモールセルクラスタに対応するコンセントレータ、つまりスモールセルコンセントレータの情報を併せて通知してもよい。集合の具体例が、カバレッジマクロセルである場合、コンセントレータ、つまり該カバレッジマクロセルの情報を併せて通知してもよい。
【０９５７】
ステップＳＴ７３０５において、スモールセルは、スモールセルが設置されたことをコンセントレータに通知する。いずれのコンセントレータに通知するかは、設置された位置情報に応じて決定してもよいし、周辺セル測定結果に応じて決定してもよい。あるいは、ステップＳＴ７３０４において、コンセントレータの情報を受信している場合、該コンセントレータに、スモールセルが設置されたことを通知すればよい。スモールセルがどの集合に属するかをＯ＆Ｍが決定する場合、ステップＳＴ７３０４で受信した集合の情報を併せて通知する。スモールセルがどの集合に属するかをスモールセルが決定する場合、決定した集合の情報を併せて通知する。
【０９５８】
ステップＳＴ７３０６において、コンセントレータは、同じ集合に含まれるスモールセルで同じ値とするパラメータを決定する。同じ集合に含まれるスモールセルで同じ値にできるパラメータの一部のみを同じ値とすると決定してもよい。
【０９５９】
ステップＳＴ７３０７において、コンセントレータは、スモールセルに、ステップＳＴ７３０６において同じ集合に含まれるスモールセルで同じ値とすると決定したパラメータの設定を行う。同じ集合に含まれるスモールセルで同じ値を設定する。同じ集合に含まれるスモールセルで同じ値にできるパラメータの一部のみを同じ値とする場合など、同じ集合に含まれるスモールセルで同じ値になっているか否かのインジケータを、パラメータに付随させて通知するとよい。
【０９６０】
ステップＳＴ７３０８において、スモールセルは、ステップＳＴ７３０４でＯ＆Ｍから受信した各パラメータに、ステップＳＴ７３０７でコンセントレータから受信した各パラメータの値を上書設定し、動作を開始する。
【０９６１】
ステップＳＴ７３０９において、スモールセルは、Ｏ＆Ｍに、ステップＳＴ７３０４でＯ＆Ｍから受信したパラメータのうち、異なる値を設定したパラメータを通知する。パラメータ値を併せて通知してもよい。つまり、ステップＳＴ７３０７でコンセントレータから受信した各パラメータと、各パラメータ値とを通知する。
【０９６２】
ステップＳＴ７３１０において、スモールセルは、各パラメータのうち、必要なパラメータを傘下のＵＥに通知する。同じ集合に含まれるスモールセルで同じ値にできるパラメータの一部のみが同じ値とされる場合など、同じ集合に含まれるスモールセルで同じ値になっているか否かのインジケータを、パラメータに付随させて通知するとよい。
【０９６３】
次に実施の形態５の解決策におけるＵＥの動作例について説明する。図４５は、従来のＵＥが行うセルサーチから待ち受け動作までの概略を示すフローチャートである。図４５は、前述の図６と類似しているので、図６に対応するステップについては、同一のステップ番号を付して、共通する説明を省略する。
【０９６４】
ステップＳＴ７４０１において、ステップＳＴ１２０４で取得したＤＬシステム帯域幅などの情報を用いて、ＰＣＦＩＣＨを受信する。ＰＣＦＩＣＨによって、ＰＤＣＣＨｓのために用いるＯＦＤＭシンボルの数が判明する。したがって、ＰＤＳＣＨのスタートシンボルを認識する。
【０９６５】
ステップＳＴ１２０５において、ステップＳＴ１２０４で取得したＭＩＢのセル構成情報と、ステップＳＴ７４０１で認識したＰＤＳＣＨのスタートシンボルとに基づいて、該セルのＤＬ−ＳＣＨを受信して、報知情報ＢＣＣＨの中のＳＩＢ（System Information Block）１を得る。
【０９６６】
ステップＳＴ７４０２において、ステップＳＴ１２０５で取得したＳＩＢ１に他のＳＩＢのスケジューリング情報が含まれるか否かを判断する。ステップＳＴ７４０２において、他のＳＩＢのスケジューリング情報が含まれていると判断された場合は、ステップＳＴ７４０３に移行し、他のＳＩＢのスケジューリング情報が含まれていないと判断された場合は、ステップＳＴ７４０４に移行する。
【０９６７】
ステップＳＴ７４０３において、ステップＳＴ１２０５で取得した他のＳＩＢ（ＳＩＢｋ；ｋは２以上（ｋ≧２）の整数）のスケジューリング情報に従い、他のＳＩＢを受信する。
【０９６８】
ステップＳＴ７４０４において、ＰＤＣＣＨ上にＳＩ−ＲＮＴＩ（System Information RNTI）がマッピングされているか否かを判断する。ＳＩ−ＲＮＴＩとは、ＳＩＢに変更が生じた場合に、傘下のＵＥへの該変更の通知に用いられる。ステップＳＴ７４０４において、ＰＤＣＣＨ上にＳＩ−ＲＮＴＩがマッピングされていると判断された場合は、ステップＳＴ１２０５に戻り、前述の処理を繰り返す。ステップＳＴ７４０４において、ＰＤＣＣＨ上にＳＩ−ＲＮＴＩがマッピングされていないと判断された場合は、ステップＳＴ７４０４の処理を繰り返す。
【０９６９】
図４６〜図４８は、実施の形態５におけるＵＥの動作の処理手順の一例を示すフローチャートである。図４６〜図４８では、自セルが属する集合をＵＥに通知する方法として、前記の具体例（１）の下り同期信号を用いる場合のＵＥの動作例について示している。図４６〜図４８は、前述の図６および図４５に類似しているので、図６および図４５に対応するステップについては、同一のステップ番号を付して、共通する説明を省略する。
【０９７０】
図４６のステップＳＴ７５０１において、周辺の基地局から送信される第一同期信号（Ｐ−ＳＳ）、および第二同期信号（Ｓ−ＳＳ）を用いて、スロットタイミング、フレームタイミングの同期をとる。Ｐ−ＳＳとＳ−ＳＳとを合わせて、同期信号（ＳＳ）という。同期信号（ＳＳ）には、セル毎に割り当てられたＰＣＩ（Physical Cell Identity）に１対１に対応するシンクロナイゼーションコードが割り当てられている。ＰＣＩの数は５０４通りが検討されている。この５０４通りのＰＣＩを用いて同期をとるとともに、同期がとれたセルのＰＣＩを検出（特定）する。
【０９７１】
第一同期信号と第二同期信号とを用いて、あるいはいずれか一方を用いて、スモールセルが属する集合を認識する。第一同期信号と第二同期信号とを用いて、あるいはいずれか一方から、集合が属するインジケータを検出してもよい。あるいはシンクロナイゼーションコードが持つシーケンスから、スモールセルが属する集合を認識する。
【０９７２】
ステップＳＴ７５０２において、サービングセルが属する集合のインジケータを確認する。
【０９７３】
ステップＳＴ７５０３において、ステップＳＴ１２０３で選択したベストセル（検出セル）が属する集合と、サービングセルが属する集合とが同じ集合に属するか否かを判断する。ステップＳＴ７５０３において、ベストセルが属する集合とサービングセルが属する集合とが同じ集合に属すると判断された場合は、図４８のステップＳＴ７５０４に移行し、ベストセルが属する集合とサービングセルが属する集合とが同じ集合に属さないと判断された場合は、図４７のステップＳＴ１２０４に移行する。
【０９７４】
図４８のステップＳＴ７５０４において、ベストセルのＰＢＣＨを受信して、報知情報であるＢＣＣＨを得る。ＰＢＣＨ上のＢＣＣＨには、セル構成情報が含まれるＭＩＢ（Master Information Block）がマッピングされる。
【０９７５】
ＭＩＢにマッピングされるパラメータのうち、静的に同じ集合に含まれるスモールセルでは同じ値になると決定されているパラメータが存在すれば、該パラメータをデコードしない。
【０９７６】
ＭＩＢにマッピングされるパラメータのうち、同じ集合に含まれるスモールセルでは同じ値となる可能性のあるパラメータが存在し、該パラメータに付随する同じ集合に含まれるスモールセルで同じ値となっているか、否かのインジケータが同じ値となっていることを示す場合、該パラメータをデコードしない。他方、同じ値となっているか、否かのインジケータが同じ値となっていることを示さない場合、該パラメータを通常通りデコードする。
【０９７７】
ステップＳＴ７５０５において、ステップＳＴ７５０４で取得したＤＬシステム帯域幅などの情報を用いて、ＰＣＦＩＣＨを受信する。同じ集合に含まれるスモールセルではＰＤＳＣＨのスタートシンボルが同じになると静的に決定されていれば、ＰＣＦＩＣＨの受信は不要である。
【０９７８】
ステップＳＴ７５０６において、ステップＳＴ７５０４で取得したＭＩＢのセル構成情報と、ステップＳＴ７５０５で認識したＰＤＳＣＨのスタートシンボルとに基づいて、該セルのＤＬ−ＳＣＨを受信して、報知情報ＢＣＣＨの中のＳＩＢ（System Information Block）１を得る。
【０９７９】
ＳＩＢ１にマッピングされるパラメータのうち、静的に同じ集合に含まれるスモールセルでは同じ値になると決定されているパラメータが存在すれば、該パラメータをデコードしない。
【０９８０】
ＳＩＢ１にマッピングされるパラメータのうち、同じ集合に含まれるスモールセルでは同じ値になる可能性のあるパラメータが存在し、該パラメータに付随する同じ集合に含まれるスモールセルで同じ値になっているか否かのインジケータが同じ値になっていることを示す場合、該パラメータをデコードしない。他方、同じ値になっているか否かのインジケータが同じ値になっていることを示さない場合、該パラメータを通常通りデコードする。
【０９８１】
ステップＳＴ７５０７において、ステップＳＴ７５０６で取得した他のＳＩＢ（ＳＩＢｋ；ｋは２以上（ｋ≧２）の整数）のスケジューリング情報に従い、他のＳＩＢを受信する。
【０９８２】
スケジューリングがされた他のＳＩＢのうち、静的に同じ集合に含まれるスモールセルでは同じ値になると決定されている他のＳＩＢが存在すれば、スケジューリング情報の有無とは無関係に、該他のＳＩＢを受信しない。
【０９８３】
スケジューリングがされた他のＳＩＢのうち、同じ集合に含まれるスモールセルでは同じ値になる可能性のある他のＳＩＢが存在し、該他のＳＩＢに付随する同じ集合に含まれるスモールセルで同じ値になっているか否かのインジケータが同じ値になっていることを示す場合、スケジューリング情報の有無とは無関係に、該他のＳＩＢを受信しない。他方、同じ値になっているか否かのインジケータが同じ値になっていることを示さない場合、該他のＳＩＢを通常通りで受信する。
【０９８４】
また、他のＳＩＢに静的に同じ集合に含まれるスモールセルでは同じ値になると決定されているパラメータが存在すれば、該パラメータをデコードしない。
【０９８５】
他のＳＩＢにマッピングされるパラメータのうち、同じ集合に含まれるスモールセルでは同じ値になる可能性のあるパラメータが存在し、該パラメータに付随する同じ集合に含まれるスモールセルで同じ値になっているか否かのインジケータが同じ値になっていることを示す場合、該パラメータをデコードしない。他方、同じ値になっているか否かのインジケータが同じ値になっていることを示さない場合、該パラメータを通常通りデコードする。
【０９８６】
自セルが属する集合をＵＥに通知する方法として、前記の具体例（２）のディスカバリーシグナルを用いる場合の実施の形態５の解決策におけるＵＥの動作例は、前記の具体例（１）の下り同期信号を用いる場合の実施の形態５の解決策におけるＵＥの動作例と類似しているので、詳細な説明を省略する。
【０９８７】
ステップＳＴ７５０１において、ディスカバリーシグナルから、集合が属するインジケータを検出する。あるいはディスカバリーシグナルが持つシーケンスから、スモールセルが属する集合を認識してもよい。
【０９８８】
図４９〜図５１は、実施の形態５におけるＵＥの動作の処理手順の他の例を示すフローチャートである。図４９〜図５１では、自セルが属する集合をＵＥに通知する方法として、前記の具体例（３）のＭＩＢを用いる場合のＵＥの動作例について示している。図４９〜図５１は、前述の図６、図４５および図４６〜図４８に類似しているので、図６、図４５および図４６〜図４８に対応するステップについては、同一のステップ番号を付して、共通する説明を省略する。
【０９８９】
図４９のステップＳＴ７６０１において、ＭＩＢから、集合が属するインジケータを検出する。
【０９９０】
図５２および図５３は、実施の形態５におけるＵＥの動作の処理手順の他の例を示すフローチャートである。図５２および図５３では、自セルが属する集合をＵＥに通知する方法として、前記の具体例（４）のＳＩＢ１を用いる場合のＵＥの動作例について示している。図５２および図５３は、前述の図６、図４５および図４６〜図４８に類似しているので、図６、図４５および図４６〜図４８に対応するステップについては、同一のステップ番号を付して、共通する説明を省略する。
【０９９１】
図５３のステップＳＴ７７０１において、ＳＩＢ１から、集合が属するインジケータを検出する。
【０９９２】
実施の形態５によって、以下の効果を得ることができる。同じ集合に含まれるスモールセルのパラメータを同じ値にすることによって、効率が良い通信システムを構築することができる。また、ＵＥの消費電力を低減することができる。
【０９９３】
本実施の形態では、スモールセルについて説明したが、同じ集合に含まれるセルであれば、本実施の形態を適用することによって、同様の効果を得ることができる。
【０９９４】
実施の形態６．
３ＧＰＰでは、測定記録（Logged Measurement）について議論されている（非特許文献１２参照）。測定記録では、待受け状態のＵＥが下り参照信号強度の測定結果のみを記録する。測定記録では、周期的に該測定結果を記録する。該周期は、設定可能である。測定記録エリアは、設定可能である。Ｅ−ＵＴＲＡＮからＵＥに通知される測定記録設定（Logged Measurement configuration）によって、測定記録エリアが設定されると、そのエリアに存在するＵＥは、測定記録をする。
【０９９５】
測定記録エリアとは、（１）３２種類までのＧＣＩ（Global Cell Identity）、（２）８種類までのＴＡ（Tracking Areas ）、（３）８種類までのＬＡ（Location Areas）、（４）８種類までのＲＡ（Routing Areas）である。また、ＵＥは、ＵＥ内の最小運転テスト（Minimization of Drive Tests：ＭＤＴ）用のメモリに保存される情報量が、メモリの最大記憶容量に達するまで、測定記録設定に従って、測定記録を継続する。
【０９９６】
実施の形態６で解決する課題について、以下に説明する。スモールセルは、カバレッジが狭いことから数多く設置されることが考えられる。ＵＥが同じ場所から測定可能なセルの数を考えると、マクロセルの数と、スモールセルの数とを比較すれば、スモールセルの数が多くなることが考えられる。したがって、スモールセルが多く設置されている場所で、測定記録（Logged Measurement）の周期となったＵＥは、数多くのスモールセルからの下り参照信号の強度を測定し、ＭＤＴ用のメモリに保存することとなる。
【０９９７】
このことから、スモールセルが数多く設置されていない場所と比較して、スモールセルが数多く設置されている場所では、ＭＤＴ用のメモリに保存される情報量が、比較的短時間でメモリの最大記憶容量に達することが考えられる。これによって、ネットワーク側が、予定するＵＥの測定記録（Logged Measurement）を取得することが不可能となるおそれがある。ネットワーク側が、ＵＥの測定記録（Logged Measurement）を効率的な通信システムの構築に用いる場合、効率的な通信システムの構築が不可能となるという課題が発生する。
【０９９８】
実施の形態６における解決策として、以下の（１）〜（４）の４つを示す。
【０９９９】
（１）測定記録（Logged Measurement）の対象セルを決定する。これによって、ネットワーク側が予定するＵＥの測定記録を取得することが可能となる。測定記録対象セルの具体例として、以下の（１−１）〜（１−２）の２つを開示する。
（１−１）測定記録対象セルをマクロセルとする。
（１−２）測定記録対象セルをスモールセルとする。
【１０００】
（２）測定記録（Logged Measurement）をマクロセル用とスモールセル用とで別個に設ける。測定記録設定（Logged Measurement configuration）、測定報告（Logged Measurement Reporting）をマクロセル用とスモールセル用とで別個に設ける。マクロセル用とスモールセル用とにせずに、複数種類設けて、ネットワーク側がその都度使い分けてもよい。
（３）１周期における測定結果をＭＤＴ用のメモリに保存する対象セルの最大数を決定する。１周期で測定記録（Logged Measurement）の対象となるセルの最大数を決定する。その際、測定結果の下り参照信号強度が高いセルから順に、該最大数分、該測定結果をＭＤＴ用のメモリに保存してもよい。対象となるセルの最大数は、マクロセル用とスモールセル用とで別個に設けてもよい。また、マクロセル用とスモールセル用とにせずに、複数種類設けて、ネットワーク側がその都度使い分けてもよい。
【１００１】
同じ集合に含まれるスモールセルの測定結果をＭＤＴ用のメモリに保存する場合、同じ集合に含まれるスモールセルにおいて、ＭＤＴ用のメモリに保存する対象セルの最大数を決定するようにしてもよい。この場合も、測定結果の下り参照信号強度が高いセルから順に、該最大数分、該測定結果をＭＤＴ用のメモリに保存してもよい。集合の具体例としては、実施の形態５と同様に、同じスモールセルクラスタ、同じカバレッジマクロセルがある。
【１００２】
同じスモールセルクラスタに属するスモールセルにおいて、ＭＤＴ用のメモリに保存する対象セルの最大数が決定された場合、ＵＥは、メジャメントレポートによって、スモールセルクラスタのインジケータを併せて通知してもよい。また、同じカバレッジマクロセルのカバレッジ内のスモールセルにおいて、ＭＤＴ用のメモリに保存する対象セルの最大数が決定された場合、ＵＥは、メジャメントレポートによって、カバレッジマクロの識別子を併せて通知してもよい。スモールセルが、自セルが属する集合をＵＥに通知する方法は、実施の形態５と同様であるので、説明を省略する。
【１００３】
（４）１周期で測定する測定期間を決定する。該測定期間を経過した場合、測定記録（Logged Measurement）を行わない。１周期で測定する測定期間は、マクロセル用とスモールセル用とで別個に設けてもよい。また、マクロセル用とスモールセル用とにせずに、複数種類設けて、ネットワーク側がその都度使い分けてもよい。
【１００４】
また、インフラの消費電力低減（Energy Saving）のために、スモールセルは、比較的頻繁にスイッチオフされることが検討されている。スイッチオフされたスモールセルの発見（discovery）にディスカバリーシグナルを用いることが検討されている。実施の形態６における解決策の（１）〜（４）のマクロセルとスモールセルとの分類を、ドーマントモードのセル（スイッチオフされたセル）と通常動作（アクティブモード）のセルとの分類として適用してもよい。またＵＥが、対象セルがドーマントモードであるかアクティブモードであるかを識別するための情報をセルから通知するとよい。
【１００５】
また、実施の形態６における解決策の（１）〜（４）のマクロセルとスモールセルとの分類を、ＮＣＴを用いているセルとＮＣＴを用いていないセルとの分類として適用してもよい。またＵＥが、対象セルがＮＣＴを用いているか、あるいはＮＣＴを用いていないかを識別するための情報をセルから通知するとよい。
【１００６】
１周期における測定結果をＭＤＴ用のメモリに保存する対象セルの最大数、あるいは１周期で測定する測定期間、測定記録の対象セルのＵＥへの通知方法の具体例として、以下の（１）、（２）の２つを示す。
【１００７】
（１）予め静的に決定する。ＵＥに、その都度通知する必要がない点において、以下の方法（２）とは異なり、通信システムが複雑化することを回避することができ、無線リソースを有効に活用することができる。
【１００８】
（２）準静的に決定する。前記最大数、あるいは測定期間を、測定記録設定（Logged Measurement configuration）を用いて通知する。
【１００９】
実施の形態６によって、以下の効果を得ることができる。スモールセルが数多く設置されている場所であっても、ネットワーク側の設定によって、ＭＤＴ用のメモリに保存する測定結果の対象セル数を制御することが可能となる。これによって、ネットワーク側が、予定するＵＥの測定記録（Logged Measurement）を取得することが可能となる。また、ネットワーク側が、ＵＥの測定記録（Logged Measurement）を効率的な通信システムの構築に用いる場合、効率的な通信システムの構築が可能となる。
【１０１０】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【１０１１】
２１０１〜２１１２，２２０１〜２２１５  セル、２１１３，２１１４，４１３７，４２０８  ＵＥ、２２１６〜２２１９  セルグループ、４１０９〜４１３６，４１４０，５００１，５００２，５００５，５００６，５１０１，５１０２，５４０１，５４０３，５４０５，５４０７  スモールセル、４１０１〜４１０４，４２０４  コンセントレータ、４１０５〜４１０８  スモールセルグループ（ＳＣＧ）、４１４１，５００３，５００４，５００７，５００８，５１０３，５１０４，５４０２，５４０４，５４０６，５４０８  カバレッジ、４２０１  Ｐ−ＧＷ、４２０２  Ｓ−ＧＷ、４２０３  ＭＭＥ、４２０５  第１のスモールセル（ＳＣ１）、４２０６  第２のスモールセル（ＳＣ２）、４２０７  第３のスモールセル（ＳＣ３）。
【図１】
2019054556.tif 000003
【図２】
2019054556.tif 000004
【図３】
2019054556.tif 000005
【図４】
2019054556.tif 000006
【図５】
2019054556.tif 000007
【図６】
2019054556.tif 000008
【図７】
2019054556.tif 000009
【図８】
2019054556.tif 000010
【図９】
2019054556.tif 000011
【図１０】
2019054556.tif 000012
【図１１】
2019054556.tif 000013
【図１２】
2019054556.tif 000014
【図１３】
2019054556.tif 000015
【図１４】
2019054556.tif 000016
【図１５】
2019054556.tif 000017
【図１６】
2019054556.tif 000018
【図１７】
2019054556.tif 000019
【図１８】
2019054556.tif 000020
【図１９】
2019054556.tif 000021
【図２０】
2019054556.tif 000022
【図２１】
2019054556.tif 000023
【図２２】
2019054556.tif 000024
【図２３】
2019054556.tif 000025
【図２４】
2019054556.tif 000026
【図２５】
2019054556.tif 000027
【図２６】
2019054556.tif 000028
【図２７】
2019054556.tif 000029
【図２８】
2019054556.tif 000030
【図２９】
2019054556.tif 000031
【図３０】
2019054556.tif 000032
【図３１】
2019054556.tif 000033
【図３２】
2019054556.tif 000034
【図３３】
2019054556.tif 000035
【図３４】
2019054556.tif 000036
【図３５】
2019054556.tif 000037
【図３６】
2019054556.tif 000038
【図３７】
2019054556.tif 000039
【図３８】
2019054556.tif 000040
【図３９】
2019054556.tif 000041
【図４０】
2019054556.tif 000042
【図４１】
2019054556.tif 000043
【図４２】
2019054556.tif 000044
【図４３】
2019054556.tif 000045
【図４４】
2019054556.tif 000046
【図４５】
2019054556.tif 000047
【図４６】
2019054556.tif 000048
【図４７】
2019054556.tif 000049
【図４８】
2019054556.tif 000050
【図４９】
2019054556.tif 000051
【図５０】
2019054556.tif 000052
【図５１】
2019054556.tif 000053
【図５２】
2019054556.tif 000054
【図５３】
2019054556.tif 000055